(57)【要約】追記型記録媒体に情報を記録する記録装置であって、記録装置は、ホスト装置とドライブ装置とを備え、ホスト装置は、少なくとも１つの第１トラックと少なくとも１つの第２トラックとをボリューム空間に割り付けるようドライブ装置に指示する第１指示部と、ファイルを少なくとも１つの第１トラックに記録するようドライブ装置に指示する第２指示部と、ファイルを管理するファイル構造を少なくとも１つの第２トラックに記録するようドライブ装置に指示する第３指示部と、ファイル構造の記録位置を管理する仮想配置テーブル構造をボリューム空間に記録するようドライブ装置に指示する第４指示部と、少なくとも１つの第１トラックと少なくとも１つの第２トラックとを管理するトラック管理情報をディスク管理情報領域に記録するようドライブ装置に指示する第５指示部とを備え、ドライブ装置は、ヘッド部と、制御部とを備える。【特許請求の範囲】
【請求項１】
追記型記録媒体に情報を記録する記録装置であって、
前記追記型記録媒体は、ディスク管理情報領域とボリューム空間とを含み、
前記記録装置は、ホスト装置とドライブ装置とを備え、
前記ホスト装置は、
少なくとも１つの第１トラックと少なくとも１つの第２トラックとを前記ボリューム空間に割り付けるよう前記ドライブ装置に指示する第１指示部と、
ファイルを前記少なくとも１つの第１トラックに記録するよう前記ドライブ装置に指示する第２指示部と、
前記ファイルを管理するファイル構造を前記少なくとも１つの第２トラックに記録するよう前記ドライブ装置に指示する第３指示部と、
前記ファイル構造の記録位置を管理する仮想配置テーブル構造を前記ボリューム空間に記録するよう前記ドライブ装置に指示する第４指示部と、
前記少なくとも１つの第１トラックと前記少なくとも１つの第２トラックとを管理するトラック管理情報を前記ディスク管理情報領域に記録するよう前記ドライブ装置に指示する第５指示部と
を備え、
前記ドライブ装置は、
前記少なくとも１つの第１トラックと前記少なくとも１つの第２トラックとを前記ボリューム空間に割り付け、前記ファイルを前記少なくとも１つの第１トラックに記録し、前記ファイル構造を前記少なくとも１つの第２トラックに記録し、前記仮想配置テーブル構造を前記ボリューム空間に記録し、前記トラック管理情報を前記ディスク管理情報領域に記録するためのヘッド部と、
前記少なくとも１つの第１トラックと前記少なくとも１つの第２トラックとを前記ボリューム空間に割り付け、前記ファイルを前記少なくとも１つの第１トラックに記録し、前記ファイル構造を前記少なくとも１つの第２トラックに記録し、前記仮想配置テーブル構造を前記ボリューム空間に記録し、前記トラック管理情報を前記ディスク管理情報領域に記録するように、前記ヘッド部を制御する制御部と
を備えた、記録装置。
【請求項２】
前記制御部は、前記少なくとも１つの第１トラックのうち前記ファイルの最終記録位置に続く領域に、前記仮想配置テーブル構造を記録するように、前記ヘッド部を制御する、請求項１に記載の記録装置。
【請求項３】
前記第３指示部は、前記ファイル構造のうち所定の情報を前記少なくとも１つの第２トラックに記録するよう前記ドライブ装置にさらに指示し、
前記制御部は、前記所定の情報を前記少なくとも１つの第２トラックに記録するように、前記ヘッド部を制御する、請求項１に記載の記録装置。
【請求項４】
追記型記録媒体に情報を記録する記録装置に備えられたホスト装置であって、
前記追記型記録媒体は、ディスク管理情報領域とボリューム空間とを含み、
前記記録装置は、前記情報を前記追記型記録媒体に記録するドライブ装置をさらに備え、
前記ホスト装置は、
少なくとも１つの第１トラックと少なくとも１つの第２トラックとを前記ボリューム空間に割り付けるよう前記ドライブ装置に指示する第１指示部と、
ファイルを前記少なくとも１つの第１トラックに記録するよう前記ドライブ装置に指示する第２指示部と、
前記ファイルを管理するファイル構造を前記少なくとも１つの第２トラックに記録するよう前記ドライブ装置に指示する第３指示部と、
前記ファイル構造の記録位置を管理する仮想配置テーブル構造を前記ボリューム空間に記録するよう前記ドライブ装置に指示する第４指示部と、
前記少なくとも１つの第１トラックと前記少なくとも１つの第２トラックとを管理するトラック管理情報を前記ディスク管理情報領域に記録するよう前記ドライブ装置に指示する第５指示部と
を備えた、ホスト装置。
【請求項５】
前記第３指示部は、前記ファイル構造のうち所定の情報を前記少なくとも１つの第２トラックに記録するよう前記ドライブ装置にさらに指示する、請求項４に記載のホスト装置。
【請求項６】
追記型記録媒体に情報を記録する記録方法であって、
前記追記型記録媒体は、ディスク管理情報領域とボリューム空間とを含み、
少なくとも１つの第１トラックと少なくとも１つの第２トラックとを前記ボリューム空間に割り付けるよう指示する第１指示ステップと、
前記少なくとも１つの第１トラックと前記少なくとも１つの第２トラックとを前記ボリューム空間に割り付ける割り付けステップと、
ファイルを前記少なくとも１つの第１トラックに記録するよう指示する第２指示ステップと、
前記ファイルを前記少なくとも１つの第１トラックに記録する第１記録ステップと、
前記ファイルを管理するファイル構造を前記少なくとも１つの第２トラックに記録するよう指示する第３指示ステップと、
前記ファイル構造を前記少なくとも１つの第２トラックに記録する第２記録ステップと、
前記ファイル構造の記録位置を管理する仮想配置テーブル構造を前記ボリューム空間に記録するよう指示する第４指示ステップと、
前記仮想配置テーブル構造を前記ボリューム空間に記録する第３記録ステップと、
前記少なくとも１つの第１トラックと前記少なくとも１つの第２トラックとを管理するトラック管理情報を前記ディスク管理情報領域に記録するよう指示する第５指示ステップと
前記トラック管理情報を前記ディスク管理情報領域に記録する第４記録ステップと
を包含する記録方法。
【請求項７】
追記型記録媒体に情報を記録する記録装置に備えられたホスト装置によって実行される指示方法であって、
前記追記型記録媒体は、ディスク管理情報領域とボリューム空間とを含み、
少なくとも１つの第１トラックと少なくとも１つの第２トラックとを前記ボリューム空間に割り付けるよう指示する第１指示ステップと、
ファイルを前記少なくとも１つの第１トラックに記録するよう指示する第２指示ステップと、
前記ファイルを管理するファイル構造を前記少なくとも１つの第２トラックに記録するよう指示する第３指示ステップと、
前記ファイル構造の記録位置を管理する仮想配置テーブル構造を前記ボリューム空間に記録するよう指示する第４指示ステップと、
前記少なくとも１つの第１トラックと前記少なくとも１つの第２トラックとを管理するトラック管理情報を前記ディスク管理情報領域に記録するよう指示する第５指示ステップと
を包含する指示方法。
【請求項８】
追記型記録媒体に情報を記録する記録処理手順を記録装置によって実行するためのプログラムであって、
前記追記型記録媒体は、ディスク管理情報領域とボリューム空間とを含み、
前記記録処理手順は、
少なくとも１つの第１トラックと少なくとも１つの第２トラックとを前記ボリューム空間に割り付けるよう指示する第１指示ステップと、
前記少なくとも１つの第１トラックと前記少なくとも１つの第２トラックとを前記ボリューム空間に割り付ける割り付けステップと、
ファイルを前記少なくとも１つの第１トラックに記録するよう指示する第２指示ステップと、
前記ファイルを前記少なくとも１つの第１トラックに記録する第１記録ステップと、
前記ファイルを管理するファイル構造を前記少なくとも１つの第２トラックに記録するよう指示する第３指示ステップと、
前記ファイル構造を前記少なくとも１つの第２トラックに記録する第２記録ステップと、
前記ファイル構造の記録位置を管理する仮想配置テーブル構造を前記ボリューム空間に記録するよう指示する第４指示ステップと、
前記仮想配置テーブル構造を前記ボリューム空間に記録する第３記録ステップと、
前記少なくとも１つの第１トラックと前記少なくとも１つの第２トラックとを管理するトラック管理情報を前記ディスク管理情報領域に記録するよう指示する第５指示ステップと
前記トラック管理情報を前記ディスク管理情報領域に記録する第４記録ステップと
を包含する、プログラム。
【請求項９】
追記型記録媒体に情報を記録する記録装置に備えられたホスト装置によって指示処理手順を実行するためのプログラムであって、
前記追記型記録媒体は、ディスク管理情報領域とボリューム空間とを含み、
前記指示処理手順は、
少なくとも１つの第１トラックと少なくとも１つの第２トラックとを前記ボリューム空間に割り付けるよう指示する第１指示ステップと、
ファイルを前記少なくとも１つの第１トラックに記録するよう指示する第２指示ステップと、
前記ファイルを管理するファイル構造を前記少なくとも１つの第２トラックに記録するよう指示する第３指示ステップと、
前記ファイル構造の記録位置を管理する仮想配置テーブル構造を前記ボリューム空間に記録するよう指示する第４指示ステップと、
前記少なくとも１つの第１トラックと前記少なくとも１つの第２トラックとを管理するトラック管理情報を前記ディスク管理情報領域に記録するよう指示する第５指示ステップと
を包含する、プログラム。
【請求項１０】
追記型記録媒体に情報を記録する記録装置に備えられた集積回路であって、
前記追記型記録媒体は、ディスク管理情報領域とボリューム空間とを含み、
前記記録装置は、前記情報を前記追記型記録媒体に記録するドライブ装置をさらに備え、
前記集積回路は、
少なくとも１つの第１トラックと少なくとも１つの第２トラックとを前記ボリューム空間に割り付けるよう前記ドライブ装置に指示するための第１指示部と、
ファイルを前記少なくとも１つの第１トラックに記録するよう前記ドライブ装置に指示するための第２指示部と、
前記ファイルを管理するファイル構造を前記少なくとも１つの第２トラックに記録するよう前記ドライブ装置に指示するための第３指示部と、
前記ファイル構造の記録位置を管理する仮想配置テーブル構造を前記ボリューム空間に記録するよう前記ドライブ装置に指示するための第４指示部と、
前記少なくとも１つの第１トラックと前記少なくとも１つの第２トラックとを管理するトラック管理情報を前記ディスク管理情報領域に記録するよう前記ドライブ装置に指示するための第５指示部と
を備えた、集積回路。
【請求項１１】
追記型記録媒体から情報を再生する再生装置であって、
前記追記型記録媒体は、ディスク管理情報領域とボリューム空間とを含み、
前記ボリューム空間には、少なくとも１つの第１トラックと少なくとも１つの第２トラックとが割り付けられており、
前記少なくとも１つの第１トラックには、ファイルが記録されており、
前記少なくとも１つの第２トラックには、前記ファイルを管理するファイル構造が記録されており、
前記ボリューム空間には前記ファイル構造の記録位置を管理する仮想配置テーブル構造が記録されており、
前記ディスク管理情報領域には、前記少なくとも１つの第１トラックと前記少なくとも１つの第２トラックとを管理するトラック管理情報が記録されており、
前記再生装置は、ホスト装置とドライブ装置とを備え、
前記ホスト装置は、
前記トラック管理情報を前記ディスク管理情報領域から再生するよう前記ドライブ装置に指示する第１指示部と、
前記トラック管理情報に基づいて前記仮想配置テーブル構造を前記ボリューム空間から再生するよう前記ドライブ装置に指示する第２指示部と、
前記ファイル構造を前記少なくとも１つの第２トラックから再生するよう前記ドライブ装置に指示する第３指示部と、
前記ファイルを前記少なくとも１つの第１トラックから再生するよう前記ドライブ装置に指示する第４指示部とを備え、
前記ドライブ装置は、
前記トラック管理情報を前記ディスク管理情報領域から再生し、前記仮想配置テーブル構造を前記ボリューム空間から再生し、前記ファイル構造を前記少なくとも１つの第２トラックから再生し、前記ファイルを前記少なくとも１つの第１トラックから再生するためのヘッド部と、
前記トラック管理情報を前記ディスク管理情報領域から再生し、前記仮想配置テーブル構造を前記ボリューム空間から再生し、前記ファイル構造を前記少なくとも１つの第２トラックから再生し、前記ファイルを前記少なくとも１つの第１トラックから再生するように、前記ヘッド部を制御する制御部と
を備えた、再生装置。
【請求項１２】
前記少なくとも１つの第１トラックのうち前記ファイルの最終記録位置に続く領域に、前記仮想配置テーブル構造が記録されており、
前記第２指示部は、前記ファイルの最終記録位置に続く領域から前記仮想配置テーブル構造を再生するように、前記ドライブ装置に指示する、請求項１１に記載の再生装置。
【請求項１３】
前記少なくとも１つの第２トラックには、前記ファイル構造のうち所定の情報がさらに記録されており、
前記第３指示部は、前記所定の情報を前記少なくとも１つの第２トラックから再生するように、前記ドライブ装置に指示する、請求項１１に記載の再生装置。
【請求項１４】
追記型記録媒体から情報を再生する再生装置に備えられたホスト装置であって、
前記追記型記録媒体は、ディスク管理情報領域とボリューム空間とを含み、
前記ボリューム空間には、少なくとも１つの第１トラックと少なくとも１つの第２トラックとが割り付けられており、
前記少なくとも１つの第１トラックには、ファイルが記録されており、
前記少なくとも１つの第２トラックには、前記ファイルを管理するファイル構造が記録されており、
前記ボリューム空間には、前記ファイル構造の記録位置を管理する仮想配置テーブル構造が記録されており、
前記ディスク管理情報領域には、前記少なくとも１つの第１トラックと前記少なくとも１つの第２トラックとを管理するトラック管理情報が記録されており、
前記再生装置は、前記追記型記録媒体から前記情報を再生するドライブ装置をさらに備え、
前記ホスト装置は、前記トラック管理情報を前記ディスク管理情報領域から再生するよう前記ドライブ装置に指示する第１指示部と、
前記トラック管理情報に基づいて前記仮想配置テーブル構造を前記ボリューム空間から再生するよう前記ドライブ装置に指示する第２指示部と、
前記ファイル構造を前記少なくとも１つの第２トラックから再生するよう前記ドライブ装置に指示する第３指示部と、
前記ファイルを前記少なくとも１つの第１トラックから再生するよう前記ドライブ装置に指示する第４指示部とを備えた、ホスト装置。
【請求項１５】
前記少なくとも１つの第２トラックには、前記ファイル構造のうち所定の情報がさらに記録されており、
前記第３指示部は、前記所定の情報を前記少なくとも１つの第２トラックから再生するよう前記ドライブ装置に指示する、請求項１４に記載のホスト装置。
【請求項１６】
追記型記録媒体から情報を再生する再生方法であって、
前記追記型記録媒体は、ディスク管理情報領域とボリューム空間とを含み、
前記ボリューム空間には、少なくとも１つの第１トラックと少なくとも１つの第２トラックとが割り付けられており、
前記少なくとも１つの第１トラックには、ファイルが記録されており、
前記少なくとも１つの第２トラックには、前記ファイルを管理するファイル構造が記録されており、
前記ボリューム空間には、前記ファイル構造の記録位置を管理する仮想配置テーブル構造が記録されており、
前記ディスク管理情報領域には、前記少なくとも１つの第１トラックと前記少なくとも１つの第２トラックとを管理するトラック管理情報が記録されており、
前記トラック管理情報を前記ディスク管理情報領域から再生するよう指示する第１指示ステップと、
前記トラック管理情報を前記ディスク管理情報領域から再生する第１再生ステップと、
前記トラック管理情報に基づいて、前記仮想配置テーブル構造を前記ボリューム空間から再生するよう指示する第２指示ステップと、
前記仮想配置テーブル構造をボリューム空間から再生する第２再生ステップと、
前記ファイル構造を前記少なくとも１つの第２トラックから再生するよう指示する第３指示ステップと、
前記ファイル構造を前記少なくとも１つの第２トラックから再生する第３ステップと、
前記ファイルを前記少なくとも１つの第１トラックから再生するよう指示する第４指示ステップと、
前記ファイルを前記少なくとも１つの第１トラックから再生する第４再生ステップと
を包含する再生方法。
【請求項１７】
追記型記録媒体から情報を再生する再生装置に備えられたホスト装置によって実行される指示方法であって、
前記追記型記録媒体は、ディスク管理情報領域とボリューム空間とを含み、
前記ボリューム空間には、少なくとも１つの第１トラックと少なくとも１つの第２トラックとが割り付けられており、
前記少なくとも１つの第１トラックには、ファイルが記録されており、
前記少なくとも１つの第２トラックには、前記ファイルを管理するファイル構造が記録されており、
前記ボリューム空間には、前記ファイル構造の記録位置を管理する仮想配置テーブル構造が記録されており、
前記ディスク管理情報領域には、前記少なくとも１つの第１トラックと前記少なくとも１つの第２トラックとを管理するトラック管理情報が記録されており、
前記トラック管理情報を前記ディスク管理情報領域から再生するよう指示する第１指示ステップと、
前記トラック管理情報に基づいて、前記仮想配置テーブル構造を前記ボリューム空間から再生するよう指示する第２指示ステップと、
前記ファイル構造を前記少なくとも１つの第２トラックから再生するよう指示する第３指示ステップと、
前記ファイルを前記少なくとも１つの第１トラックから再生するよう指示する第４指示ステップとを包含する指示方法。
【請求項１８】
追記型記録媒体から情報を再生する再生処理手順を再生装置によって実行するためのプログラムであって、
前記追記型記録媒体は、ディスク管理情報領域とボリューム空間とを含み、
前記ボリューム空間には、少なくとも１つの第１トラックと少なくとも１つの第２トラックとが割り付けられており、
前記少なくとも１つの第１トラックには、ファイルが記録されており、
前記少なくとも１つの第２トラックには、前記ファイルを管理するファイル構造が記録されており、
前記ボリューム空間には、前記ファイル構造の記録位置を管理する仮想配置テーブル構造が記録されており、
前記ディスク管理情報領域には、前記少なくとも１つの第１トラックと前記少なくとも１つの第２トラックとを管理するトラック管理情報が記録されており、
前記再生処理手順は、
前記トラック管理情報を前記ディスク管理情報領域から再生するよう指示する第１指示ステップと、
前記トラック管理情報を前記ディスク管理情報領域から再生する第１再生ステップと、
前記トラック管理情報に基づいて、前記仮想配置テーブル構造を前記ボリューム空間から再生するよう指示する第２指示ステップと、
前記仮想配置テーブル構造を前記ボリューム空間から再生する再生する第２再生ステップと、
前記ファイル構造を前記少なくとも１つの第２トラックから再生するよう指示する第３指示ステップと、
前記ファイル構造を前記少なくとも１つの第２トラックから再生する第３再生ステップと、
前記ファイルを前記少なくとも１つの第１トラックから再生するよう指示する第４指示ステップと
前記ファイルを前記少なくとも１つの第１トラックから再生する第４再生ステップと
を包含する、プログラム。
【請求項１９】
追記型記録媒体から情報を再生する再生装置に備えられたホスト装置によって指示処理手順を実行するためのプログラムであって、
前記追記型記録媒体は、ディスク管理情報領域とボリューム空間とを含み、
前記ボリューム空間には、少なくとも１つの第１トラックと少なくとも１つの第２トラックとが割り付けられており、
前記少なくとも１つの第１トラックには、ファイルが記録されており、
前記少なくとも１つの第２トラックには、前記ファイルを管理するファイル構造が記録されており、
前記ボリューム空間には、前記ファイル構造の記録位置を管理する仮想配置テーブル構造が記録されており、
前記ディスク管理情報領域には、前記少なくとも１つの第１トラックと前記少なくとも１つの第２トラックとを管理するトラック管理情報が記録されており、
前記指示処理手順は、
前記トラック管理情報を前記ディスク管理情報領域から再生するよう指示する第１指示ステップと、
前記トラック管理情報に基づいて、前記仮想配置テーブル構造を前記ボリューム空間から再生するよう指示する第２指示ステップと、
前記ファイル構造を前記少なくとも１つの第２トラックから再生するよう指示する第３指示ステップと、
前記ファイルを前記少なくとも１つの第１トラックから再生するよう指示する第４指示ステップと
を包含する、プログラム。
【請求項２０】
追記型記録媒体から情報を再生する再生装置に備えられた集積回路であって、
前記追記型記録媒体は、ディスク管理情報領域とボリューム空間とを含み、
前記ボリューム空間には、少なくとも１つの第１トラックと少なくとも１つの第２トラックとが割り付けられており、
前記少なくとも１つの第１トラックには、ファイルが記録されており、
前記少なくとも１つの第２トラックには、前記ファイルを管理するファイル構造が記録されており、
前記ボリューム空間には、前記ファイル構造の記録位置を管理する仮想配置テーブル構造が記録されており、
前記ディスク管理情報領域には、前記少なくとも１つの第１トラックと前記少なくとも１つの第２トラックとを管理するトラック管理情報が記録されており、
前記再生装置は、前記追記型記録媒体から前記情報を再生するドライブ装置をさらに備え、
前記集積回路は、
前記トラック管理情報を前記ディスク管理情報領域から再生するよう前記ドライブ装置に指示するための第１指示部と、
前記トラック管理情報に基づいて、前記仮想配置テーブル構造を前記ボリューム空間から再生するよう前記ドライブ装置に指示するための第２指示と、
前記ファイル構造を前記少なくとも１つの第２トラックから再生するよう前記ドライブ装置に指示するための第３指示部と、
前記ファイルを前記少なくとも１つの第１トラックから再生するよう前記ドライブ装置に指示するための第４指示部と
を備えた、集積回路。
【請求項２１】
情報が記録されるように構成されている追記型記録媒体であって、
前記追記型記録媒体は、ディスク管理情報領域とボリューム空間とを含み、
前記ボリューム空間は、少なくとも１つの第１トラックと少なくとも１つの第２トラックとが割り付けられるように構成されており、
前記少なくとも１つの第１トラックは、ファイルが記録されるように構成されており、
前記少なくとも１つの第２トラックは、前記ファイルを管理するファイル構造が記録されるように構成されており、
前記ボリューム空間は、前記ファイル構造の記録位置を管理する仮想配置テーブル構造が記録されるように構成されており、
前記ディスク管理情報領域は、前記少なくとも１つの第１トラックと前記少なくとも１つの第２トラックとを管理するトラック管理情報が記録されるように構成されている、追記型記録媒体。
【発明の詳細な説明】
【技術分野】
【０００１】  本発明は、追記型記録媒体に情報を記録する記録装置、記録装置に含まれるホスト装置、追記型記録媒体に情報を記録する記録方法、追記型記録媒体に情報を記録する記録装置に備えられたホスト装置によって実行される指示方法、記録処理手順を実行するためのプログラム、追記型記録媒体に情報を記録する記録装置に備えられた集積回路、追記型記録媒体から情報を再生する再生装置、再生装置に含まれるホスト装置、追記型記録媒体から情報を再生する再生方法、再生処理手順を実行するためのプログラムおよび追記型記録媒体に関する。
【背景技術】
【０００２】  近年、デジタルデータの記録に様々な形態の記録媒体が用いられており、中でも記録回数が１回と限られている一方、媒体の価格が安価である追記型光ディスクがよく使われるようになってきている。【０００３】  このような光ディスクの例として、ＣＤ−ＲディスクやＤＶＤ−Ｒディスクがある。そして、ＣＤ−ＲディスクやＤＶＤ−Ｒディスクへデータを追記する手法が幾つか提案されている（例えば、特許文献１参照）。データを追記する手法としては、例えば、ＶＡＴ（Ｖｉｒｔｕａｌ  Ａｌｌｏｃａｔｉｏｎ  Ｔａｂｌｅ）方式やマルチボーダ（またはマルチセッション）方式がある。【０００４】  ＶＡＴ方式およびマルチボーダ方式を用いてＤＶＤ−Ｒディスクにデジタルデータを記録・再生する時の動作について説明する。【０００５】  まず、ＶＡＴを用いた追記方式について、以下に図面を参照しながら説明する。ここでは、ＤＶＤ−Ｒディスクを記録媒体の例とし、図１３に示すファイルおよびディレクトリ階層構造を記録媒体に記録する時の動作と、その結果として形成されるデータ構造について順に説明する。【０００６】  最初に、図１４を参照してフォーマット処理について説明する。図１４は、従来の記録媒体１０１００の一例であるＤＶＤ−Ｒディスク上のフォーマット処理直後のデータを示す。【０００７】  ＤＶＤ−Ｒディスクは、ＤＶＤ−Ｒ物理規格で規定される記録媒体である。【０００８】  また、ＤＶＤ−Ｒファイルシステム規格で規定されたボリューム・ファイル構造を用いてファイルが記録される。ＤＶＤ−Ｒファイルシステム規格はＩＳＯ／ＩＥＣ１３３４６規格あるいはＵＤＦ（Ｕｎｉｖｅｒｓａｌ  Ｄｉｓｋ  Ｆｏｒｍａｔ）規格に準拠しており、以下の説明においてもＵＤＦ規格に規定されている構造を用いて説明を行う。【０００９】  図１４に示すように、記録媒体１０１００のデータ領域は、リードイン領域１０１０１とボリューム空間１０１０９とを含む。ボリューム空間１０１０９は、ボリューム構造領域１０４１０と、ファイル構造／ファイル領域１０４２０と、ＶＡＴ（Ｖｉｒｔｕａｌ  Ａｌｌｏｃａｔｉｏｎ  Ｔａｂｌｅ）構造領域１０４３０とを含む。【００１０】  ボリューム構造領域１０４１０には、ＵＤＦ規格で規定されるボリューム構造が記録される。ボリューム構造には、具体的には、ＮＳＲ記述子、基本ボリューム記述子、処理システム用記述子、区画記述子、論理ボリューム記述子、未割付空間記述子、終端記述子、論理ボリューム保全記述子、および開始ボリューム記述子が含まれる。【００１１】  ファイル構造／ファイル領域１０４２０には、ファイル集合記述子１０４２１およびＲＯＯＴディレクトリファイルのファイルエントリであるＦＥ（ＲＯＯＴ）１０４２２が記録されている。ＦＥ（ＲＯＯＴ）１０４２２は、パーティション空間内でディレクトリ階層の起点となる。【００１２】  ファイルエントリ（以降、ＦＥとする）は、ボリューム空間内に記録されるファイルの位置や大きさを管理するためにＵＤＦ規格で規定されているデータ構造を有する。なお、ここでは説明の簡単化のため、ＲＯＯＴディレクトリファイルはＦＥ（ＲＯＯＴ）１０４２２に含まれる形式としている。【００１３】  ＶＡＴ構造領域１０４３０には、ＶＡＴ１０４３１とＶＡＴ  ＩＣＢ１０４３２とが記録されている。ＶＡＴは、追記形記録媒体におけるファイル構造の更新処理を簡素化することを目的としてＵＤＦ規格で規定されているデータ構造である。【００１４】  ＶＡＴを用いる場合、ＦＥのようなファイル構造データのボリューム空間上での記録位置が、仮想アドレス空間上の仮想アドレスを用いて指定される。そして、記録媒体上の記録位置である論理アドレス空間上の論理アドレスと、この仮想アドレスとの対応関係を保持するのがＶＡＴである。これらの構造により、ＤＶＤ−Ｒディスクのような書換えができない記録媒体においても、仮想的にデータの書換えが実現される。そして、ＶＡＴの記録媒体上の記録位置は、記録媒体上でデータが記録された領域の終端セクタに割り付けられるＶＡＴ  ＩＣＢにより指定される。【００１５】  リードイン領域１０１０１には物理フォーマット情報領域１０１０４が含まれる。物理フォーマット情報領域１０１０４には、記録媒体１０１００に割り付けられた様々な領域の管理情報を記録するため情報である物理フォーマット情報が記録されている。管理情報とは、例えば、ボーダアウト領域のアドレス情報、等である。なお、物理フォーマット情報領域１０１０４は、フォーマット処理直後の時点では領域だけが確保され、データは未記録状態である。【００１６】  図１５を参照して、図１３に示すファイルおよびディレクトリ構造のうちディレクトリ（Ｄｉｒ−Ａ）とデータファイル（Ｆｉｌｅ−ａ）とを記録する手順を説明する。【００１７】  図１４の状態の記録媒体１０１００に対してディレクトリ（Ｄｉｒ−Ａ）とデータファイル（Ｆｉｌｅ−ａ）の記録処理が行われると、図１５に示すように、ファイル構造／ファイル領域１０５００に、データファイル（Ｆｉｌｅ−ａ）１０５０１と、ＦＥ（Ｆｉｌｅ−ａ）１０５０２と、ＦＥ（Ｄｉｒ−Ａ）１０５０３と、ＦＥ（ＲＯＯＴ）１０５０４とが記録される。なお、ディレクトリファイルはＦＥ（Ｄｉｒ−Ａ）１０５０３に含まれる形式とする。【００１８】  また、ＶＡＴ構造領域１０５２０には、新たに記録されたＦＥ１０５０２、ＦＥ１０５０３およびＦＥ１０５０４が登録されたＶＡＴ１０５２１と、ＶＡＴ  ＩＣＢ  １０５２２とが記録される。【００１９】  さらにクローズ処理が行われると、まずネクストボーダマーカ１０５３１を除いたボーダアウト領域１０５３０に所定のデータが記録される。また、フォーマット処理後に未記録状態であったリードイン領域１０１０１内の物理フォーマット情報領域１０１０４に所定のデータが記録される。【００２０】  なお、クローズ処理は、情報再生装置が最新のボリューム・ファイル構造を検索可能とするために実行される。【００２１】  ファイル記録処理とクローズ処理が、図１４に示すフォーマット処理後のデータ構造を持つ記録媒体１０１００に対して実行された時、図１５に示すデータ構造が記録媒体１０１００に形成される。【００２２】  図１６を参照して、図１３に示すファイルおよびディレクトリ構造のうちのディレクトリ（Ｄｉｒ−Ｂ）とデータファイル（Ｆｉｌｅ−ｂ）との記録処理手順を説明する。【００２３】  ここでは、ファイル構造／ファイル��域１０６００に、データファイル（Ｆｉｌｅ−ｂ）１０６０１とそれに関連するファイル構造である、ファイル（Ｆｉｌｅ−ｂ）１０６０１、ＦＥ（Ｆｉｌｅ−ｂ）１０６０２、ＦＥ（Ｄｉｒ−Ｂ）１０６０３、ＦＥ（ＲＯＯＴ）１０６０４が記録される。【００２４】  また、ＶＡＴ構造領域１０６１００に、最新のＶＡＴ構造である、ＶＡＴ１０６１０１とＶＡＴＩＣＢ１０６０２が記録される。【００２５】  最後に、クローズ処理を再度実行することにより、ネクストボーダマーカ１０６２０１を除いたボーダアウト領域１０６２００に所定のデータが記録される。さらに、ボーダアウト領域１０５３０内に割り付けられたネクストボーダマーカ１０５３１と、物理フォーマット情報領域１０６３０１を含むボーダイン領域１０６３００とが記録される。【００２６】  以上で説明したようなファイル記録処理とクローズ処理が、図１５に示すデータ構造を持つ記録媒体１０１００に対して実行された時、図１６に示すデータ構造が記録媒体１０１００に形成される。【００２７】  このように、クローズ処理が実行される度に、ボリューム空間１０１０９のリードイン領域１０１０１またはボーダイン領域と、ボーダアウト領域とに挟まれた領域が形成される。以降、この領域のことをボーダ付き領域と呼ぶ。例えば図１６では、ボーダ付き領域＃１  １０７００やボーダ付き領域＃２  １０７０１が存在する。ボーダ付き領域はＣＤ−Ｒディスクの場合におけるセッションと同様の概念である。【００２８】  次に、図１７に示した再生処理手順のフローチャートを参照して、ファイルの再生動作を説明する。ここでは、データファイル（Ｆｉｌｅ−ａ）１０５０１を再生する動作を例にあげて説明する。【００２９】  まず、リードイン領域１０１０１の物理フォーマット情報領域１０１０４のデータが再生され、物理フォーマット情報が取得される（ステップＳ１１１０１）。【００３０】  次に、ネクストボーダマーカのデータが再生される（ステップＳ１１１０２）。【００３１】  ステップＳ１１１０１（あるいはステップＳ１１１０３）で取得された物理フォーマット情報にはボーダアウト領域のアドレス情報が含まれる。そしてボーダアウト領域の所定の位置にネクストボーダマーカのデータが記録されているので、そこからネクストボーダマーカが再生される。【００３２】  例えば、図１６において、物理フォーマット情報領域１０１０４には、ボーダアウト領域１０５３０のアドレス情報が記録されている。また、ボーダイン領域１０６３００に含まれる物理フォーマット領域１０６３０１には、ボーダアウト領域１０６２００のアドレス情報が記録されている。【００３３】  ステップＳ１１１０１（あるいはステップＳ１１１０３）で取得された物理フォーマット情報に含まれるネクストボーダマーカが記録済状態である場合には、より新しいボーダ付き領域が存在するので、ステップＳ１１１０３以降が実行される。【００３４】  ステップＳ１１１０１において取得された物理フォーマット情報に含まれるボーダイン領域のアドレス情報に従って、次のボーダイン領域に記録された情報の再生が行われる（ステップＳ１１１０３）。物理フォーマット情報に含まれるボーダイン領域のアドレス情報はステップＳ１１１０４においても取得され得る。そして、再生された情報から物理フォーマット情報が取得される。【００３５】  一方、ステップＳ１１１０２で再生されたネクストボーダマーカが未記録状態である場合には、現在のボーダ付き領域が最新であるので、ステップＳ１１１０４以降が実行される。【００３６】  最新のボーダ付き領域に到達した場合、取得された最新の物理フォーマット情報が参照され、アクセスが可能な領域の終端の物理アドレスが取得される（ステップＳ１１１０４）。【００３７】  図１６において、ボーダ付き領域＃２  １０７０１の終端がアクセス可能な領域の終端である。【００３８】  そして、最後にファイル再生が次の手順で行われる。【００３９】  まず、ボリューム構造領域１０４１０に記録されている情報が再生される（ステップＳ１１１０５）。再生された情報（ボリューム構造）には、ファイル集合記述子１０４２１のアドレス情報や区画開始位置が含まれる。ＶＡＴ方式の場合、ボリューム構造内にＵＤＦ規格で定義された仮想区画マップが含まれるので、その情報に基づいて、ボリューム空間内にＶＡＴ構造が記録されていることが認識される。【００４０】  そして、アクセスが可能な領域の終端に記録されたＶＡＴ  ＩＣＢ１０６１０２が再生される。（ステップＳ１１１０６）。【００４１】  再生されたＶＡＴ  ＩＣＢＰ１０６１０２からＶＡＴの記録位置情報が取得され、ＶＡＴ１０６１０１が読み出される。【００４２】  目的のファイルやその管理情報が仮想アドレスを用いて管理されている場合、ステップＳ１１１０６で取得されたＶＡＴ１０６１０１を用いて目的のファイルやディレクトリのファイルエントリが登録されたＶＡＴエントリが参照される（ステップＳ１１１０７）。【００４３】  そして、仮想アドレスから論理アドレスへの変換処理を行い、ファイル構造／ファイル領域１０４２０のファイル集合記述子１０４２１を起点として、ファイル構造／ファイル領域１０６００のＦＥ（ＲＯＯＴ）１０６０４と、ＦＥ（ＲＯＯＴ）１０６０４に含まれたＲＯＯＴディレクトリと、ファイル構造／ファイル領域１０５００のＦＥ（Ｄｉｒ−Ａ）１０５０３と、ＦＥ（Ｄｉｒ−Ａ）１０５０３に含まれたディレクトリ（Ｄｉｒ−Ａ）と、ＦＥ（Ｆｉｌｅ−ａ）１０５０２とが、順次読み出される。【００４４】  そして、ＦＥ（Ｆｉｌｅ−ａ）１０５０２からデータファイル（Ｆｉｌｅ−ａ）１０５０１の記録位置が取得され、データファイル（Ｆｉｌｅ−ａ）１０５０１が再生される。【００４５】  以上、ＶＡＴ方式によるＤＶＤ−Ｒディスクへの追記方法について述べたが、ＶＡＴ方式と異なる追記方式としてマルチボーダ方式も知られている。なお、ＣＤ−Ｒディスクの場合における同様の方式はマルチセッション方式と呼ばれる。【００４６】  マルチボーダ方式においては、ボーダ付き領域を単位としてデータの追記が行われ、ボーダ付き領域毎にボリューム構造およびファイル構造が記録される。【００４７】  マルチボーダ方式では、ＶＡＴのような仮想アドレスを用いたデータ更新の仕組みを使わず、ファイル構造の更新が行われたら、ボリューム構造およびファイル構造を新たに生成し直し、新たなボーダ付き領域に記録し直す。���００４８】  マルチボーダ方式の再生は、最新のボーダ付き領域を確定し、そこから最新のボリューム構造を読み出す。【００４９】  後は、順次、ＵＤＦ規格で定められたデータ構造に従ってデータをたどることにより特定のファイルを再生することが可能である。例えば、再生専用のＤＶＤ−ＲＯＭディスク等と同様の再生手順でデータを読み出せる。【００５０】  また、マルチボーダ／マルチセッション方式の場合、イメージデータを用いた効率的なデータ記録が行われる。データのバックアップ等、あらかじめ記録したいすべてのファイルが分かっている場合は、ハードディスクドライブ上に記録したいファイルデータと、そのボリューム構造およびファイル構造をすべて含んだ形式のデータファイルを作成する。このファイルがイメージデータである。イメージデータの記録に際しては、１つのボーダ付き領域（あるいはセッション）を割当て、その領域に連続的にイメージデータを記録していく。記録が連続的に行われることと、ファイル構造が既に作成済みであることから、記録時のオーバーヘッドが小さくなり、イメージデータの記録を高速に行うことが可能である。
【特許文献１】米国特許第５６６６５３１号
【発明の開示】
【発明が解決しようとする課題】
【００５１】  しかしながら、上記で説明したようなＶＡＴ方式は、ファイル構造の情報（ＦＥやディレクトリファイル）が情報記録媒体の複数の領域に分散されて記録されてしまい、ディレクトリ構造をたどって特定のファイルへアクセスしてデータ読み出しまでの処理時間が長くなってしまうという課題がある（特許文献１参照）。【００５２】  例えば、図１７を用いて説明したように、データファイル（Ｆｉｌｅ−ａ）１０５０１の再生のためには、ファイル構造／ファイル領域１０４２０と、ファイル構造／ファイル領域１０５００と、ファイル構造／ファイル領域１０６００と、ＶＡＴ構造領域１０６１００等の領域にアクセスし、データを読み出す必要がある。【００５３】  本発明は上記課題を解決するものであり、ＶＡＴ方式により効率の良いファイルの追記を行った時にでも、高速にデータファイルへアクセスすることを可能とする情報記録媒体、その情報記録媒体に情報を記録する情報記録方法、および情報記録装置、その情報記録媒体に記録された情報を再生する情報再生方法および情報再生装置を提供することを目的とする。
【課題を解決するための手段】
【００５４】  本発明の記録装置は、追記型記録媒体に情報を記録する記録装置であって、前記追記型記録媒体は、ディスク管理情報領域とボリューム空間とを含み、前記記録装置は、ホスト装置とドライブ装置とを備え、前記ホスト装置は、少なくとも１つの第１トラックと少なくとも１つの第２トラックとを前記ボリューム空間に割り付けるよう前記ドライブ装置に指示する第１指示部と、ファイルを前記少なくとも１つの第１トラックに記録するよう前記ドライブ装置に指示する第２指示部と、前記ファイルを管理するファイル構造を前記少なくとも１つの第２トラックに記録するよう前記ドライブ装置に指示する第３指示部と、前記ファイル構造の記録位置を管理する仮想配置テーブル構造を前記ボリューム空間に記録するよう前記ドライブ装置に指示する第４指示部と、前記少なくとも１つの第１トラックと前記少なくとも１つの第２トラックとを管理するトラック管理情報を前記ディスク管理情報領域に記録するよう前記ドライブ装置に指示する第５指示部とを備え、前記ドライブ装置は、前記少なくとも１つの第１トラックと前記少なくとも１つの第２トラックとを前記ボリューム空間に割り付け、前記ファイルを前記少なくとも１つの第１トラックに記録し、前記ファイル構造を前記少なくとも１つの第２トラックに記録し、前記仮想配置テーブル構造を前記ボリューム空間に記録し、前記トラック管理情報を前記ディスク管理情報領域に記録するためのヘッド部と、前記少なくとも１つの第１トラックと前記少なくとも１つの第２トラックとを前記ボリューム空間に割り付け、前記ファイルを前記少なくとも１つの第１トラックに記録し、前記ファイル構造を前記少なくとも１つの第２トラックに記録し、前記仮想配置テーブル構造を前記ボリューム空間に記録し、前記トラック管理情報を前記ディスク管理情報領域に記録するように、前記ヘッド部を制御する制御部とを備え、これにより上記目的を達成することができる。【００５５】  前記制御部は、前記少なくとも１つの第１トラックのうち前記ファイルの最終記録位置に続く領域に、前記仮想配置テーブル構造を記録するように、前記ヘッド部を制御することがありえる。【００５６】  前記第３指示部は、前記ファイル構造のうち所定の情報を前記少なくとも１つの第２トラックに記録するよう前記ドライブ装置にさらに指示し、前記制御部は、前記所定の情報を前記少なくとも１つの第２トラックに記録するように、前記ヘッド部を制御することがありえる。【００５７】  本発明のホスト装置は、追記型記録媒体に情報を記録する記録装置に備えられたホスト装置であって、前記追記型記録媒体は、ディスク管理情報領域とボリューム空間とを含み、前記記録装置は、前記情報を前記追記型記録媒体に記録するドライブ装置をさらに備え、
前記ホスト装置は、少なくとも１つの第１トラックと少なくとも１つの第２トラックとを前記ボリューム空間に割り付けるよう前記ドライブ装置に指示する第１指示部と、ファイルを前記少なくとも１つの第１トラックに記録するよう前記ドライブ装置に指示する第２指示部と、前記ファイルを管理するファイル構造を前記少なくとも１つの第２トラックに記録するよう前記ドライブ装置に指示する第３指示部と、前記ファイル構造の記録位置を管理する仮想配置テーブル構造を前記ボリューム空間に記録するよう前記ドライブ装置に指示する第４指示部と、前記少なくとも１つの第１トラックと前記少なくとも１つの第２トラックとを管理するトラック管理情報を前記ディスク管理情報領域に記録するよう前記ドライブ装置に指示する第５指示部とを備え、これにより上記目的を達成することができる。【００５８】  前記第３指示部は、前記ファイル構造のうち所定の情報を前記少なくとも１つの第２トラックに記録するよう前記ドライブ装置にさらに指示することがありえる。【００５９】  本発明の記録方法は、追記型記録媒体に情報を記録する記録方法であって、前記追記型記録媒体は、ディスク管理情報領域とボリューム空間とを含み、少なくとも１つの第１トラックと少なくとも１つの第２トラックとを前記ボリューム空間に割り付けるよう指示する第１指示ステップと、前記少なくとも１つの第１トラックと前記少なくとも１つの第２トラックとを前記ボリューム空間に割り付ける割り付けステップと、ファイルを前記少なくとも１つの第１トラックに記録するよう指示する第２指示ステップと、前記ファイルを前記少なくとも１つの第１トラックに記録する第１記録ステップと、前記ファイルを管理するファイル構造を前記少なくとも１つの第２トラックに記録するよう指示する第３指示ステップと、前記ファイル構造を前記少なくとも１つの第２トラックに記録する第２記録ステップと、前記ファイル構造の記録位置を管理する仮想配置テーブル構造を前記ボリューム空間に記録するよう指示する第４指示ステップと、前記仮想配置テーブル構造を前記ボリューム空間に記録する第３記録ステップと、前記少なくとも１つの第１トラックと前記少なくとも１つの第２トラックとを管理するトラック管理情報を前記ディスク管理情報領域に記録するよう指示する第５指示ステップと前記トラック管理情報を前記ディスク管理情報領域に記録する第４記録ステップとを包含し、これにより上記目的を達成することができる。【００６０】  本発明の指示方法は、追記型記録媒体に情報を記録する記録装置に備えられたホスト装置によって実行される指示方法であって、前記追記型記録媒体は、ディスク管理情報領域とボリューム空間とを含み、少なくとも１つの第１トラックと少なくとも１つの第２トラックとを前記ボリューム空間に割り付けるよう指示する第１指示ステップと、ファイルを前記少なくとも１つの第１トラックに記録するよう指示する第２指示ステップと、前記ファイルを管理するファイル構造を前記少なくとも１つの第２トラックに記録するよう指示する第３指示ステップと、前記ファイル構造の記録位置を管理する仮想配置テーブル構造を前記ボリューム空間に記録するよう指示する第４指示ステップと、前記少なくとも１つの第１トラックと前記少なくとも１つの第２トラックとを管理するトラック管理情報を前記ディスク管理情報領域に記録するよう指示する第５指示ステップとを包含し、これにより上記目的を達成することができる。【００６１】  本発明のプログラムは、追記型記録媒体に情報を記録する記録処理手順を記録装置によって実行するためのプログラムであって、前記追記型記録媒体は、ディスク管理情報領域とボリューム空間とを含み、前記記録処理手順は、少なくとも１つの第１トラックと少なくとも１つの第２トラックとを前記ボリューム空間に割り付けるよう指示する第１指示ステップと、前記少なくとも１つの第１トラックと前記少なくとも１つの第２トラックとを前記ボリューム空間に割り付ける割り付けステップと、ファイルを前記少なくとも１つの第１トラックに記録するよう指示する第２指示ステップと、前記ファイルを前記少なくとも１つの第１トラックに記録する第１記録ステップと、前記ファイルを管理するファイル構造を前記少なくとも１つの第２トラックに記録するよう指示する第３指示ステップと、前記ファイル構造を前記少なくとも１つの第２トラックに記録する第２記録ステップと、前記ファイル構造の記録位置を管理する仮想配置テーブル構造を前記ボリューム空間に記録するよう指示する第４指示ステップと、前記仮想配置テーブル構造を前記ボリューム空間に記録する第３記録ステップと、前記少なくとも１つの第１トラックと前記少なくとも１つの第２トラックとを管理するトラック管理情報を前記ディスク管理情報領域に記録するよう指示する第５指示ステップと前記トラック管理情報を前記ディスク管理情報領域に記録する第４記録ステップとを包含し、これにより上記目的を達成することができる。【００６２】  本発明のプログラムは、追記型記録媒体に情報を記録する記録装置に備えられたホスト装置によって指示処理手順を実行するためのプログラムであって、前記追記型記録媒体は、ディスク管理情報領域とボリューム空間とを含み、前記指示処理手順は、少なくとも１つの第１トラックと少なくとも１つの第２トラックとを前記ボリューム空間に割り付けるよう指示する第１指示ステップと、ファイルを前記少なくとも１つの第１トラックに記録するよう指示する第２指示ステップと、前記ファイルを管理するファイル構造を前記少なくとも１つの第２トラックに記録するよう指示する第３指示ステップと、前記ファイル構造の記録位置を管理する仮想配置テーブル構造を前記ボリューム空間に記録するよう指示する第４指示ステップと、前記少なくとも１つの第１トラックと前記少なくとも１つの第２トラックとを管理するトラック管理情報を前記ディスク管理情報領域に記録するよう指示する第５指示ステップとを包含し、これにより上記目的を達成することができる。【００６３】  本発明の集積回路は、追記型記録媒体に情報を記録する記録装置に備えられた集積回路であって、前記追記型記録媒体は、ディスク管理情報領域とボリューム空間とを含み、前記記録装置は、前記情報を前記追記型記録媒体に記録するドライブ装置をさらに備え、前記集積回路は、少なくとも１つの第１トラックと少なくとも１つの第２トラックとを前記ボリューム空間に割り付けるよう前記ドライブ装置に指示するための第１指示部と、ファイルを前記少なくとも１つの第１トラックに記録するよう前記ドライブ装置に指示するための第２指示部と、前記ファイルを管理するファイル構造を前記少なくとも１つの第２トラックに記録するよう前記ドライブ装置に指示するための第３指示部と、前記ファイル構造の記録位置を管理する仮想配置テーブル構造を前記ボリューム空間に記録するよう前記ドライブ装置に指示するための第４指示部と、前記少なくとも１つの第１トラックと前記少なくとも１つの第２トラックとを管理するトラック管理情報を前記ディスク管理情報領域に記録するよう前記ドライブ装置に指示するための第５指示部とを備え、これにより上記目的を達成することができる。【００６４】  本発明の再生装置は、追記型記録媒体から情報を再生する再生装置であって、前記追記型記録媒体は、ディスク管理情報領域とボリューム空間とを含み、前記ボリューム空間には、少なくとも１つの第１トラックと少なくとも１つの第２トラックとが割り付けられており、前記少なくとも１つの第１トラックには、ファイルが記録されており、前記少なくとも１つの第２トラックには、前記ファイルを管理するファイル構造が記録されており、前記ボリューム空間には前記ファイル構造の記録位置を管理する仮想配置テーブル構造が記録されており、前記ディスク管理情報領域には、前記少なくとも１つの第１トラックと前記少なくとも１つの第２トラックとを管理するトラック管理情報が記録されており、前記再生装置は、ホスト装置とドライブ装置とを備え、前記ホスト装置は、前記トラック管理情報を前記ディスク管理情報領域から再生するよう前記ドライブ装置に指示する第１指示部と、前記トラック管理情報に基づいて前記仮想配置テーブル構造を前記ボリューム空間から再生するよう前記ドライブ装置に指示する第２指示部と、前記ファイル構造を前記少なくとも１つの第２トラックから再生するよう前記ドライブ装置に指示する第３指示部と、前記ファイルを前記少なくとも１つの第１トラックから再生するよう前記ドライブ装置に指示する第４指示部とを備え、前記ドライブ装置は、前記トラック管理情報を前記ディスク管理情報領域から再生し、前記仮想配置テーブル構造を前記ボリューム空間から再生し、前記ファイル構造を前記少なくとも１つの第２トラックから再生し、前記ファイルを前記少なくとも１つの第１トラックから再生するためのヘッド部と、前記トラック管理情報を前記ディスク管理情報領域から再生し、前記仮想配置テーブル構造を前記ボリューム空間から再生し、前記ファイル構造を前記少なくとも１つの第２トラックから再生し、前記ファイルを前記少なくとも１つの第１トラックから再生するように、前記ヘッド部を制御する制御部とを備え、これにより上記目的を達成することができる。【００６５】  前記少なくとも１つの第１トラックのうち前記ファイルの最終記録位置に続く領域に、前記仮想配置テーブル構造が記録されており、
前記第２指示部は、前記ファイルの最終記録位置に続く領域から前記仮想配置テーブル構造を再生するように、前記ドライブ装置に指示することがありえる。【００６６】  前記少なくとも１つの第２トラックには、前記ファイル構造のうち所定の情報がさらに記録されており、
前記第３指示部は、前記所定の情報を前記少なくとも１つの第２トラックから再生するように、前記ドライブ装置に指示することがありえる。【００６７】  本発明のホスト装置は、追記型記録媒体から情報を再生する再生装置に備えられたホスト装置であって、前記追記型記録媒体は、ディスク管理情報領域とボリューム空間とを含み、前記ボリューム空間には、少なくとも１つの第１トラックと少なくとも１つの第２トラックとが割り付けられており、前記少なくとも１つの第１トラックには、ファイルが記録されており、前記少なくとも１つの第２トラックには、前記ファイルを管理するファイル構造が記録されており、前記ボリューム空間には、前記ファイル構造の記録位置を管理する仮想配置テーブル構造が記録されており、前記ディスク管理情報領域には、前記少なくとも１つの第１トラックと前記少なくとも１つの第２トラックとを管理するトラック管理情報が記録されており、前記再生装置は、前記追記型記録媒体から前記情報を再生するドライブ装置をさらに備え、前記ホスト装置は、前記トラック管理情報を前記ディスク管理情報領域から再生するよう前記ドライブ装置に指示する第１指示部と、前記トラック管理情報に基づいて前記仮想配置テーブル構造を前記ボリューム空間から再生するよう前記ドライブ装置に指示する第２指示部と、前記ファイル構造を前記少なくとも１つの第２トラックから再生するよう前記ドライブ装置に指示する第３指示部と、前記ファイルを前記少なくとも１つの第１トラックから再生するよう前記ドライブ装置に指示する第４指示部とを備え、これにより上記目的を達成することができる。【００６８】  前記少なくとも１つの第２トラックには、前記ファイル構造のうち所定の情報がさらに記録されており、前記第３指示部は、前記所定の情報を前記少なくとも１つの第２トラックから再生するよう前記ドライブ装置に指示することがありえる。【００６９】  本発明の再生方法は、追記型記録媒体から情報を再生する再生方法であって、前記追記型記録媒体は、ディスク管理情報領域とボリューム空間とを含み、前記ボリューム空間には、少なくとも１つの第１トラックと少なくとも１つの第２トラックとが割り付けられており、前記少なくとも１つの第１トラックには、ファイルが記録されており、前記少なくとも１つの第２トラックには、前記ファイルを管理するファイル構造が記録されており、前記ボリューム空間には、前記ファイル構造の記録位置を管理する仮想配置テーブル構造が記録されており、前記ディスク管理情報領域には、前記少なくとも１つの第１トラックと前記少なくとも１つの第２トラックとを管理するトラック管理情報が記録されており、前記トラック管理情報を前記ディスク管理情報領域から再生するよう指示する第１指示ステップと、前記トラック管理情報を前記ディスク管理情報領域から再生する第１再生ステップと、前記トラック管理情報に基づいて、前記仮想配置テーブル構造を前記ボリューム空間から再生するよう指示する第２指示ステップと、前記仮想配置テーブル構造をボリューム空間から再生する第２再生ステップと、前記ファイル構造を前記少なくとも１つの第２トラックから再生するよう指示する第３指示ステップと、前記ファイル構造を前記少なくとも１つの第２トラックから再生する第３ステップと、前記ファイルを前記少なくとも１つの第１トラックから再生するよう指示する第４指示ステップと、前記ファイルを前記少なくとも１つの第１トラックから再生する第４再生ステップとを包含し、これにより上記目的を達成することができる。【００７０】  本発明の指示方法は、追記型記録媒体から情報を再生する再生装置に備えられたホスト装置によって実行される指示方法であって、前記追記型記録媒体は、ディスク管理情報領域とボリューム空間とを含み、前記ボリューム空間には、少なくとも１つの第１トラックと少なくとも１つの第２トラックとが割り付けられており、前記少なくとも１つの第１トラックには、ファイルが記録されており、前記少なくとも１つの第２トラックには、前記ファイルを管理するファイル構造が記録されており、前記ボリューム空間には、前記ファイル構造の記録位置を管理する仮想配置テーブル構造が記録されており、前記ディスク管理情報領域には、前記少なくとも１つの第１トラックと前記少なくとも１つの第２トラックとを管理するトラック管理情報が記録されており、前記トラック管理情報を前記ディスク管理情報領域から再生するよう指示する第１指示ステップと、前記トラック管理情報に基づいて、前記仮想配置テーブル構造を前記ボリューム空間から再生するよう指示する第２指示ステップと、前記ファイル構造を前記少なくとも１つの第２トラックから再生するよう指示する第３指示ステップと、前記ファイルを前記少なくとも１つの第１トラックから再生するよう指示する第４指示ステップとを包含し、これにより上記目的を達成することができる。【００７１】  本発明のプログラムは、追記型記録媒体から情報を再生する再生処理手順を再生装置によって実行するためのプログラムであって、前記追記型記録媒体は、ディスク管理情報領域とボリューム空間とを含み、前記ボリューム空間には、少なくとも１つの第１トラックと少なくとも１つの第２トラックとが割り付けられており、前記少なくとも１つの第１トラックには、ファイルが記録されており、前記少なくとも１つの第２トラックには、前記ファイルを管理するファイル構造が記録されており、前記ボリューム空間には、前記ファイル構造の記録位置を管理する仮想配置テーブル構造が記録されており、前記ディスク管理情報領域には、前記少なくとも１つの第１トラックと前記少なくとも１つの第２トラックとを管理するトラック管理情報が記録されており、前記再生処理手順は、前記トラック管理情報を前記ディスク管理情報領域から再生するよう指示する第１指示ステップと、前記トラック管理情報を前記ディスク管理情報領域から再生する第１再生ステップと、前記トラック管理情報に基づいて、前記仮想配置テーブル構造を前記ボリューム空間から再生するよう指示する第２指示ステップと、前記仮想配置テーブル構造を前記ボリューム空間から再生する再生する第２再生ステップと、前記ファイル構造を前記少なくとも１つの第２トラックから再生するよう指示する第３指示ステップと、前記ファイル構造を前記少なくとも１つの第２トラックから再生する第３再生ステップと、前記ファイルを前記少なく��も１つの第１トラックから再生するよう指示する第４指示ステップと前記ファイルを前記少なくとも１つの第１トラックから再生する第４再生ステップとを包含し、これにより上記目的を達成することができる。【００７２】  本発明のプログラムは、追記型記録媒体から情報を再生する再生装置に備えられたホスト装置によって指示処理手順を実行するためのプログラムであって、前記追記型記録媒体は、ディスク管理情報領域とボリューム空間とを含み、前記ボリューム空間には、少なくとも１つの第１トラックと少なくとも１つの第２トラックとが割り付けられており、前記少なくとも１つの第１トラックには、ファイルが記録されており、前記少なくとも１つの第２トラックには、前記ファイルを管理するファイル構造が記録されており、前記ボリューム空間には、前記ファイル構造の記録位置を管理する仮想配置テーブル構造が記録されており、前記ディスク管理情報領域には、前記少なくとも１つの第１トラックと前記少なくとも１つの第２トラックとを管理するトラック管理情報が記録されており、前記指示処理手順は、前記トラック管理情報を前記ディスク管理情報領域から再生するよう指示する第１指示ステップと、前記トラック管理情報に基づいて、前記仮想配置テーブル構造を前記ボリューム空間から再生するよう指示する第２指示ステップと、前記ファイル構造を前記少なくとも１つの第２トラックから再生するよう指示する第３指示ステップと、前記ファイルを前記少なくとも１つの第１トラックから再生するよう指示する第４指示ステップとを包含し、これにより上記目的を達成することができる。【００７３】  本発明の集積回路は、追記型記録媒体から情報を再生する再生装置に備えられた集積回路であって、前記追記型記録媒体は、ディスク管理情報領域とボリューム空間とを含み、前記ボリューム空間には、少なくとも１つの第１トラックと少なくとも１つの第２トラックとが割り付けられており、前記少なくとも１つの第１トラックには、ファイルが記録されており、前記少なくとも１つの第２トラックには、前記ファイルを管理するファイル構造が記録されており、前記ボリューム空間には、前記ファイル構造の記録位置を管理する仮想配置テーブル構造が記録されており、前記ディスク管理情報領域には、前記少なくとも１つの第１トラックと前記少なくとも１つの第２トラックとを管理するトラック管理情報が記録されており、前記再生装置は、前記追記型記録媒体から前記情報を再生するドライブ装置をさらに備え、前記集積回路は、前記トラック管理情報を前記ディスク管理情報領域から再生するよう前記ドライブ装置に指示するための第１指示部と、前記トラック管理情報に基づいて、前記仮想配置テーブル構造を前記ボリューム空間から再生するよう前記ドライブ装置に指示するための第２指示と、前記ファイル構造を前記少なくとも１つの第２トラックから再生するよう前記ドライブ装置に指示するための第３指示部と、前記ファイルを前記少なくとも１つの第１トラックから再生するよう前記ドライブ装置に指示するための第４指示部とを備え、これにより上記目的を達成することができる。【００７４】  本発明の追記型記録媒体は、情報が記録されるように構成されて��る追記型記録媒体であって、前記追記型記録媒体は、ディスク管理情報領域とボリューム空間とを含み、前記ボリューム空間は、少なくとも１つの第１トラックと少なくとも１つの第２トラックとが割り付けられるように構成されており、前記少なくとも１つの第１トラックは、ファイルが記録されるように構成されており、前記少なくとも１つの第２トラックは、前記ファイルを管理するファイル構造が記録されるように構成されており、前記ボリューム空間は、前記ファイル構造の記録位置を管理する仮想配置テーブル構造が記録されるように構成されており、前記ディスク管理情報領域は、前記少なくとも１つの第１トラックと前記少なくとも１つの第２トラックとを管理するトラック管理情報が記録されるように構成されており、これにより上記目的を達成することができる。
【発明の効果】
【００７５】  本発明によれば、ボリューム空間にトラックを割り付け、特定のトラックに対してのみファイル構造を記録する。したがって、アクセス頻度を低減させることが可能となり、ファイル構造への高速なアクセスが実現される。【００７６】  また、本発明によれば、ファイル構造の複製を記録することによって、情報記録媒体の信頼性を向上させることができる。
【図面の簡単な説明】
【００７７】［図１Ａ］図１Ａは、本発明の実施の形態１の追記型記録媒体１００の外観を示す図である。
［図１Ｂ］図１Ｂは、本発明の実施の形態１の追記型記録媒体１００に記録されているデータのデータ構造の一例を示す図である。
［図１Ｃ］図１Ｃは、ユーザ領域１０８の詳細を示す図である。
［図２Ａ］図２Ａは、セッション管理情報２００のデータ構造を示す図である。
［図２Ｂ］図２Ｂは、複数のトラック管理情報２１０のうちの１つのデータ構造を示す図である。
［図３］図３は、追記型記録媒体１００のデータ構造の一例を示す図である。
［図４］図４は、追記型記録媒体１００のデータ構造の他の一例を示す図である。
［図５］図５は、追記型記録媒体１００のデータ構造の他の一例を示す図である。
［図６］図６は、追記型記録媒体１００のデータ構造の他の一例を示す図である。
［図７］図７は、本発明の実施の形態の記録再生装置３００を示す図である。
［図８］図８は、本発明の実施の形態のフォーマット処理手順を示すフローチャートである。
［図９］図９は、本発明の実施の形態のファイルの記録処理手順を示すフローチャートである。
［図１０］図１０は、本発明の実施の形態１の再生処理手順を示すフローチャートである。
［図１１］図１１は、追記型記録媒体１００のデータ構造の一例を示す図である。
［図１２］図１２は、追記型記録媒体１００のデータ構造の他の一例を示す図である。
［図１３］図１３は、ファイルおよびディレクトリ階層構造を示す図である。
［図１４］図１４は、従来の記録媒体１０１００の一例であるＤＶＤ−Ｒディスク上のフォーマット処理直後のデータを示す図である。
［図１５］図１５は、ファイルおよびディレクトリ構造のうちディレクトリ（Ｄｉｒ−Ａ）とデータファイル（Ｆｉｌｅ−ａ）とを記録する手順を説明するための図である図である。
［図１６］図１６は、ファイルおよびディレクトリ構造のうちのディレクトリ（Ｄｉｒ−Ｂ）とデータファイル（Ｆｉｌｅ−ｂ）との記録処理手順を説明するための図である。
［図１７］図１７は、再生処理手順を示すフローチャートである。
【符号の説明】
【００７８】１００  追記型記録媒体
１０１  リードイン領域
１０２  データ領域
１０３  リードアウト領域
１０４  第１ディスク管理情報領域
１０５  第２ディスク管理情報領域
３００  記録再生装置
３０１  システム制御部
３０２  第１メモリ回路
３０３  Ｉ／Ｏバス
３０４  磁気ディスク装置
３０５  ホスト装置
３１０  ドライブ装置
３１１  ドライブ制御部
３１２  第２メモリ回路
３１３  内部バス
３１４  記録再生部
【発明を実施するための最良の形態】
【００７９】  以下、図面を参照して、本発明の実施の形態を説明する。【００８０】 １．実施の形態１
１−１．追記型記録媒体
図１は、本発明の実施の形態１の追記型記録媒体１００を示す。【００８１】  図１Ａは、本発明の実施の形態１の追記型記録媒体１００の外観を示す。追記型記録媒体１００には、追記型記録媒体１００の最内周にリードイン領域１０１が、追記型記録媒体１００の最外周にリードアウト領域１０３が、リードイン領域１０１とリードアウト領域１０３との間にデータ領域１０２が割り付けられている。リードイン領域１０１とデータ領域１０２とリードアウト領域１０３とは、同心円状である。【００８２】  リードイン領域１０１には、例えば、光ピックアップが追記型記録媒体１００にアクセスする時に必要な基準情報と、追記型記録媒体１００と他の追記型記録媒体との識別情報とが記録されている。リードアウト領域１０３にも、リードイン領域１０１と同様の情報が記録されている。【００８３】  データ領域１０２は、最小のアクセス単位であるセクタに分割されている。複数のセクタからなるＥＣＣブロック（または、ＥＣＣクラスタ）を最小の単位としてデータが記録または再生される。【００８４】  図１Ｂは、本発明の実施の形態１の追記型記録媒体１００に記録されているデータのデータ構造の一例を示す。図１Ｂでは、リードイン領域１０１とデータ領域１０２とリードアウト領域１０３とが横方向に表されている。【００８５】  リードイン領域１０１は、第１ディスク管理情報領域１０４を含む。リードアウト領域１０３は、第２ディスク管理情報領域１０５を含む。第１ディスク管理情報領域１０４および第２ディスク管理情報領域１０５のそれぞれには、ディスク管理情報（例えば、交替情報、セッション管理情報、トラック管理情報、空き領域管理情報）が記録される。交替情報は、例えば、交替元（欠陥セクタ（または欠陥ＥＣＣブロック））の位置を示す交替元位置情報と、交替先の位置を示す交替先位置情報とを含む。トラック管理情報の詳細は、後述される。【００８６】  データ領域１０２は、内周交替領域１０６と外周交替領域１０７とユーザ領域１０８とを含む。ユーザ領域１０８に欠陥領域が存在する場合には、内周交替領域１０６と外周交替領域１０７とのうちの少なくとも一部が欠陥領域の代わりに使用される。例えば、ユーザ領域１０８に欠陥セクタが存在する場合には、内周交替領域１０６と外周交替領域１０７とのうちの少なくとも一部が代替セクタとして使用される。内周交替領域１０６と外周交替領域１０７とのうちの少なくとも一部には、ユーザ領域１０８に記録された情報に関連する情報が記録される。【００８７】  なお、内周交替領域１０６および外周交替領域１０７のうちの少なくとも一方には、追加のディスク管理情報領域が設けられることがあり得る。追加のディスク管理情報領域には、ディスク管理情報が記録される。【００８８】  図１Ｃは、ユーザ領域１０８の詳細を示す。ユーザ領域１０８には、少なくとも１つのセッション（例えば、セッション＃１およびセッション＃２）が割り付けられている。少なくとも１つのセッションは、セッション管理情報を参照することによって、管理される。少なくとも１つのセッションのそれぞれには、少なくとも１つのトラックが割り付けられている。例えば、セッション＃１には、トラック＃１と��ラック＃２とが、セッション＃２には、トラック＃３とトラック＃４とが割り付けられている。少なくとも１つのトラックのそれぞれの開始位置および最終記録域は、トラック管理情報を参照することによって、管理される。【００８９】  ユーザ領域１０８に記録されるユーザデータの管理はファイルシステムを参照することによって行われる。ファイルシステムを参照することによって管理する空間をボリューム空間１０９と呼ぶ。【００９０】  なお、以下の説明においては、ファイルシステムを構成するボリューム／ファイル構造は、例えば、ＩＳＯ／ＩＥＣ１３３４６規格あるいはＵＤＦ（Ｕｎｉｖｅｒｓａｌ  Ｄｉｓｋ  Ｆｏｒｍａｔ）規格に規定されている。【００９１】  図２は、ディスク管理情報領域（図１Ｂ参照）に記録される情報のデータ構造を示す。ディスク管理情報領域には、ディスク管理情報が記録される。ディスク管理情報は、交替情報、セッション管理情報２００、トラック管理情報２１０および空き領域管理情報２２０を含む。【００９２】  図２Ａは、セッション管理情報２００のデータ構造を示す。セッション管理情報２００は、ヘッダ情報２０１と複数のトラック管理情報（トラック管理情報＃１、＃２、＃３、＃４）とを含む。ヘッダ情報２０１は、セッション管理情報２００の識別子、複数のトラック管理情報２１０の数を示す情報２０２を含む。ヘッダ情報２０１は、例えば、記録可能トラックのトラック番号（記録可能トラック番号２０３、２０４）を示す情報を含む。何らかの理由（例えば、未記録領域が存在しない、ユーザの指示、等）により、記録可能でなくなったトラック、すなわち記録不可能トラックのトラック番号を示す情報は、ヘッダ情報２０１には含まれない。【００９３】  複数のトラック管理情報（トラック管理情報＃１、＃２、＃３、＃４）は複数のトラック（トラック＃１、＃２、＃３、＃４）（図１Ｃ参照）に対応する。【００９４】  図２Ｂは、複数のトラック管理情報２１０のうちの１つのデータ構造を示す。トラック管理情報２１０は、対応するトラックがセッションの先頭トラックであるかどうかを示すセッション開始情報２１１、トラックの開始位置を示すトラック開始位置情報２１２、トラック内で最後にデータが記録された位置を示す最終データ記録位置情報２１３を含む。【００９５】  トラック管理情報２１０が管理するトラックがセッションの先頭に位置する場合は、セッション開始情報２１１はそのことを示す値（例えば「１」）に設定される。トラック管理情報２１０が管理するトラックがセッションの先頭に位置しない場合は、セッション開始情報２１１は異なる値（例えば「０」）に設定される。【００９６】  トラック開始位置情報２１２は、例えば、対応するトラックの開始位置を示す物理アドレスである。【００９７】  最終データ記録位置情報２１３は、例えば、対応するトラックで最後にデータが記録された位置を示す最終物理アドレスである。記録可能トラック番号と最終データ記録位置情報２１３の情報を調べることにより、追記型記録媒体１００の空き領域を知ることが出来る。【００９８】  本実施の形態においては、トラック毎にデータの記録が可能である。データの記録は、複数のトラックのそれぞれの��頭から行われ、トラック内においては連続的にデータが配置される。データの記録が行われると、最後に記録された位置が最終データ記録位置情報２１３に反映される。【００９９】  そして、次に記録を再開する場合は、最新の最終データ記録位置情報２１３の値を調べることにより、次の記録開始位置を知ることができる。一般には次の記録開始位置は、最終データ記録位置情報２１３で示される物理セクタの次の物理セクタである。あるいは、追記型記録媒体１００に、ＥＣＣブロックを最小単位としてデータが記録される場合は、最終データ記録位置情報２１３で示される物理セクタを含むＥＣＣブロックの次のＥＣＣブロックが次の記録開始位置である。【０１００】  図３は、追記型記録媒体１００のデータ構造の一例を示す。図３において、図１を参照して説明された領域と同一の領域には同一の参照符号を付し、その説明を省略する。【０１０１】  ボリューム空間１０９には、トラック＃１  ４０１とトラック＃２  ４０２とが割り付けられている。【０１０２】  トラック＃１  ４０１は、ボリューム構造が記録されるボリューム構造領域４１０と、ファイル構造が記録される第１ファイル構造領域４２０と、ＶＡＴ構造が記録される第１ＶＡＴ構造領域４３０と、未記録領域４５０とを含む。フォーマット処理手順が実行されることによって、ボリューム構造領域４１０にはボリューム構造が記録され、第１ファイル構造領域４２０にはファイル構造（例えば、ファイル集合記述子４２１、ＦＥ（ＲＯＯＴ）４２２）が記録され、第１ＶＡＴ構造領域４３０にはＶＡＴ構造（例えば、ＶＡＴ４３１、ＶＡＴ  ＩＣＢ４３２）が記録される。なお、フォーマット処理手順の詳細は、後述される。【０１０３】  ＶＡＴ構造（仮想配置テーブル構造）は、ＶＡＴ（仮想配置テーブル）とＶＡＴ  ＩＣＢとを含む。ＶＡＴ構造は、ファイル構造の記録位置を管理する。ＶＡＴは、追記形記録媒体におけるファイル構造の更新処理を簡素化することを目的としてＵＤＦ規格で規定されている。ＶＡＴは、記録位置である論理アドレス空間上の論理アドレスと、仮想アドレスとの対応関係を保持する。ＶＡＴを用いる場合、ＦＥのようなファイル構造データのボリューム空間上での記録位置が、仮想アドレス空間上の仮想アドレスを用いて指定される。ＶＡＴの記録位置は、データが記録された領域の終端セクタに割り付けられるＶＡＴ  ＩＣＢにより指定される。【０１０４】  ＶＡＴ構造により、ＤＶＤ−Ｒディスクのような書換えができない記録媒体を対象としても、仮想的にデータの書換えが実現される。【０１０５】  第１ＶＡＴ構造領域４３０と未記録領域４５０との境界位置は、最終データ記録位置４４０であり、最終データ記録位置４４０を示す情報がトラック管理情報として第１ディスク管理情報領域１０４に記録されている。【０１０６】  トラック＃２  ４０２は、未記録領域４６０を含む。データファイルの記録処理手順が実行されることによって、未記録領域４６０には、データファイルが記録され、未記録領域４５０には、記録されたデータファイルを管理するファイル構造が記録される。なお、データファイルの記録処理手順の詳細は、後述される。【０１０７】  未記録領域４５０と未記録領域４６０との境界位置は、最終データ記録位置４４１であり、最終データ記録位置４４１を示す情報がトラック管理情報として第１ディスク管理情報領域１０４に記録されている。【０１０８】  図４は、追記型記録媒体１００のデータ構造の他の一例を示す。図４において、図１および図３を参照して説明された領域と同一の領域には同一の参照符号を付し、その説明を省略する。さらに、図４において、図１および図３を参照して説明された情報、データと同一の情報、データには同一の参照符号を付し、その説明を省略する。なお、図４を参照して説明するデータ構造を有する追記型記録媒体１００は、図３を参照して説明したデータ構造を有する追記型記録媒体１００に対してファイル（具体的には、第１データファイル（Ｆｉｌｅ−ａ）５１０）の記録処理手順を実行することによって作成される。【０１０９】  トラック＃１  ４０１は、ファイル構造が記録される第２ファイル構造領域５００をさらに含む。第１データファイル（Ｆｉｌｅ−ａ）５１０の記録処理手順が実行されることによって、第２ファイル構造領域５００にはファイル構造（例えば、第１データファイル（Ｆｉｌｅ−ａ）５１０の記録位置を示すＦＥ（Ｆｉｌｅ−ａ）５０１、ＦＥ（Ｄｉｒ−Ａ）５０２、ＦＥ（ＲＯＯＴ）５０３）が記録される。【０１１０】  第２ファイル構造領域５００と未記録領域４５０との境界位置は、最終データ記録位置５３０であり、最終データ記録位置５３０を示す情報がトラック管理情報として第１ディスク管理情報領域１０４に記録される。【０１１１】  トラック＃２  ４０２は、第１データファイル（Ｆｉｌｅ−ａ）５１０と第２ＶＡＴ構造領域５２０とをさらに含む。第１データファイル（Ｆｉｌｅ−ａ）５１０の記録処理手順が実行されることによって、未記録領域４６０には、第１データファイル（Ｆｉｌｅ−ａ）５１０が記録され、第２ファイル構造領域５００には、第１データファイル（Ｆｉｌｅ−ａ）５１０を管理するファイル構造（ＦＥ（Ｆｉｌｅ−ａ）５０１、ＦＥ（Ｄｉｒ−Ａ）５０２、ＦＥ（ＲＯＯＴ）５０３）が記録され、さらに、第２ＶＡＴ構造領域５２０には、ＶＡＴ５２１およびＶＡＴ  ＩＣＢ５２２が記録される。【０１１２】  第２ＶＡＴ構造領域５２０と未記録領域４６０との境界位置は、最終データ記録位置５３１であり、最終データ記録位置５３１を示す情報がトラック管理情報として第１ディスク管理情報領域１０４に記録される。【０１１３】  図５は、追記型記録媒体１００のデータ構造の他の一例を示す。図５において、図１、図３および図４を参照して説明された領域と同一の領域には同一の参照符号を付し、その説明を省略する。さらに、図５において、図１、図３および図４を参照して説明された情報、データと同一の情報、データには同一の参照符号を付し、その説明を省略する。なお、図５を参照して説明するデータ構造を有する追記型記録媒体１００は、図４を参照して説明したデータ構造を有する追記型記録媒体１００に対してファイルの記録処理手順を実行し、第１データファイル（Ｆｉｌｅ−ａ）５１０を第２データファイル（Ｆｉｌｅ−ａ）６１０に書き換えることによって作成される。【０１１４】  トラック＃１  ４０１は、ファイル構造��記録される第３ファイル構造領域６００をさらに含む。第２データファイル（Ｆｉｌｅ−ａ）６１０の記録処理手順が実行されることによって、第３ファイル構造領域６００にはファイル構造（例えば、第２データファイル（Ｆｉｌｅ−ａ）６１０の記録位置を示すＦＥ（Ｆｉｌｅ−ａ）６０１）が記録される。【０１１５】  第３ファイル構造領域６００と未記録領域４５０との境界位置は、最終データ記録位置６３０であり、最終データ記録位置６３０を示す情報がトラック管理情報として第１ディスク管理情報領域１０４に記録される。【０１１６】  トラック＃２  ４０２は、第２データファイル（Ｆｉｌｅ−ａ）６１０と第３ＶＡＴ構造領域６２０とをさらに含む。第２データファイル（Ｆｉｌｅ−ａ）６１０の記録処理手順が実行されることによって、未記録領域４６０には、第２データファイル（Ｆｉｌｅ−ａ）６１０が記録され、第３ファイル構造領域６００には、第２データファイル（Ｆｉｌｅ−ａ）６１０を管理するファイル構造（ＦＥ（Ｆｉｌｅ−ａ）６０１）が記録され、さらに、第３ＶＡＴ構造領域６２０には、ＶＡＴ６２１およびＶＡＴ  ＩＣＢ６２２が記録される。【０１１７】  第３ＶＡＴ構造領域６２０と未記録領域４６０との境界位置は、最終データ記録位置６３１であり、最終データ記録位置６３１を示す情報がトラック管理情報として第１ディスク管理情報領域１０４に記録される。【０１１８】  以上、図５を参照して説明したように、追記型記録媒体１００に対してファイルの記録処理手順を実行することによって、追記型記録媒体１００にファイルを追記することができる。なお、ファイルの記録処理手順によってファイルを追記していくと、トラック＃１  ４０１にファイル構造を記録できなくなる。未記録領域４５０が無くなるからである。未記録領域４５０が無くなった場合には、未記録領域４６０に新たなトラックを割り付けることによって、ファイルおよびファイル構造を記録することが可能になる。【０１１９】  図６は、追記型記録媒体１００のデータ構造の他の一例を示す。図６において、図１、図３、図４および図５を参照して説明された領域と同一の領域には同一の参照符号を付し、その説明を省略する。さらに、図６において、図１、図３、図４および図５を参照して説明された情報、データと同一の情報、データには同一の参照符号を付し、その説明を省略する。なお、図６を参照して説明するデータ構造を有する追記型記録媒体１００は、図５を参照して説明したデータ構造を有する追記型記録媒体１００の未記録領域４６０に対してトラック＃３  ８１０およびトラック＃４  ８１１を割り付け、さらに第３データファイル（Ｆｉｌｅ−ｂ）８２０の記録処理手順を実行することによって作成される。【０１２０】  ボリューム空間１０９は、トラック＃１  ４０１と、トラック＃２  ４０２と、トラック＃３  ８１０と、トラック＃４  ８１１とを含む。【０１２１】  トラック＃１  ４０１には、未記録領域が含まれていない。トラック＃１  ４０１の全ての領域にファイル構造領域およびＶＡＴ構造領域が割り付けられているからである。トラック＃１  ４０１とトラック＃２  ４０２との境界位置は、最終データ記録位置８００であり、最終データ記録位置���００を示す情報がトラック管理情報として第１ディスク管理情報領域１０４に記録される。【０１２２】  トラック＃２  ４０２には、未記録領域が含まれていない。トラック＃２  ４０２は、トラック＃３  ８１０の割り付けに伴って閉じているからである。トラック＃２  ４０２とトラック＃３  ８１０との境界位置は、最終データ記録位置８０１であり、最終データ記録位置８０１を示す情報がトラック管理情報として第１ディスク管理情報領域１０４に記録される。【０１２３】  トラック＃３  ８１０は、ファイル構造が記録される第４ファイル構造領域８３０および未記録領域８６１を含む。第３データファイル（Ｆｉｌｅ−ｂ）８２０の記録処理手順が実行されることによって、第４ファイル構造領域８３０にはファイル構造（例えば、第３データファイル（Ｆｉｌｅ−ｂ）８２０の記録位置を示すＦＥ（Ｆｉｌｅ−ｂ）８３１、ＦＥ（Ｄｉｒ−Ｂ）８３２、ＦＥ（ＲＯＯＴ）８３３）が記録される。【０１２４】  第４ファイル構造領域８３０と未記録領域８６１との境界位置は、最終データ記録位置８５０であり、最終データ記録位置８５０を示す情報がトラック管理情報として第１ディスク管理情報領域１０４に記録される。【０１２５】  トラック＃４  ８１１は、第３データファイル（Ｆｉｌｅ−ｂ）８２０と第４ＶＡＴ構造領域８４０と未記録領域４６０をさらに含む。第３データファイル（Ｆｉｌｅ−ｂ）８２０の記録処理手順が実行されることによって、トラック＃４  ８１１には、第３データファイル（Ｆｉｌｅ−ｂ）８２０が記録され、第４ファイル構造領域８３０には、第３データファイル（Ｆｉｌｅ−ｂ）８２０を管理するファイル構造（ＦＥ（Ｆｉｌｅ−ｂ）８３１）が記録され、さらに、第４ＶＡＴ構造領域８４０には、ＶＡＴ８４１およびＶＡＴ  ＩＣＢ８４２が記録される。【０１２６】  第４ＶＡＴ構造領域８４０と未記録領域４６０との境界位置は、最終データ記録位置８５１であり、最終データ記録位置８５１を示す情報がトラック管理情報として第１ディスク管理情報領域１０４に記録される。【０１２７】  なお、図６に示されるデータ構造を有する情報記録媒体１００に対して、クローズ処理手順を実行することがあり得る。さらに、図６に示すデータ構造が記録された情報記録媒体１００に対する更なるファイルの追加記録を禁止する場合には、未記録領域４６０にリードアウト領域を割り付けることがあり得る。【０１２８】 １−２．記録再生装置
図７は、本発明の実施の形態の記録再生装置３００を示す。記録再生システム３００は、ホスト装置３０５と、ドライブ装置３１０とを備える。ホスト装置３０５は、例えば、コンピュータシステムあるいはパーソナルコンピュータであり得る。情報記録再生システム３００は、記録装置、再生装置および記録再生装置のうちの１つとして機能する。【０１２９】  ホスト装置３０５は、システム制御部３０１と、第１メモリ回路３０２と、磁気ディスク装置３０４と、Ｉ／Ｏバス３０３とを備える。ドライブ装置３１０を介してホスト装置３０５と追記型記録媒体１００との間でデータが転送される。【０１３０】  システム制御部３０１は、第１メモリ回路３０２と磁気ディスク装置３０４とを制御する。システム制御部３０１は、例えば、第１メモリ回路３０２が磁気ディスク装置３０４とドライブ装置３１０との両方にデータを転送するように、第１メモリ回路３０２を制御する。【０１３１】  システム制御部３０１は、演算用メモリを含むマイクロプロセッサを含み、システムの制御プログラムを実行する。システム制御部３０１は、例えば、ファイルシステムのボリューム構造／ファイル構造の記録・再生、ＶＡＴ構造の記録・再生、ファイルの記録・再生およびリードイン／リードアウト領域に対するデータの記録・再生を行う。【０１３２】  例えば、システム制御部３０１は、複数のトラックをボリューム空間１０９に割り付けるようドライブ装置３１０に指示する。さらに、システム制御部３０１は、ファイルを複数のトラックのうちの１つに記録するようドライブ装置３１０に指示する。さらに、システム制御部３０１は、ファイルを管理するファイル構造を複数のトラックのうちの１つに記録するようドライブ装置３１０に指示する。さらに、システム制御部３０１は、ファイル構造の記録位置を管理する仮想配置テーブル構造をボリューム空間１０９に記録するようドライブ装置３１０に指示する。さらに、システム制御部３０１は、複数のトラックを管理するトラック管理情報を第１ディスク管理情報領域１０４に記録するようドライブ装置３１０に指示する。【０１３３】  さらに、例えば、システム制御部３０１は、複数のトラックを管理するトラック管理情報をディスク管理情報領域から再生するようドライブ装置３１０に指示する。さらに、システム制御部３０１は、トラック管理情報に基づいて仮想配置テーブル構造をボリューム空間１０９から再生するようドライブ装置３１０に指示する。さらに、システム制御部３０１は、ファイル構造を複数のトラックのうちの一つから再生するようドライブ装置３１０に指示する。さらに、システム制御部３０１は、ファイルを複数のトラックのうちの一つから再生するようドライブ装置３１０に指示する。【０１３４】  第１メモリ回路３０２は、ボリューム構造、ファイル構造、ＶＡＴ構造およびファイルの演算や一時保存に使用される。【０１３５】  ドライブ装置３１０は、ドライブ制御部３１１と、第２メモリ回路３１２と、内部バス３１３と、記録再生部３１４とを備える。記録再生部３１４は、例えば、ヘッド部であり得る。ドライブ装置３１０は、追記型記録媒体１００を搭載可能に構成されている。ドライブ装置３１０は、追記型記���媒体１００との間でデータを転送する。【０１３６】  ドライブ制御部３１１は、演算用メモリを含むマイクロプロセッサを含み、ドライブの制御プログラムを実行する。ドライブ制御部３１１は、ディスク管理情報領域や交替領域に対するデータの記録・再生、疑似上書き記録・再生の処理の制御や演算を行う。ドライブ制御部３１１は、第２メモリ回路３１２と記録再生部３１４とを制御する。ドライブ制御部３１１は、例えば、第２メモリ回路３１２と記録再生部３１４とが追記型記録媒体１００に情報を記録するように、さらに、第２メモリ回路３１２と記録再生部３１４とが追記型記録媒体１００から情報を再生するように第２メモリ回路３１２と記録再生部３１４とを制御する。【０１３７】  なお、システム制御部３０１およびドライブ制御部３１１は、ＬＳＩ等の集積回路によって実現されてもよいし、汎用プロセッサとメモリ（例えばＲＯＭ）とによって実現されてもよい。メモリ（例えばＲＯＭ）にはコンピュータ（例えば汎用プロセッサ）が実行可能なプログラムが格納されている。このプログラムは本発明のフォーマット処理手順、ファイルの記録処理手順、クローズ処理手順および再生処理手順を示し、コンピュータ（例えば汎用プロセッサ）はこのプログラムに従って、これらの処理手順を実行する。【０１３８】 １−３．記録処理手順
１−３−１．フォーマット処理手順
図８は、本発明の実施の形態のフォーマット処理手順を示す。図７を参照して説明された記録再生装置３００がフォーマット処理手順を実行することによって、記録再生装置３００は、図３に示されたデータ構造を有する追記型記録媒体１００を作成できる。【０１３９】  以下、図３と図７と図８とを参照して、本発明の実施の形態のフォーマット処理手順をステップごとに説明する。【０１４０】  ステップＳ１０１：ホスト装置３０５のシステム制御部３０１は、ユーザ領域１０８へのトラックの割り付けをドライブ装置３１０に指示する。ドライブ装置３１０は、トラックをユーザ領域１０８に割り付ける。【０１４１】  具体的には、システム制御部３０１は、トラック＃１  ４０１とトラック＃２  ４０２との割り付けを指示する。ドライブ装置３１０は、トラック＃１  ４０１とトラック＃２  ４０２とをユーザ領域１０８に割り付けるように、ヘッド部３１４を制御する。【０１４２】  ステップＳ１０２：システム制御部３０１は、ボリューム構造を第１メモリ回路３０２に作成し、作成されたボリューム構造をボリューム構造領域４１０に記録するようドライブ装置３１０に指示する。ドライブ装置３１０は、第１メモリ回路３０２から転送されたボリューム構造をボリューム構造領域４１０に記録する。【０１４３】  ボリューム構造は、ＩＳＯ／ＩＥＣ  １３３４６規格およびＵＤＦ規格のＶＡＴ方式に準拠する。ボリューム構造は、例えば、ボリューム空間１０９の管理情報を保持するための記述子を含む。【０１４４】  ステップＳ１０３：システム制御部３０１は、ファイル構造を第１メモリ回路３０２に作成し、作成されたファイル構造をファイル構造領域４２０に記録するようドライブ装置３１０に指示する。ファイル構造は、ファイル集合記述子４２１と、ＲＯＯＴディレクトリと、ルートディレクトリを管理するＦＥ（ＲＯＯＴ）４２２とを含む。【０１４５】  ドライブ装置３１０は、第１メモリ回路３０２から転送されたファイル構造をファイル構造領域４２０に記録する。【０１４６】  ステップＳ１０４：システム制御部３０１は、ＶＡＴ構造を第１メモリ回路３０２に作成し、作成されたＶＡＴ構造を第１ＶＡＴ構造領域４３０に記録するようドライブ装置３１０に指示する。ＶＡＴ構造は、ＶＡＴ４３１とＶＡＴ  ＩＣＢ４３２とを含む。【０１４７】  ドライブ装置３１０は、第１メモリ回路３０２から転送されたＶＡＴ構造を第１ＶＡＴ構造領域４３０に記録する。【０１４８】  ＶＡＴ構造が第１ＶＡＴ構造領域４３０に記録された後、処理は終了する。【０１４９】  なお、ファイル構造が記録されるトラック（例えば、トラック＃１  ４０１）の先頭位置はＥＣＣブロックに一致しており、かつ、ファイル構造が記録されるトラックの長さは、ＥＣＣブロックの整数倍の長さであることが望ましい。データの記録単位と論理的な構造が一意しており、効率的なデータアクセスが可能となるからである。【０１５０】 １−３−２．ファイルの記録処理手順
図９は、本発明の実施の形態のファイルの記録処理手順を示す。図７を参照して説明された記録再生装置３００がファイルの記録処理手順を実行することによって、図３に示されるデータ構造を有する追記型記録媒体１００にファイルが記録され、図４に示されるデータ構造を有する追記型記録媒体１００が作成される。【０１５１】  以下、図３、図４、図７および図９を参照して、本発明の実施の形態のファイルの記録処理手順をステップごとに説明する。【０１５２】  ステップＳ２０１：ホスト装置３０５のシステム制御部３０１は、記録データを準備する。【０１５３】  具体的には、システム制御部３０１は、磁気ディスク装置３０４に格納されている第１データファイル（Ｆｉｌｅ−ａ）５１０を磁気ディスク装置３０４から読み出し、第１メモリ回路３０２に転送する。さらに、システム制御部３０１は、ディレクトリファイル（Ｄｉｒ−Ａ）、ＦＥ（Ｆｉｌｅ−ａ）５０１およびＦＥ（Ｄｉｒ−Ａ）５０２を第１メモリ回路３０２に生成する。さらに、システム制御部３０１は、ディレクトリファイル（Ｄｉｒ−Ａ）の追加に従ってＲＯＯＴディレクトリの内容が更新されるため、更新されたＦＥ（ＲＯＯＴ）５０３を第１メモリ回路３０２にさらに生成する。【０１５４】  ステップＳ２０２：システム制御部３０１は、第１データファイル（Ｆｉｌｅ−ａ）５１０をトラック＃２  ４０２に記録するようドライブ装置３１０に指示する。【０１５５】  ドライブ装置３１０は、第１メモリ回路３０２から転送された第１データファイル（Ｆｉｌｅ−ａ）５１０をトラック＃２  ４０２に記録するように、ヘッド部３１４を制御する。【０１５６】  ステップＳ２０３：システム制御部３０１は、ファイル構造（ＦＥ（Ｆｉｌｅ−ａ）５０１、ＦＥ（Ｄｉｒ−Ａ）５０２、ＦＥ（ＲＯＯＴ）５０３）をトラック＃２  ４０２に記録するようドライブ装置３１０に指示する。【０１５７】  ドライブ装置３１０は、第１メモリ回路３０２から転送されたファイル構造をトラック＃２  ４０２に記録するように、ヘッド部３１４を制御する。。【０１５８】  ステップＳ２０４：システム制御部３０１は、ＶＡＴ構造を第１メモリ回路３０２に作成し、作成されたＶＡＴ構造を第２ＶＡＴ構造領域５２０に記録するようドライブ装置３１０に指示する。ＶＡＴ構造は、ＶＡＴ５２１とＶＡＴ  ＩＣＢ５２２とを含む。【０１５９】  ドライブ装置３１０は、第１メモリ回路３０２から転送されたＶＡＴ構造を第１データファイル（Ｆｉｌｅ−ａ）５１０の記録位置の直後に記録するように、ヘッド部３１４を制御する。ＶＡＴ  ＩＣＢは情報記録媒体１００の最後尾の記録位置に配置されるという（ＵＤＦ規格の）規定に従って、ＶＡＴ  ＩＣＢ５２２は記録される。【０１６０】  ステップＳ２０５：ドライブ装置３１０は、トラック管理情報を第１ディスク管理情報領域１０４に記録するように、ヘッド部３１４を制御する。【０１６１】  なお、システム制御部３０１が最終データ記録位置５３１を示す情報がトラック管理情報として第１ディスク管理情報領域１０４に記録するようドライブ装置３１０に指示する場合もありうる。【０１６２】  トラック管理情報が記録された後、処理は終了する。【０１６３】  以上、��３、図４、図７および図９を参照して、本発明の実施の形態のファイルの記録処理手順をステップごとに説明した。【０１６４】  なお、記録再生装置３００がファイルの記録処理手順を実行することによって、図４に示されるデータ構造を有する追記型記録媒体１００に第２データファイル（Ｆｉｌｅ−ａ）が記録され、図５に示されるデータ構造を有する追記型記録媒体１００が作成される。【０１６５】 １−４．再生処理手順
図１０は、本発明の実施の形態１の再生処理手順を示す。再生処理手順は、記録再生装置３００によって実現される。【０１６６】  以下、図２、図４、図７および１０を参照して、本発明の実施の形態１の再生処理手順をステップごとに説明する。【０１６７】  以下に説明されるステップを実行することによって、記録再生装置３００は、図４を参照して説明されたデータ構造を有する追記型記録媒体１００から第１データファイル（Ｆｉｌｅ−ａ）５１０を再生する。【０１６８】  ステップＳ２１１：ホスト装置３０５のシステム制御部３０１は、最終データ記録位置５３１を示す情報を得るため、第１ディスク管理情報領域１０４に記録されているトラック管理情報を再生するよう、ドライブ装置３１０に指示する。ドライブ装置３１０は、トラック管理情報を再生するように、ヘッド部３１４を制御する。【０１６９】  ステップＳ２１２：システム制御部３０１は、再生されたトラック管理情報から得た最終データ記録位置５３１の情報に基づいて、ＶＡＴ  ＩＣＢ５２２の再生をドライブ装置３１０に指示する。ドライブ装置３１０は、ＶＡＴ  ＩＣＢ５２２を再生するように、ヘッド部３１４を制御する。さらに、ドライブ装置３１０は、再生されたＶＡＴ  ＩＣＢ５２２に基づいてＶＡＴ５２１の記録位置情報を再生するように、ヘッド部３１４を制御する。【０１７０】  ステップＳ２１３：システム制御部３０１は、ＶＡＴ５２１を参照して、第２ファイル構造５００および第１データファイル（Ｆｉｌｅ−ａ）５１０を再生するようにドライブ装置３１０に指示する。【０１７１】  ドライブ装置３１０は、第２ファイル構造５００および第１データファイル（Ｆｉｌｅ−ａ）５１０を再生するように、ヘッド部３１４を制御する。【０１７２】  具体的には、目的のファイルやその管理情報が仮想アドレスを用いて管理されている場合、ＶＡＴ５２１を参照して、仮想アドレスから論理アドレスへの変換処理を行い、ファイル集合記述子４２１を起点として、ＦＥ（ＲＯＯＴ）５０３と、ＦＥ（ＲＯＯＴ）５０３に含まれたＲＯＯＴディレクトリと、ＦＥ（Ｄｉｒ−Ａ）５０２と、ＦＥ（Ｄｉｒ−Ａ）５０２に含まれたディレクトリ（Ｄｉｒ−Ａ）と、ＦＥ（Ｆｉｌｅ−ａ）５０１とが、順次読み出される。【０１７３】  ステップＳ２１４：システム制御部３０１は、第１データファイル（Ｆｉｌｅ−ａ）５１０を再生するようにドライブ装置３１０に指示する。ＦＥ（Ｆｉｌｅ−ａ）５０１から第１データファイル（Ｆｉｌｅ−ａ）５１０の記録位置が取得される。ドライブ装置３１０は、第１データファイル（Ｆｉｌｅ−ａ）５１０を再生するように、ヘッド部３１４を制御する。【０１７４】  第１データファイル（Ｆｉｌｅ−ａ）５１０が再生された後、処理は終了する。【０１７５】  なお、ファイル構造が記録されているトラックの位置が分かっているので、連続的にデータを読み出し、第１メモリ回路３０２に格納してからデータ構造を解析することがあり得る。その結果、高速で効率的なデータアクセスが可能となる。【０１７６】  再生処理手順をより簡易に実行するため、対応するトラックに記録されているデータの種別を示す情報をトラック管理情報２１０に付加することがあり得る。��えば、システム制御部３０１の指示により、ファイル構造を記録するためのトラックであるかどうかを示す識別子やフラグが記録され得る。その結果、ドライブ装置３１０よる効率的なデータアクセスが可能となる。【０１７７】 ２．実施の形態２
図１１は、追記型記録媒体１００のデータ構造の一例を示す。図１１において、図１、図３、図４、図５および図６を参照して説明された領域と同一の領域には同一の参照符号を付し、その説明を省略する。さらに、図１１において、図１、図３、図４、図５および図６を参照して説明された情報、データと同一の情報、データには同一の参照符号を付し、その説明を省略する。【０１７８】  本発明の実施の形態２によれば、追記型記録媒体１００に対して、ファイル構造（ＦＥおよびディレクトリファイル（ＵＤＦ規格で規定されているＦＩＤを含むデータ））毎にトラックが割り付けられる。【０１７９】  ボリューム空間１０９には、トラック＃１  １００１とトラック＃２  １００２とトラック＃３  １００３とが割り付けられている。【０１８０】  トラック＃１  １００１は、ボリューム構造が記録されるボリューム構造領域４１０と、ファイル構造が記録される第１ファイル構造領域４２０と、ＶＡＴ構造が記録される第１ＶＡＴ構造領域４３０と、ファイル構造（ＦＥ）が記録されるファイル構造領域７００と、未記録領域とを含む。ファイル（第１データファイル（Ｆｉｌｅ−ａ）５１０および第２データファイル（Ｆｉｌｅ−ａ）６１０）の記録処理手順（「１−３−２．ファイルの記録処理手順」参照）が実行されることによって、ボリューム構造領域４１０にはボリューム構造が記録され、第１ファイル構造領域４２０にはファイル構造（ファイル集合記述子４２１およびＦＥ（ＲＯＯＴ）４２２）が記録され、第１ＶＡＴ構造領域４３０にはＶＡＴ構造（ＶＡＴ４３１およびＶＡＴ  ＩＣＢ４３２）が記録され、ファイル構造領域７００にはファイル構造（ＦＥ（Ｆｉｌｅ−ａ）５０１、ＦＥ（Ｄｉｒ−Ａ）５０２、ＦＥ（Ｆｉｌｅ−ｂ）８３１、ＦＥ（Ｄｉｒ−Ｂ）８３２）が記録される。【０１８１】  ファイル構造領域７００と未記録領域との境界位置は、最終データ記録位置９００であり、最終データ記録位置９００を示す情報がトラック管理情報として第１ディスク管理情報領域１０４に記録されている。【０１８２】  トラック＃２  １００２は、ファイル構造（ディレクトリ）が記録されるファイル構造領域７１０と、未記録領域とを含む。ファイル（第１データファイル（Ｆｉｌｅ−ａ）５１０および第２データファイル（Ｆｉｌｅ−ａ）６１０）の記録処理手順（「１−３−２．ファイルの記録処理手順」参照）が実行されることによって、ファイル構造領域７１０にはファイル構造（ディレクトリ（Ｄｉｒ−Ａ）１２００およびディレクトリ（Ｄｉｒ−Ｂ）１２０１）が記録される。【０１８３】  ファイル構造領域７１０と未記録領域との境界位置は、最終データ記録位置９０１であり、最終データ記録位置９０１を示す情報がトラック管理情報として第１ディスク管理情報領域１０４に記録される。【０１８４】  トラック＃３  １００３は、第１データファイル（Ｆｉｌｅ−ａ）５１０と第２ＶＡＴ構造領域５２０と第２データファイル（Ｆｉｌｅ−ａ）６１０と第３ＶＡＴ構造領域６２０と未記録領域とを含む。ファイル（第１データファイル（Ｆｉｌｅ−ａ）５１０および第２データファイル（Ｆｉｌｅ−ａ）６１０）の記録処理手順（「１−３−２．ファイルの記録処理手順」��照）が実行されることによって、トラック＃３  １００３には、第１データファイル（Ｆｉｌｅ−ａ）５１０が記録され、第２ＶＡＴ構造領域５２０には、ＶＡＴ５２１およびＶＡＴ  ＩＣＢ５２２が記録される。さらに、トラック＃３  １００３には、第２データファイル（Ｆｉｌｅ−ａ）６１０が記録され、第３ＶＡＴ構造領域６２０には、ＶＡＴ６２１およびＶＡＴ  ＩＣＢ６２２が記録される。図１１に示されたデータ構造を有する追記型記録媒体１００では、ＶＡＴ６２１およびＶＡＴ  ＩＣＢ６２２が最新のＶＡＴ構造である。【０１８５】  第３ＶＡＴ構造領域６２０と未記録領域との境界位置は、最終データ記録位置９０２であり、最終データ記録位置９０２を示す情報がトラック管理情報として第１ディスク管理情報領域１０４に記録される。【０１８６】  本発明の実施の形態２によれば、追記型記録媒体１００に記録されたファイル構造のうち特定の情報（例えばＦＥだけ）を読み出す際に効率的なアクセスが可能となる。特にＶＡＴ方式の場合、ＶＡＴによってアドレス管理されるのはＦＥであるので、ＶＡＴ方式の実現上、好都合である。【０１８７】  なお、ディレクトリ階層に着目してトラックを割り付けることがあり得る。例えば、特定の応用（例えば、ＴＶの番組録画）のためのデータを記録するディレクトリ階層を定めた上で、所定のディレクトリ下のファイルやディレクトリをトラックに割り付けることがあり得る。この結果、効率的なデータアクセスが可能となる。【０１８８】 ３．実施の形態３
図１２は、追記型記録媒体１００のデータ構造の他の一例を示す。図１２において、図１、図３および図４を参照して説明された領域と同一の領域には同一の参照符号を付し、その説明を省略する。さらに、図１２において、図１、図３および図４を参照して説明された情報、データと同一の情報、データには同一の参照符号を付し、その説明を省略する。【０１８９】  本発明の実施の形態３によれば、追記型記録媒体１００の複数のトラックに、互いに同一のファイル構造が記録される。【０１９０】  ボリューム空間１０９には、トラック＃１  ２００１とトラック＃２  ２００２とトラック＃３  ２００３とが割り付けられている。【０１９１】  トラック＃１  ２００１は、ボリューム構造が記録されるボリューム構造領域４１０と、ファイル構造が記録される第１ファイル構造領域４２０と、ＶＡＴ構造が記録される第１ＶＡＴ構造領域４３０と、ファイル構造が記録される第２ファイル構造領域５００と、未記録領域とを含む。フォーマット処理手順（（「１−３−１．フォーマット処理手順」参照）およびファイル（第１データファイル（Ｆｉｌｅ−ａ）５１０および第２データファイル（Ｆｉｌｅ−ａ）６１０）の記録処理手順（「１−３−２．ファイルの記録処理手順」参照）が実行されることによって、ボリューム構造領域４１０にはボリューム構造が記録され、第１ファイル構造領域４２０にはファイル構造（ファイル集合記述子４２１およびＦＥ（ＲＯＯＴ）４２２）が記録され、第１ＶＡＴ構造領域４３０にはＶＡＴ構造（ＶＡＴ４３１およびＶＡＴ  ＩＣＢ４３２）が記録され、第２ファイル構造領域５００にはファイル構造（例えば、第１データファイル（Ｆｉｌｅ−ａ）５１０の記録位置を示すＦＥ（Ｆｉｌｅ−ａ）５０１、ＦＥ（Ｄｉｒ−Ａ）５０２、ＦＥ（ＲＯＯＴ）５０３）が記録される。【０１９２】  第２ファイル構造領域５００と未記録領域との境界位置は、最終データ記録位置９１０であり、最終データ記録位置９１０を示す情報がトラック管理情報として第１ディスク管理情報領域１０４に記録されている。【０１９３】  トラック＃２  ２００２は、ボリューム構造が記録されるボリューム構造領域４１１と、ファイル構造が記録されるファイル構造領域４７０と、ＶＡＴ構造が記録されるＶＡＴ構造領域４８０と、ファイル構造が記録されるファイル構造領域４９０と、未記録領域とを含む。【０１９４】  フォーマット処理手順（（「１−３−１．フォーマット処理手順」参照）およびファイル（第１データファイル（Ｆｉｌｅ−ａ）５１０および第２データファイル（Ｆｉｌｅ−ａ）６１０）の記録処理手順（「１−３−２．ファイルの記録処理手順」参照）が実行された後に、システム制御部３０１がトラック＃１  ２００１に記録されたファイル構造の複製およびＶＡＴ構造の複製をトラック＃２に記録するようドライブ装置３１０に指示することにより実現可能である。【０１９５】  ボリューム構造領域４１１にはボリューム構造の複製が記録され、ファイル構造領域４７０にはファイル構造（ファイル集合記述子４２１およびＦＥ（ＲＯＯＴ）４２２）の複製（ファイル集合記述子４７１およびＦＥ（ＲＯＯＴ）４７２）が記録され、ＶＡＴ構造領域４８０にはＶＡＴ��造（ＶＡＴ４３１およびＶＡＴ  ＩＣＢ４３２）の複製（ＶＡＴ４８１およびＶＡＴ  ＩＣＢ４８２）が記録され、ファイル構造領域４９０にはファイル構造（第１データファイル（Ｆｉｌｅ−ａ）５１０の記録位置を示すＦＥ（Ｆｉｌｅ−ａ）５０１、ＦＥ（Ｄｉｒ−Ａ）５０２、ＦＥ（ＲＯＯＴ）５０３）の複製（第１データファイル（Ｆｉｌｅ−ａ）５１０の記録位置を示すＦＥ（Ｆｉｌｅ−ａ）４９１、ＦＥ（Ｄｉｒ−Ａ）４９２、ＦＥ（ＲＯＯＴ）４９３）が記録される。【０１９６】  なお、トラック＃１  ２００１に対する記録を指示されたドライブ装置３１０が、トラック＃２  ２００２にデータ（ボリューム構造、ファイル構造、ＶＡＴ構造）の複製を自動的に記録することがあり得る。また、ドライブ装置３１０がトラック＃１  ２００１に対する記録を指示される度に自動的に複製を記録することがあり得る。また、複製を記録するようにシステム制御部３０１からドライブ装置３１０に指示があった場合に、ドライブ装置３１０がトラック＃１  ２００１に複製を記録することがあり得る。【０１９７】  ファイル構造領域４９０と未記録領域との境界位置は、最終データ記録位置９１１であり、最終データ記録位置９１１を示す情報がトラック管理情報として第１ディスク管理情報領域１０４に記録されている。【０１９８】  トラック＃３  ２００３は、第１データファイル（Ｆｉｌｅ−ａ）５１０と第２ＶＡＴ構造領域５２０と未記録領域とを含む。第１データファイル（Ｆｉｌｅ−ａ）５１０の記録処理手順が実行されることによって、未記録領域には、第１データファイル（Ｆｉｌｅ−ａ）５１０が記録され、第２ファイル構造領域５００には、第１データファイル（Ｆｉｌｅ−ａ）５１０を管理するファイル構造（ＦＥ（Ｆｉｌｅ−ａ）５０１、ＦＥ（Ｄｉｒ−Ａ）５０２、ＦＥ（ＲＯＯＴ）５０３）が記録され、さらに、第２ＶＡＴ構造領域５２０には、ＶＡＴ５２１およびＶＡＴ  ＩＣＢ５２２が記録される。【０１９９】  第２ＶＡＴ構造領域５２０と未記録領域との境界位置は、最終データ記録位置９１２であり、最終データ記録位置９１２を示す情報がトラック管理情報として第１ディスク管理情報領域１０４に記録される。【０２００】  なお、再生処理手順（「１−４．再生処理手順」参照）が実行されることによって、トラック＃１  ２００１に記録されているデータを再生することが可能である。しかし、トラック＃１  ２００１からデータを再生することができない場合（例えば、トラック＃１  ２００１に傷がついている場合）には、トラック＃２  ２００２からデータを再生することがあり得る。したがって、トラック＃２  ２００２のデータをトラック＃１  ２００１のデータのバックアップとして利用できる。その結果、追記型記録媒体１００の信頼性が向上する。【０２０１】  なお、トラック＃２  ２００２に記録されるファイル構造は、トラック＃１  ２００１と同じでよいが、その場合、ファイル構造領域の論理アドレスと実際に記録されている論理アドレスがずれることになる。この場合、トラック＃２  ２００２に記録されるファイル構造を利用してデータを再生する場合に、アドレスを変換することがあり得る。なお、トラック＃２  ２００２にファイル構造を記��する際に、ディレクトリ階層を保ったままで、論理アドレスのみを変換して記録しておけば、再生時のアドレス変換は不要となる。【０２０２】  なお、本発明の実施の形態３では、最新のＶＡＴ構造を１つだけ記載しているが、追記型記録媒体１００の信頼性をより向上させるために、ＶＡＴ構造自体の複製も記録することがあり得る。この場合、例えば、第２ＶＡＴ構造領域５２０の直前に、トラック＃２  ２００２に記録されるファイル構造ためのＶＡＴ構造を記録してもよい。また、トラック＃２  ２００２に記録されるファイル構造全体をＶＡＴ  ＩＣＢの拡張属性ファイルとして扱うことがあり得る。その結果、ＵＤＦ規格との高い互換性を達成できる。【０２０３】  なお、トラック間の関係情報をトラック管理情報２１０内に付加情報として記録することがあり得る。その結果、所定のトラックに記録されているデータの複製が別のトラックに記録されていることを容易に判別できる。例えば、トラック＃１  ２００１に記録された情報を管理するトラック管理情報に、トラック＃２  ２００２に記録された情報がトラック＃１  ２００１に記録された情報の複製であることを示す付加情報を記録することがあり得る。また、トラック＃２  ２００２に記録された情報を管理するトラック管理情報に、トラック＃２  ２００２に記録された情報がトラック＃１  ２００１に記録された情報の複製であることを示す付加情報を記録することがあり得る。
【産業上の利用可能性】
【０２０４】  本発明によれば、ボリューム空間にトラックを割り付け、特定のトラックに対してのみファイル構造を記録する。したがって、アクセス頻度を低減させることが可能となり、ファイル構造への高速なアクセスが実現される。【０２０５】  また、本発明によれば、ファイル構造の複製を記録することによって、情報記録媒体の信頼性を向上させることができる。
2005091287.tif 000002
2005091287.tif 000003
【図３】
2005091287.tif 000004
【図４】
2005091287.tif 000005
【図５】
2005091287.tif 000006
【図６】
2005091287.tif 000007
【図７】
2005091287.tif 000008
【図８】
2005091287.tif 000009
【図９】
2005091287.tif 000010
【図１０】
2005091287.tif 000011
【図１１】
2005091287.tif 000012
【図１２】
2005091287.tif 000013
【図１３】
2005091287.tif 000014
【図１４】
2005091287.tif 000015
【図１５】
2005091287.tif 000016
【図１６】
2005091287.tif 000017
【図１７】
2005091287.tif 000018
【手続補正書】
【提出日】平成18年2月6日(2006.2.6)
【手続補正１】
【補正対象書類名】特許請求の範囲
【補正対象項目名】全文
【補正方法】変更
【補正の内容】
【特許請求の範囲】
【請求項１】
追記型記録媒体に情報を記録する記録装置であって、
前記追記型記録媒体は、ディスク管理情報領域とボリューム空間とを含み、
前記記録装置は、ホスト装置とドライブ装置とを備え、
前記ホスト装置は、
少なくとも１つの第１トラックと少なくとも１つの第２トラックとを前記ボリューム空間に割り付けるよう前記ドライブ装置に指示する第１指示部と、
ファイルを前記少なくとも１つの第１トラックに記録するよう前記ドライブ装置に指示する第２指示部と、
前記ファイルを管理するファイル構造を前記少なくとも１つの第２トラックに記録するよう前記ドライブ装置に指示する第３指示部と、
前記ファイル構造の記録位置を管理する仮想配置テーブル構造を前記ボリューム空間に記録するよう前記ドライブ装置に指示する第４指示部と、
前記少なくとも１つの第１トラックと前記少なくとも１つの第２トラックとを管理するトラック管理情報を前記ディスク管理情報領域に記録するよう前記ドライブ装置に指示する第５指示部と
を備え、
前記ドライブ装置は、
前記少なくとも１つの第１トラックと前記少なくとも１つの第２トラックとを前記ボリューム空間に割り付け、前記ファイルを前記少なくとも１つの第１トラックに記録し、前記ファイル構造を前記少なくとも１つの第２トラックに記録し、前記仮想配置テーブル構造を前記ボリューム空間に記録し、前記トラック管理情報を前記ディスク管理情報領域に記録するためのヘッド部と、
前記少なくとも１つの第１トラックと前記少なくとも１つの第２トラックとを前記ボリューム空間に割り付け、前記ファイルを前記少なくとも１つの第１トラックに記録し、前記ファイル構造を前記少なくとも１つの第２トラックに記録し、前記仮想配置テーブル構造を前記ボリューム空間に記録し、前記トラック管理情報を前記ディスク管理情報領域に記録するように、前記ヘッド部を制御する制御部と
を備えた、記録装置。
【請求項２】
前記制御部は、前記少なくとも１つの第１トラックのうち前記ファイルの最終記録位置に続く領域に、前記仮想配置テーブル構造を記録するように、前記ヘッド部を制御する、請求項１に記載の記録装置。
【請求項３】
前記第３指示部は、前記ファイル構造のうち所定の情報を前記少なくとも１つの第２トラックに記録するよう前記ドライブ装置にさらに指示し、
前記制御部は、前記所定の情報を前記少なくとも１つの第２トラックに記録するように、前記ヘッド部を制御する、請求項１に記載の記録装置。
【請求項４】
追記型記録媒体に情報を記録する記録装置に備えられたホスト装置であって、
前記追記型記録媒体は、ディスク管理情報領域とボリューム空間とを含み、
前記記録装置は、前記情報を前記追記型記録媒体に記録するドライブ装置をさらに備え、
前記ホスト装置は、
少なくとも１つの第１トラックと少なくとも１つの第２トラックとを前記ボリューム空間に割り付けるよう前記ドライブ装置に指示する第１指示部と、
ファイルを前記少なくとも１つの第１トラックに記録するよう前記ドライブ装置に指示する第２指示部と、
前記ファイルを管理するファイル構造を前記少なくとも１つの第２トラックに記録するよう前記ドライブ装置に指示する第３指示部と、
前記ファイル構造の記録位置を管理する仮想配置テーブル構造を前記ボリューム空間に記録するよう前記ドライブ装置に指示する第４指示部と、
前記少なくとも１つの第１トラックと前記少なくとも１つの第２トラックとを管理するトラック管理情報を前記ディスク管理情報領域に記録するよう前記ドライブ装置に指示する第５指示部と
を備えた、ホスト装置。
【請求項５】
前記第３指示部は、前記ファイル構造のうち所定の情報を前記少なくとも１つの第２トラックに記録するよう前記ドライブ装置にさらに指示する、請求項４に記載のホスト装置。
【請求項６】
追記型記録媒体に情報を記録する記録方法であって、
前記追記型記録媒体は、ディスク管理情報領域とボリューム空間とを含み、
少なくとも１つの第１トラックと少なくとも１つの第２トラックとを前記ボリューム空間に割り付けるよう指示する第１指示ステップと、
前記少なくとも１つの第１トラックと前記少なくとも１つの第２トラックとを前記ボリューム空間に割り付ける割り付けステップと、
ファイルを前記少なくとも１つの第１トラックに記録するよう指示する第２指示ステップと、
前記ファイルを前記少なくとも１つの第１トラックに記録する第１記録ステップと、
前記ファイルを管理するファイル構造を前記少なくとも１つの第２トラックに記録するよう指示する第３指示ステップと、
前記ファイル構造を前記少なくとも１つの第２トラックに記録する第２記録ステップと、
前記ファイル構造の記録位置を管理する仮想配置テーブル構造を前記ボリューム空間に記録するよう指示する第４指示ステップと、
前記仮想配置テーブル構造を前記ボリューム空間に記録する第３記録ステップと、
前記少なくとも１つの第１トラックと前記少なくとも１つの第２トラックとを管理するトラック管理情報を前記ディスク管理情報領域に記録するよう指示する第５指示ステップと
前記トラック管理情報を前記ディスク管理情報領域に記録する第４記録ステップと
を包含する記録方法。
【請求項７】
追記型記録媒体に情報を記録する記録装置に備えられたホスト装置によって実行される指示方法であって、
前記追記型記録媒体は、ディスク管理情報領域とボリューム空間とを含み、
少なくとも１つの第１トラックと少なくとも１つの第２トラックとを前記ボリューム空間に割り付けるよう指示する第１指示ステップと、
ファイルを前記少なくとも１つの第１トラックに記録するよう指示する第２指示ステップと、
前記ファイルを管理するファイル構造を前記少なくとも１つの第２トラックに記録するよう指示する第３指示ステップと、
前記ファイル構造の記録位置を管理する仮想配置テーブル構造を前記ボリューム空間に記録するよう指示する第４指示ステップと、
前記少なくとも１つの第１トラックと前記少なくとも１つの第２トラックとを管理するトラック管理情報を前記ディスク管理情報領域に記録するよう指示する第５指示ステップと
を包含する指示方法。
【請求項８】
追記型記録媒体に情報を記録する記録処理手順を記録装置によって実行するためのプログラムであって、
前記追記型記録媒体は、ディスク管理情報領域とボリューム空間とを含み、
前記記録処理手順は、
少なくとも１つの第１トラックと少なくとも１つの第２トラックとを前記ボリューム空間に割り付けるよう指示する第１指示ステップと、
前記少なくとも１つの第１トラックと前記少なくとも１つの第２トラックとを前記ボリューム空間に割り付ける割り付けステップと、
ファイルを前記少なくとも１つの第１トラックに記録するよう指示する第２指示ステップと、
前記ファイルを前記少なくとも１つの第１トラックに記録する第１記録ステップと、
前記ファイルを管理するファイル構造を前記少なくとも１つの第２トラックに記録するよう指示する第３指示ステップと、
前記ファイル構造を前記少なくとも１つの第２トラックに記録する第２記録ステップと、
前記ファイル構造の記録位置を管理する仮想配置テーブル構造を前記ボリューム空間に記録するよう指示する第４指示ステップと、
前記仮想配置テーブル構造を前記ボリューム空間に記録する第３記録ステップと、
前記少なくとも１つの第１トラックと前記少なくとも１つの第２トラックとを管理するトラック管理情報を前記ディスク管理情報領域に記録するよう指示する第５指示ステップと
前記トラック管理情報を前記ディスク管理情報領域に記録する第４記録ステップと
を包含する、プログラム。
【請求項９】
追記型記録媒体に情報を記録する記録装置に備えられたホスト装置によって指示処理手順を実行するためのプログラムであって、
前記追記型記録媒体は、ディスク管理情報領域とボリューム空間とを含み、
前記指示処理手順は、
少なくとも１つの第１トラックと少なくとも１つの第２トラックとを前記ボリューム空間に割り付けるよう指示する第１指示ステップと、
ファイルを前記少なくとも１つの第１トラックに記録するよう指示する第２指示ステップと、
前記ファイルを管理するファイル構造を前記少なくとも１つの第２トラックに記録するよう指示する第３指示ステップと、
前記ファイル構造の記録位置を管理する仮想配置テーブル構造を前記ボリューム空間に記録するよう指示する第４指示ステップと、
前記少なくとも１つの第１トラックと前記少なくとも１つの第２トラックとを管理するトラック管理情報を前記ディスク管理情報領域に記録するよう指示する第５指示ステップと
を包含する、プログラム。
【請求項１０】
追記型記録媒体に情報を記録する記録装置に備えられた集積回路であって、
前記追記型記録媒体は、ディスク管理情報領域とボリューム空間とを含み、
前記記録装置は、前記情報を前記追記型記録媒体に記録するドライブ装置をさらに備え、
前記集積回路は、
少なくとも１つの第１トラックと少なくとも１つの第２トラックとを前記ボリューム空間に割り付けるよう前記ドライブ装置に指示するための第１指示部と、
ファイルを前記少なくとも１つの第１トラックに記録するよう前記ドライブ装置に指示するための第２指示部と、
前記ファイルを管理するファイル構造を前記少なくとも１つの第２トラックに記録するよう前記ドライブ装置に指示するための第３指示部と、
前記ファイル構造の記録位置を管理する仮想配置テーブル構造を前記ボリューム空間に記録するよう前記ドライブ装置に指示するための第４指示部と、
前記少なくとも１つの第１トラックと前記少なくとも１つの第２トラックとを管理するトラック管理情報を前記ディスク管理情報領域に記録するよう前記ドライブ装置に指示するための第５指示部と
を備えた、集積回路。
【請求項１１】
追記型記録媒体から情報を再生する再生装置であって、
前記追記型記録媒体は、ディスク管理情報領域とボリューム空間とを含み、
前記ボリューム空間には、少なくとも１つの第１トラックと少なくとも１つの第２トラックとが割り付けられており、
前記少なくとも１つの第１トラックには、ファイルが記録されており、
前記少なくとも１つの第２トラックには、前記ファイルを管理するファイル構造が記録されており、
前記ボリューム空間には前記ファイル構造の記録位置を管理する仮想配置テーブル構造が記録されており、
前記ディスク管理情報領域には、前記少なくとも１つの第１トラックと前記少なくとも１つの第２トラックとを管理するトラック管理情報が記録されており、
前記再生装置は、ホスト装置とドライブ装置とを備え、
前記ホスト装置は、
前記トラック管理情報を前記ディスク管理情報領域から再生するよう前記ドライブ装置に指示する第１指示部と、
前記トラック管理情報に基づいて前記仮想配置テーブル構造を前記ボリューム空間から再生するよう前記ドライブ装置に指示する第２指示部と、
前記ファイル構造を前記少なくとも１つの第２トラックから再生するよう前記ドライブ装置に指示する第３指示部と、
前記ファイルを前記少なくとも１つの第１トラックから再生するよう前記ドライブ装置に指示する第４指示部とを備え、
前記ドライブ装置は、
前記トラック管理情報を前記ディスク管理情報領域から再生し、前記仮想配置テーブル構造を前記ボリューム空間から再生し、前記ファイル構造を前記少なくとも１つの第２トラックから再生し、前記ファイルを前記少なくとも１つの第１トラックから再生するためのヘッド部と、
前記トラック管理情報を前記ディスク管理情報領域から再生し、前記仮想配置テーブル構造を前記ボリューム空間から再生し、前記ファイル構造を前記少なくとも１つの第２トラックから再生し、前記ファイルを前記少なくとも１つの第１トラックから再生するように、前記ヘッド部を制御する制御部と
を備えた、再生装置。
【請求項１２】
前記少なくとも１つの第１トラックのうち前記ファイルの最終記録位置に続く領域に、前記仮想配置テーブル構造が記録されており、
前記第２指示部は、前記ファイルの最終記録位置に続く領域から前記仮想配置テーブル構造を再生するように、前記ドライブ装置に指示する、請求項１１に記載の再生装置。
【請求項１３】
前記少なくとも１つの第２トラックには、前記ファイル構造のうち所定の情報がさらに記録されており、
前記第３指示部は、前記所定の情報を前記少なくとも１つの第２トラックから再生するように、前記ドライブ装置に指示する、請求項１１に記載の再生装置。
【請求項１４】
追記型記録媒体から情報を再生する再生装置に備えられたホスト装置であって、
前記追記型記録媒体は、ディスク管理情報領域とボリューム空間とを含み、
前記ボリューム空間には、少なくとも１つの第１トラックと少なくとも１つの第２トラックとが割り付けられており、
前記少なくとも１つの第１トラックには、ファイルが記録されており、
前記少なくとも１つの第２トラックには、前記ファイルを管理するファイル構造が記録されており、
前記ボリューム空間には、前記ファイル構造の記録位置を管理する仮想配置テーブル構造が記録されており、
前記ディスク管理情報領域には、前記少なくとも１つの第１トラックと前記少なくとも１つの第２トラックとを管理するトラック管理情報が記録されており、
前記再生装置は、前記追記型記録媒体から前記情報を再生するドライブ装置をさらに備え、
前記ホスト装置は、前記トラック管理情報を前記ディスク管理情報領域から再生するよう前記ドライブ装置に指示する第１指示部と、
前記トラック管理情報に基づいて前記仮想配置テーブル構造を前記ボリューム空間から再生するよう前記ドライブ装置に指示する第２指示部と、
前記ファイル構造を前記少なくとも１つの第２トラックから再生するよう前記ドライブ装置に指示する第３指示部と、
前記ファイルを前記少なくとも１つの第１トラックから再生するよう前記ドライブ装置に指示する第４指示部とを備えた、ホスト装置。
【請求項１５】
前記少なくとも１つの第２トラックには、前記ファイル構造のうち所定の情報がさらに記録されており、
前記第３指示部は、前記所定の情報を前記少なくとも１つの第２トラックから再生するよう前記ドライブ装置に指示する、請求項１４に記載のホスト装置。
【請求項１６】
追記型記録媒体から情報を再生する再生方法であって、
前記追記型記録媒体は、ディスク管理情報領域とボリューム空間とを含み、
前記ボリューム空間には、少なくとも１つの第１トラックと少なくとも１つの第２トラックとが割り付けられており、
前記少なくとも１つの第１トラックには、ファイルが記録されており、
前記少なくとも１つの第２トラックには、前記ファイルを管理するファイル構造が記録されており、
前記ボリューム空間には、前記ファイル構造の記録位置を管理する仮想配置テーブル構造が記録されており、
前記ディスク管理情報領域には、前記少なくとも１つの第１トラックと前記少なくとも１つの第２トラックとを管理するトラック管理情報が記録されており、
前記トラック管理情報を前記ディスク管理情報領域から再生するよう指示する第１指示ステップと、
前記トラック管理情報を前記ディスク管理情報領域から再生する第１再生ステップと、
前記トラック管理情報に基づいて、前記仮想配置テーブル構造を前記ボリューム空間から再生するよう指示する第２指示ステップと、
前記仮想配置テーブル構造をボリューム空間から再生する第２再生ステップと、
前記ファイル構造を前記少なくとも１つの第２トラックから再生するよう指示する第３指示ステップと、
前記ファイル構造を前記少なくとも１つの第２トラックから再生する第３ステップと、
前記ファイルを前記少なくとも１つの第１トラックから再生するよう指示する第４指示ステップと、
前記ファイルを前記少なくとも１つの第１トラックから再生する第４再生ステップと
を包含する再生方法。
【請求項１７】
追記型記録媒体から情報を再生する再生装置に備えられたホスト装置によって実行される指示方法であって、
前記追記型記録媒体は、ディスク管理情報領域とボリューム空間とを含み、
前記ボリューム空間には、少なくとも１つの第１トラックと少なくとも１つの第２トラックとが割り付けられており、
前記少なくとも１つの第１トラックには、ファイルが記録されており、
前記少なくとも１つの第２トラックには、前記ファイルを管理するファイル構造が記録されており、
前記ボリューム空間には、前記ファイル構造の記録位置を管理する仮想配置テーブル構造が記録されており、
前記ディスク管理情報領域には、前記少なくとも１つの第１トラックと前記少なくとも１つの第２トラックとを管理するトラック管理情報が記録されており、
前記トラック管理情報を前記ディスク管理情報領域から再生するよう指示する第１指示ステップと、
前記トラック管理情報に基づいて、前記仮想配置テーブル構造を前記ボリューム空間から再生するよう指示する第２指示ステップと、
前記ファイル構造を前記少なくとも１つの第２トラックから再生するよう指示する第３指示ステップと、
前記ファイルを前記少なくとも１つの第１トラックから再生するよう指示する第４指示ステップとを包含する指示方法。
【請求項１８】
追記型記録媒体から情報を再生する再生処理手順を再生装置によって実行するためのプログラムであって、
前記追記型記録媒体は、ディスク管理情報領域とボリューム空間とを含み、
前記ボリューム空間には、少なくとも１つの第１トラックと少なくとも１つの第２トラックとが割り付けられており、
前記少なくとも１つの第１トラックには、ファイルが記録されており、
前記少なくとも１つの第２トラックには、前記ファイルを管理するファイル構造が記録されており、
前記ボリューム空間には、前記ファイル構造の記録位置を管理する仮想配置テーブル構造が記録されており、
前記ディスク管理情報領域には、前記少なくとも１つの第１トラックと前記少なくとも１つの第２トラックとを管理するトラック管理情報が記録されており、
前記再生処理手順は、
前記トラック管理情報を前記ディスク管理情報領域から再生するよう指示する第１指示ステップと、
前記トラック管理情報を前記ディスク管理情報領域から再生する第１再生ステップと、
前記トラック管理情報に基づいて、前記仮想配置テーブル構造を前記ボリューム空間から再生するよう指示する第２指示ステップと、
前記仮想配置テーブル構造を前記ボリューム空間から再生する再生する第２再生ステップと、
前記ファイル構造を前記少なくとも１つの第２トラックから再生するよう指示する第３指示ステップと、
前記ファイル構造を前記少なくとも１つの第２トラックから再生する第３再生ステップと、
前記ファイルを前記少なくとも１つの第１トラックから再生するよう指示する第４指示ステップと
前記ファイルを前記少なくとも１つの第１トラックから再生する第４再生ステップと
を包含する、プログラム。
【請求項１９】
追記型記録媒体から情報を再生する再生装置に備えられたホスト装置によって指示処理手順を実行するためのプログラムであって、
前記追記型記録媒体は、ディスク管理情報領域とボリューム空間とを含み、
前記ボリューム空間には、少なくとも１つの第１トラックと少なくとも１つの第２トラックとが割り付けられており、
前記少なくとも１つの第１トラックには、ファイルが記録されており、
前記少なくとも１つの第２トラックには、前記ファイルを管理するファイル構造が記録されており、
前記ボリューム空間には、前記ファイル構造の記録位置を管理する仮想配置テーブル構造が記録されており、
前記ディスク管理情報領域には、前記少なくとも１つの第１トラックと前記少なくとも１つの第２トラックとを管理するトラック管理情報が記録されており、
前記指示処理手順は、
前記トラック管理情報を前記ディスク管理情報領域から再生するよう指示する第１指示ステップと、
前記トラック管理情報に基づいて、前記仮想配置テーブル構造を前記ボリューム空間から再生するよう指示する第２指示ステップと、
前記ファイル構造を前記少なくとも１つの第２トラックから再生するよう指示する第３指示ステップと、
前記ファイルを前記少なくとも１つの第１トラックから再生するよう指示する第４指示ステップと
を包含する、プログラム。
【請求項２０】
追記型記録媒体から情報を再生する再生装置に備えられた集積回路であって、
前記追記型記録媒体は、ディスク管理情報領域とボリューム空間とを含み、
前記ボリューム空間には、少なくとも１つの第１トラックと少なくとも１つの第２トラックとが割り付けられており、
前記少なくとも１つの第１トラックには、ファイルが記録されており、
前記少なくとも１つの第２トラックには、前記ファイルを管理するファイル構造が記録されており、
前記ボリューム空間には、前記ファイル構造の記録位置を管理する仮想配置テーブル構造が記録されており、
前記ディスク管理情報領域には、前記少なくとも１つの第１トラックと前記少なくとも１つの第２トラックとを管理するトラック管理情報が記録されており、
前記再生装置は、前記追記型記録媒体から前記情報を再生するドライブ装置をさらに備え、
前記集積回路は、
前記トラック管理情報を前記ディスク管理情報領域から再生するよう前記ドライブ装置に指示するための第１指示部と、
前記トラック管理情報に基づいて、前記仮想配置テーブル構造を前記ボリューム空間から再生するよう前記ドライブ装置に指示するための第２指示と、
前記ファイル構造を前記少なくとも１つの第２トラックから再生するよう前記ドライブ装置に指示するための第３指示部と、
前記ファイルを前記少なくとも１つの第１トラックから再生するよう前記ドライブ装置に指示するための第４指示部と
を備えた、集積回路。
【請求項２１】
情報が記録されるように構成されている追記型記録媒体であって、
前記追記型記録媒体は、ディスク管理情報領域とボリューム空間とを含み、
前記ボリューム空間は、少なくとも１つの第１トラックと少なくとも１つの第２トラックとが割り付けられるように構成されており、
前記少なくとも１つの第１トラックは、ファイルが記録されるように構成されており、
前記少なくとも１つの第２トラックは、前記ファイルを管理するファイル構造が記録されるように構成されており、
前記ボリューム空間は、前記ファイル構造の記録位置を管理する仮想配置テーブル構造が記録されるように構成されており、
前記ディスク管理情報領域は、前記少なくとも１つの第１トラックと前記少なくとも１つの第２トラックとを管理するトラック管理情報が記録されるように構成されている、追記型記録媒体。
【手続補正２】
【補正対象書類名】明細書
【補正対象項目名】全文
【補正方法】変更
【補正の内容】
【発明の詳細な説明】
【技術分野】
【０００１】
本発明は、追記型記録媒体に情報を記録する記録装置、記録装置に含まれるホスト装置、追記型記録媒体に情報を記録する記録方法、追記型記録媒体に情報を記録する記録装置に備えられたホスト装置によって実行される指示方法、記録処理手順を実行するためのプログラム、追記型記録媒体に情報を記録する記録装置に備えられた集積回路、追記型記録媒体から情報を再生する再生装置、再生装置に含まれるホスト装置、追記型記録媒体から情報を再生する再生方法、再生処理手順を実行するためのプログラムおよび追記型記録媒体に関する。
【背景技術】
【０００２】
近年、デジタルデータの記録に様々な形態の記録媒体が用いられており、中でも記録回数が１回と限られている一方、媒体の価格が安価である追記型光ディスクがよく使われるようになってきている。
【０００３】
このような光ディスクの例として、ＣＤ−ＲディスクやＤＶＤ−Ｒディスクがある。そして、ＣＤ−ＲディスクやＤＶＤ−Ｒディスクへデータを追記する手法が幾つか提案されている（例えば、特許文献１参照）。データを追記する手法としては、例えば、ＶＡＴ（Ｖｉｒｔｕａｌ  Ａｌｌｏｃａｔｉｏｎ  Ｔａｂｌｅ）方式やマルチボーダ（またはマルチセッション）方式がある。
【０００４】
ＶＡＴ方式およびマルチボーダ方式を用いてＤＶＤ−Ｒディスクにデジタルデータを記録・再生する時の動作について説明する。
【０００５】
まず、ＶＡＴを用いた追記方式について、以下に図面を参照しながら説明する。ここでは、ＤＶＤ−Ｒディスクを記録媒体の例とし、図１３に示すファイルおよびディレクトリ階層構造を記録媒体に記録する時の動作と、その結果として形成されるデータ構造について順に説明する。
【０００６】
最初に、図１４を参照してフォーマット処理について説明する。図１４は、従来の記録媒体１０１００の一例であるＤＶＤ−Ｒディスク上のフォーマット処理直後のデータを示す。
【０００７】
ＤＶＤ−Ｒディスクは、ＤＶＤ−Ｒ物理規格で規定される記録媒体である。
【０００８】
また、ＤＶＤ−Ｒファイルシステム規格で規定されたボリューム・ファイル構造を用いてファイルが記録される。ＤＶＤ−Ｒファイルシステム規格はＩＳＯ／ＩＥＣ１３３４６規格あるいはＵＤＦ（Ｕｎｉｖｅｒｓａｌ  Ｄｉｓｋ  Ｆｏｒｍａｔ）規格に準拠しており、以下の説明においてもＵＤＦ規格に規定されている構造を用いて説明を行う。
【０００９】
図１４に示すように、記録媒体１０１００のデータ領域は、リードイン領域１０１０１とボリューム空間１０１０９とを含む。ボリューム空間１０１０９は、ボリューム構造領域１０４１０と、ファイル構造／ファイル領域１０４２０と、ＶＡＴ（Ｖｉｒｔｕａｌ  Ａｌｌｏｃａｔｉｏｎ  Ｔａｂｌｅ）構造領域１０４３０とを含む。
【００１０】
ボリューム構造領域１０４１０には、ＵＤＦ規格で規定されるボリューム構造が記録される。ボリューム構造には、具体的には、ＮＳＲ記述子、基本ボリューム記述子、処理システム用記述子、区画記述子、論理ボリューム記述子、未割付空間記述子、終端記述子、論理ボリューム保全記述子、および開始ボリューム記述子が含まれる。
【００１１】
ファイル構造／ファイル領域１０４２０には、ファイル集合記述子１０４２１およびＲＯＯＴディレクトリファイルのファイルエントリであるＦＥ（ＲＯＯＴ）１０４２２が記録されている。ＦＥ（ＲＯＯＴ）１０４２２は、パーティション空間内でディレクトリ階層の起点となる。
【００１２】
ファイルエントリ（以降、ＦＥとする）は、ボリューム空間内に記録されるファイルの位置や大きさを管理するためにＵＤＦ規格で規定されているデータ構造を有する。なお、ここでは説明の簡単化のため、ＲＯＯＴディレクトリファイルはＦＥ（ＲＯＯＴ）１０４２２に含まれる形式としている。
【００１３】
ＶＡＴ構造領域１０４３０には、ＶＡＴ１０４３１とＶＡＴ  ＩＣＢ１０４３２とが記録されている。ＶＡＴは、追記形記録媒体におけるファイル構造の更新処理を簡素化することを目的としてＵＤＦ規格で規定されているデータ構造である。
【００１４】
ＶＡＴを用いる場合、ＦＥのようなファイル構造データのボリューム空間上での記録位置が、仮想アドレス空間上の仮想アドレスを用いて指定される。そして、記録媒体上の記録位置である論理アドレス空間上の論理アドレスと、この仮想アドレスとの対応関係を保持するのがＶＡＴである。これらの構造により、ＤＶＤ−Ｒディスクのような書換えができない記録媒体においても、仮想的にデータの書換えが実現される。そして、ＶＡＴの記録媒体上の記録位置は、記録媒体上でデータが記録された領域の終端セクタに割り付けられるＶＡＴ  ＩＣＢにより指定される。
【００１５】
リードイン領域１０１０１には物理フォーマット情報領域１０１０４が含まれる。物理フォーマット情報領域１０１０４には、記録媒体１０１００に割り付けられた様々な領域の管理情報を記録するため情報である物理フォーマット情報が記録されている。管理情報とは、例えば、ボーダアウト領域のアドレス情報、等である。なお、物理フォーマット情報領域１０１０４は、フォーマット処理直後の時点では領域だけが確保され、データは未記録状態である。
【００１６】
図１５を参照して、図１３に示すファイルおよびディレクトリ構造のうちディレクトリ（Ｄｉｒ−Ａ）とデータファイル（Ｆｉｌｅ−ａ）とを記録する手順を説明する。
【００１７】
図１４の状態の記録媒体１０１００に対してディレクトリ（Ｄｉｒ−Ａ）とデータファイル（Ｆｉｌｅ−ａ）の記録処理が行われると、図１５に示すように、ファイル構造／ファイル領域１０５００に、データファイル（Ｆｉｌｅ−ａ）１０５０１と、ＦＥ（Ｆｉｌｅ−ａ）１０５０２と、ＦＥ（Ｄｉｒ−Ａ）１０５０３と、ＦＥ（ＲＯＯＴ）１０５０４とが記録される。なお、ディレクトリファイルはＦＥ（Ｄｉｒ−Ａ）１０５０３に含まれる形式とする。
【００１８】
また、ＶＡＴ構造領域１０５２０には、新たに記録されたＦＥ１０５０２、ＦＥ１０５０３およびＦＥ１０５０４が登録されたＶＡＴ１０５２１と、ＶＡＴ  ＩＣＢ  １０５２２とが記録される。
【００１９】
さらにクローズ処理が行われると、まずネクストボーダマーカ１０５３１を除いたボーダアウト領域１０５３０に所定のデータが記録される。また、フォーマット処理後に未記録状態であったリードイン領域１０１０１内の物理フォーマット情報領域１０１０４に所定のデータが記録される。
【００２０】
なお、クローズ処理は、情報再生装置が最新のボリューム・ファイル構造を検索可能とするために実行される。
【００２１】
ファイル記録処理とクローズ処理が、図１４に示すフォーマット処理後のデータ構造を持つ記録媒体１０１００に対して実行された時、図１５に示すデータ構造が記録媒体１０１００に形成される。
【００２２】
図１６を参照して、図１３に示すファイルおよびディレクトリ構造のうちのディレクトリ（Ｄｉｒ−Ｂ）とデータファイル（Ｆｉｌｅ−ｂ）との記録処理手順を説明する。
【００２３】
ここでは、ファイル構造／ファイル領域１０６００に、データファイル（Ｆｉｌｅ−ｂ）１０６０１とそれに関連するファイル構造である、ファイル（Ｆｉｌｅ−ｂ）１０６０１、ＦＥ（Ｆｉｌｅ−ｂ）１０６０２、ＦＥ（Ｄｉｒ−Ｂ）１０６０３、ＦＥ（ＲＯＯＴ）１０６０４が記録される。
【００２４】
また、ＶＡＴ構造領域１０６１００に、最新のＶＡＴ構造である、ＶＡＴ１０６１０１とＶＡＴ  ＩＣＢ１０６０２が記録される。
【００２５】
最後に、クローズ処理を再度実行することにより、ネクストボーダマーカ１０６２０１を除いたボーダアウト領域１０６２００に所定のデータが記録される。さらに、ボーダアウト領域１０５３０内に割り付けられたネクストボーダマーカ１０５３１と、物理フォーマット情報領域１０６３０１を含むボーダイン領域１０６３００とが記録される。
【００２６】
以上で説明したようなファイル記録処理とクローズ処理が、図１５に示すデータ構造を持つ記録媒体１０１００に対して実行された時、図１６に示すデータ構造が記録媒体１０１００に形成される。
【００２７】
このように、クローズ処理が実行される度に、ボリューム空間１０１０９のリードイン領域１０１０１またはボーダイン領域と、ボーダアウト領域とに挟まれた領域が形成される。以降、この領域のことをボーダ付き領域と呼ぶ。例えば図１６では、ボーダ付き領域＃１  １０７００やボーダ付き領域＃２  １０７０１が存在する。ボーダ付き領域はＣＤ−Ｒディスクの場合におけるセッションと同様の概念である。
【００２８】
次に、図１７に示した再生処理手順のフローチャートを参照して、ファイルの再生動作を説明する。ここでは、データファイル（Ｆｉｌｅ−ａ）１０５０１を再生する動作を例にあげて説明する。
【００２９】
まず、リードイン領域１０１０１の物理フォーマット情報領域１０１０４のデータが再生され、物理フォーマット情報が取得される（ステップＳ１１１０１）。
【００３０】
次に、ネクストボーダマーカのデータが再生される（ステップＳ１１１０２）。
【００３１】
ステップＳ１１１０１（あるいはステップＳ１１１０３）で取得された物理フォーマット情報にはボーダアウト領域のアドレス情報が含まれる。そしてボーダアウト領域の所定の位置にネクストボーダマーカのデータが記録されているので、そこからネクストボーダマーカが再生される。
【００３２】
例えば、図１６において、物理フォーマット情報領域１０１０４には、ボーダアウト領域１０５３０のアドレス情報が記録されている。また、ボーダイン領域１０６３００に含まれる物理フォーマット領域１０６３０１には、ボーダアウト領域１０６２００のアドレス情報が記録されている。
【００３３】
ステップＳ１１１０１（あるいはステップＳ１１１０３）で取得された物理フォーマット情報に含まれるネクストボーダマーカが記録済状態である場合には、より新しいボーダ付き領域が存在するので、ステップＳ１１１０３以降が実行される。
【００３４】
ステップＳ１１１０１において取得された物理フォーマット情報に含まれるボーダイン領域のアドレス情報に従って、次のボーダイン領域に記録された情報の再生が行われる（ステップＳ１１１０３）。物理フォーマット情報に含まれるボーダイン領域のアドレス情報はステップＳ１１１０４においても取得され得る。そして、再生された情報から物理フォーマット情報が取得される。
【００３５】
一方、ステップＳ１１１０２で再生されたネクストボーダマーカが未記録状態である場合には、現在のボーダ付き領域が最新であるので、ステップＳ１１１０４以降が実行される。
【００３６】
最新のボーダ付き領域に到達した場合、取得された最新の物理フォーマット情報が参照され、アクセスが可能な領域の終端の物理アドレスが取得される（ステップＳ１１１０４）。
【００３７】
図１６において、ボーダ付き領域＃２  １０７０１の終端がアクセス可能な領域の終端である。
【００３８】
そして、最後にファイル再生が次の手順で行われる。
【００３９】
まず、ボリューム構造領域１０４１０に記録されている情報が再生される（ステップＳ１１１０５）。再生された情報（ボリューム構造）には、ファイル集合記述子１０４２１のアドレス情報や区画開始位置が含まれる。ＶＡＴ方式の場合、ボリューム構造内にＵＤＦ規格で定義された仮想区画マップが含まれるので、その情報に基づいて、ボリューム空間内にＶＡＴ構造が記録されていることが認識される。
【００４０】
そして、アクセスが可能な領域の終端に記録されたＶＡＴ  ＩＣＢ１０６１０２が再生される。（ステップＳ１１１０６）。
【００４１】
再生されたＶＡＴ  ＩＣＢＰ１０６１０２からＶＡＴの記録位置情報が取得され、ＶＡＴ１０６１０１が読み出される。
【００４２】
目的のファイルやその管理情報が仮想アドレスを用いて管理されている場合、ステップＳ１１１０６で取得されたＶＡＴ１０６１０１を用いて目的のファイルやディレクトリのファイルエントリが登録されたＶＡＴエントリが参照される（ステップＳ１１１０７）。
【００４３】
そして、仮想アドレスから論理アドレスへの変換処理を行い、ファイル構造／ファイル領域１０４２０のファイル集合記述子１０４２１を起点として、ファイル構造／ファイル領域１０６００のＦＥ（ＲＯＯＴ）１０６０４と、ＦＥ（ＲＯＯＴ）１０６０４に含まれたＲＯＯＴディレクトリと、ファイル構造／ファイル領域１０５００のＦＥ（Ｄｉｒ−Ａ）１０５０３と、ＦＥ（Ｄｉｒ−Ａ）１０５０３に含まれたディレクトリ（Ｄｉｒ−Ａ）と、ＦＥ（Ｆｉｌｅ−ａ）１０５０２とが、順次読み出される。
【００４４】
そして、ＦＥ（Ｆｉｌｅ−ａ）１０５０２からデータファイル（Ｆｉｌｅ−ａ）１０５０１の記録位置が取得され、データファイル（Ｆｉｌｅ−ａ）１０５０１が再生される。
【００４５】
以上、ＶＡＴ方式によるＤＶＤ−Ｒディスクへの追記方法について述べたが、ＶＡＴ方式と異なる追記方式としてマルチボーダ方式も知られている。なお、ＣＤ−Ｒディスクの場合における同様の方式はマルチセッション方式と呼ばれる。
【００４６】
マルチボーダ方式においては、ボーダ付き領域を単位としてデータの追記が行われ、ボーダ付き領域毎にボリューム構造およびファイル構造が記録される。
【００４７】
マルチボーダ方式では、ＶＡＴのような仮想アドレスを用いたデータ更新の仕組みを使わず、ファイル構造の更新が行われたら、ボリューム構造およびファイル構造を新たに生成し直し、新たなボーダ付き領域に記録し直す。
【００４８】
マルチボーダ方式の再生は、最新のボーダ付き領域を確定し、そこから最新のボリューム構造を読み出す。
【００４９】
後は、順次、ＵＤＦ規格で定められたデータ構造に従ってデータをたどることにより特定のファイルを再生することが可能である。例えば、再生専用のＤＶＤ−ＲＯＭディスク等と同様の再生手順でデータを読み出せる。
【００５０】
また、マルチボーダ／マルチセッション方式の場合、イメージデータを用いた効率的なデータ記録が行われる。データのバックアップ等、あらかじめ記録したいすべてのファイルが分かっている場合は、ハードディスクドライブ上に記録したいファイルデータと、そのボリューム構造およびファイル構造をすべて含んだ形式のデータファイルを作成する。このファイルがイメージデータである。イメージデータの記録に際しては、１つのボーダ付き領域（あるいはセッション）を割当て、その領域に連続的にイメージデータを記録していく。記録が連続的に行われることと、ファイル構造が既に作成済みであることから、記録時のオーバーヘッドが小さくなり、イメージデータの記録を高速に行うことが可能である。
【特許文献１】米国特許第５６６６５３１号
【発明の開示】
【発明が解決しようとする課題】
【００５１】
しかしながら、上記で説明したようなＶＡＴ方式は、ファイル構造の情報（ＦＥやディレクトリファイル）が情報記録媒体の複数の領域に分散されて記録されてしまい、ディレクトリ構造をたどって特定のファイルへアクセスしてデータ読み出しまでの処理時間が長くなってしまうという課題がある（特許文献１参照）。
【００５２】
例えば、図１７を用いて説明したように、データファイル（Ｆｉｌｅ−ａ）１０５０１の再生のためには、ファイル構造／ファイル領域１０４２０と、ファイル構造／ファイル領域１０５００と、ファイル構造／ファイル領域１０６００と、ＶＡＴ構造領域１０６１００等の領域にアクセスし、データを読み出す必要がある。
【００５３】
本発明は上記課題を解決するものであり、ＶＡＴ方式により効率の良いファイルの追記を行った時にでも、高速にデータファイルへアクセスすることを可能とする情報記録媒体、その情報記録媒体に情報を記録する情報記録方法、および情報記録装置、その情報記録媒体に記録された情報を再生する情報再生方法および情報再生装置を提供することを目的とする。
【課題を解決するための手段】
【００５４】
本発明の記録装置は、追記型記録媒体に情報を記録する記録装置であって、前記追記型記録媒体は、ディスク管理情報領域とボリューム空間とを含み、前記記録装置は、ホスト装置とドライブ装置とを備え、前記ホスト装置は、少なくとも１つの第１トラックと少なくとも１つの第２トラックとを前記ボリューム空間に割り付けるよう前記ドライブ装置に指示する第１指示部と、ファイルを前記少なくとも１つの第１トラックに記録するよう前記ドライブ装置に指示する第２指示部と、前記ファイルを管理するファイル構造を前記少なくとも１つの第２トラックに記録するよう前記ドライブ装置に指示する第３指示部と、前記ファイル構造の記録位置を管理する仮想配置テーブル構造を前記ボリューム空間に記録するよう前記ドライブ装置に指示する第４指示部と、前記少なくとも１つの第１トラックと前記少なくとも１つの第２トラックとを管理するトラック管理情報を前記ディスク管理情報領域に記録するよう前記ドライブ装置に指示する第５指示部とを備え、前記ドライブ装置は、前記少なくとも１つの第１トラックと前記少なくとも１つの第２トラックとを前記ボリューム空間に割り付け、前記ファイルを前記少なくとも１つの第１トラックに記録し、前記ファイル構造を前記少なくとも１つの第２トラックに記録し、前記仮想配置テーブル構造を前記ボリューム空間に記録し、前記トラック管理情報を前記ディスク管理情報領域に記録するためのヘッド部と、前記少なくとも１つの第１トラックと前記少なくとも１つの第２トラックとを前記ボリューム空間に割り付け、前記ファイルを前記少なくとも１つの第１トラックに記録し、前記ファイル構造を前記少なくとも１つの第２トラックに記録し、前記仮想配置テーブル構造を前記ボリューム空間に記録し、前記トラック管理情報を前記ディスク管理情報領域に記録するように、前記ヘッド部を制御する制御部とを備え、これにより上記目的を達成することができる。
【００５５】
前記制御部は、前記少なくとも１つの第１トラックのうち前記ファイルの最終記録位置に続く領域に、前記仮想配置テーブル構造を記録するように、前記ヘッド部を制御することがありえる。
【００５６】
前記第３指示部は、前記ファイル構造のうち所定の情報を前記少なくとも１つの第２トラックに記録するよう前記ドライブ装置にさらに指示し、前記制御部は、前記所定の情報を前記少なくとも１つの第２トラックに記録するように、前記ヘッド部を制御することがありえる。
【００５７】
本発明のホスト装置は、追記型記録媒体に情報を記録する記録装置に備えられたホスト装置であって、前記追記型記録媒体は、ディスク管理情報領域とボリューム空間とを含み、前記記録装置は、前記情報を前記追記型記録媒体に記録するドライブ装置をさらに備え、
前記ホスト装置は、少なくとも１つの第１トラックと少なくとも１つの第２トラックとを前記ボリューム空間に割り付けるよう前記ドライブ装置に指示する第１指示部と、ファイルを前記少なくとも１つの第１トラックに記録するよう前記ドライブ装置に指示する第２指示部と、前記ファイルを管理するファイル構造を前記少なくとも１つの第２トラックに記録するよう前記ドライブ装置に指示する第３指示部と、前記ファイル構造の記録位置を管理する仮想配置テーブル構造を前記ボリューム空間に記録するよう前記ドライブ装置に指示する第４指示部と、前記少なくとも１つの第１トラックと前記少なくとも１つの第２トラックとを管理するトラック管理情報を前記ディスク管理情報領域に記録するよう前記ドライブ装置に指示する第５指示部とを備え、これにより上記目的を達成することができる。
【００５８】
前記第３指示部は、前記ファイル構造のうち所定の情報を前記少なくとも１つの第２トラックに記録するよう前記ドライブ装置にさらに指示することがありえる。
【００５９】
本発明の記録方法は、追記型記録媒体に情報を記録する記録方法であって、前記追記型記録媒体は、ディスク管理情報領域とボリューム空間とを含み、少なくとも１つの第１トラックと少なくとも１つの第２トラックとを前記ボリューム空間に割り付けるよう指示する第１指示ステップと、前記少なくとも１つの第１トラックと前記少なくとも１つの第２トラックとを前記ボリューム空間に割り付ける割り付けステップと、ファイルを前記少なくとも１つの第１トラックに記録するよう指示する第２指示ステップと、前記ファイルを前記少なくとも１つの第１トラックに記録する第１記録ステップと、前記ファイルを管理するファイル構造を前記少なくとも１つの第２トラックに記録するよう指示する第３指示ステップと、前記ファイル構造を前記少なくとも１つの第２トラックに記録する第２記録ステップと、前記ファイル構造の記録位置を管理する仮想配置テーブル構造を前記ボリューム空間に記録するよう指示する第４指示ステップと、前記仮想配置テーブル構造を前記ボリューム空間に記録する第３記録ステップと、前記少なくとも１つの第１トラックと前記少なくとも１つの第２トラックとを管理するトラック管理情報を前記ディスク管理情報領域に記録するよう指示する第５指示ステップと前記トラック管理情報を前記ディスク管理情報領域に記録する第４記録ステップとを包含し、これにより上記目的を達成することができる。
【００６０】
本発明の指示方法は、追記型記録媒体に情報を記録する記録装置に備えられたホスト装置によって実行される指示方法であって、前記追記型記録媒体は、ディスク管理情報領域とボリューム空間とを含み、少なくとも１つの第１トラックと少なくとも１つの第２トラックとを前記ボリューム空間に割り付けるよう指示する第１指示ステップと、ファイルを前記少なくとも１つの第１トラックに記録するよう指示する第２指示ステップと、前記ファイルを管理するファイル構造を前記少なくとも１つの第２トラックに記録するよう指示する第３指示ステップと、前記ファイル構造の記録位置を管理する仮想配置テーブル構造を前記ボリューム空間に記録するよう指示する第４指示ステップと、前記少なくとも１つの第１トラックと前記少なくとも１つの第２トラックとを管理するトラック管理情報を前記ディスク管理情報領域に記録するよう指示する第５指示ステップとを包含し、これにより上記目的を達成することができる。
【００６１】
本発明のプログラムは、追記型記録媒体に情報を記録する記録処理手順を記録装置によって実行するためのプログラムであって、前記追記型記録媒体は、ディスク管理情報領域とボリューム空間とを含み、前記記録処理手順は、少なくとも１つの第１トラックと少なくとも１つの第２トラックとを前記ボリューム空間に割り付けるよう指示する第１指示ステップと、前記少なくとも１つの第１トラックと前記少なくとも１つの第２トラックとを前記ボリューム空間に割り付ける割り付けステップと、ファイルを前記少なくとも１つの第１トラックに記録するよう指示する第２指示ステップと、前記ファイルを前記少なくとも１つの第１トラックに記録する第１記録ステップと、前記ファイルを管理するファイル構造を前記少なくとも１つの第２トラックに記録するよう指示する第３指示ステップと、前記ファイル構造を前記少なくとも１つの第２トラックに記録する第２記録ステップと、前記ファイル構造の記録位置を管理する仮想配置テーブル構造を前記ボリューム空間に記録するよう指示する第４指示ステップと、前記仮想配置テーブル構造を前記ボリューム空間に記録する第３記録ステップと、前記少なくとも１つの第１トラックと前記少なくとも１つの第２トラックとを管理するトラック管理情報を前記ディスク管理情報領域に記録するよう指示する第５指示ステップと前記トラック管理情報を前記ディスク管理情報領域に記録する第４記録ステップとを包含し、これにより上記目的を達成することができる。
【００６２】
本発明のプログラムは、追記型記録媒体に情報を記録する記録装置に備えられたホスト装置によって指示処理手順を実行するためのプログラムであって、前記追記型記録媒体は、ディスク管理情報領域とボリューム空間とを含み、前記指示処理手順は、少なくとも１つの第１トラックと少なくとも１つの第２トラックとを前記ボリューム空間に割り付けるよう指示する第１指示ステップと、ファイルを前記少なくとも１つの第１トラックに記録するよう指示する第２指示ステップと、前記ファイルを管理するファイル構造を前記少なくとも１つの第２トラックに記録するよう指示する第３指示ステップと、前記ファイル構造の記録位置を管理する仮想配置テーブル構造を前記ボリューム空間に記録するよう指示する第４指示ステップと、前記少なくとも１つの第１トラックと前記少なくとも１つの第２トラックとを管理するトラック管理情報を前記ディスク管理情報領域に記録するよう指示する第５指示ステップとを包含し、これにより上記目的を達成することができる。
【００６３】
本発明の集積回路は、追記型記録媒体に情報を記録する記録装置に備えられた集積回路であって、前記追記型記録媒体は、ディスク管理情報領域とボリューム空間とを含み、前記記録装置は、前記情報を前記追記型記録媒体に記録するドライブ装置をさらに備え、前記集積回路は、少なくとも１つの第１トラックと少なくとも１つの第２トラックとを前記ボリューム空間に割り付けるよう前記ドライブ装置に指示するための第１指示部と、ファイルを前記少なくとも１つの第１トラックに記録するよう前記ドライブ装置に指示するための第２指示部と、前記ファイルを管理するファイル構造を前記少なくとも１つの第２トラックに記録するよう前記ドライブ装置に指示するための第３指示部と、前記ファイル構造の記録位置を管理する仮想配置テーブル構造を前記ボリューム空間に記録するよう前記ドライブ装置に指示するための第４指示部と、前記少なくとも１つの第１トラックと前記少なくとも１つの第２トラックとを管理するトラック管理情報を前記ディスク管理情報領域に記録するよう前記ドライブ装置に指示するための第５指示部とを備え、これにより上記目的を達成することができる。
【００６４】
本発明の再生装置は、追記型記録媒体から情報を再生する再生装置であって、前記追記型記録媒体は、ディスク管理情報領域とボリューム空間とを含み、前記ボリューム空間には、少なくとも１つの第１トラックと少なくとも１つの第２トラックとが割り付けられており、前記少なくとも１つの第１トラックには、ファイルが記録されており、前記少なくとも１つの第２トラックには、前記ファイルを管理するファイル構造が記録されており、前記ボリューム空間には前記ファイル構造の記録位置を管理する仮想配置テーブル構造が記録されており、前記ディスク管理情報領域には、前記少なくとも１つの第１トラックと前記少なくとも１つの第２トラックとを管理するトラック管理情報が記録されており、前記再生装置は、ホスト装置とドライブ装置とを備え、前記ホスト装置は、前記トラック管理情報を前記ディスク管理情報領域から再生するよう前記ドライブ装置に指示する第１指示部と、前記トラック管理情報に基づいて前記仮想配置テーブル構造を前記ボリューム空間から再生するよう前記ドライブ装置に指示する第２指示部と、前記ファイル構造を前記少なくとも１つの第２トラックから再生するよう前記ドライブ装置に指示する第３指示部と、前記ファイルを前記少なくとも１つの第１トラックから再生するよう前記ドライブ装置に指示する第４指示部とを備え、前記ドライブ装置は、前記トラック管理情報を前記ディスク管理情報領域から再生し、前記仮想配置テーブル構造を前記ボリューム空間から再生し、前記ファイル構造を前記少なくとも１つの第２トラックから再生し、前記ファイルを前記少なくとも１つの第１トラックから再生するためのヘッド部と、前記トラック管理情報を前記ディスク管理情報領域から再生し、前記仮想配置テーブル構造を前記ボリューム空間から再生し、前記ファイル構造を前記少なくとも１つの第２トラックから再生し、前記ファイルを前記少なくとも１つの第１トラックから再生するように、前記ヘッド部を制御する制御部とを備え、これにより上記目的を達成することができる。
【００６５】
前記少なくとも１つの第１トラックのうち前記ファイルの最終記録位置に続く領域に、前記仮想配置テーブル構造が記録されており、
前記第２指示部は、前記ファイルの最終記録位置に続く領域から前記仮想配置テーブル構造を再生するように、前記ドライブ装置に指示することがありえる。
【００６６】
前記少なくとも１つの第２トラックには、前記ファイル構造のうち所定の情報がさらに記録されており、
前記第３指示部は、前記所定の情報を前記少なくとも１つの第２トラックから再生するように、前記ドライブ装置に指示することがありえる。
【００６７】
本発明のホスト装置は、追記型記録媒体から情報を再生する再生装置に備えられたホスト装置であって、前記追記型記録媒体は、ディスク管理情報領域とボリューム空間とを含み、前記ボリューム空間には、少なくとも１つの第１トラックと少なくとも１つの第２トラックとが割り付けられており、前記少なくとも１つの第１トラックには、ファイルが記録されており、前記少なくとも１つの第２トラックには、前記ファイルを管理するファイル構造が記録されており、前記ボリューム空間には、前記ファイル構造の記録位置を管理する仮想配置テーブル構造が記録されており、前記ディスク管理情報領域には、前記少なくとも１つの第１トラックと前記少なくとも１つの第２トラックとを管理するトラック管理情報が記録されており、前記再生装置は、前記追記型記録媒体から前記情報を再生するドライブ装置をさらに備え、前記ホスト装置は、前記トラック管理情報を前記ディスク管理情報領域から再生するよう前記ドライブ装置に指示する第１指示部と、前記トラック管理情報に基づいて前記仮想配置テーブル構造を前記ボリューム空間から再生するよう前記ドライブ装置に指示する第２指示部と、前記ファイル構造を前記少なくとも１つの第２トラックから再生するよう前記ドライブ装置に指示する第３指示部と、前記ファイルを前記少なくとも１つの第１トラックから再生するよう前記ドライブ装置に指示する第４指示部とを備え、これにより上記目的を達成することができる。
【００６８】
前記少なくとも１つの第２トラックには、前記ファイル構造のうち所定の情報がさらに記録されており、前記第３指示部は、前記所定の情報を前記少なくとも１つの第２トラックから再生するよう前記ドライブ装置に指示することがありえる。
【００６９】
本発明の再生方法は、追記型記録媒体から情報を再生する再生方法であって、前記追記型記録媒体は、ディスク管理情報領域とボリューム空間とを含み、前記ボリューム空間には、少なくとも１つの第１トラックと少なくとも１つの第２トラックとが割り付けられており、前記少なくとも１つの第１トラックには、ファイルが記録されており、前記少なくとも１つの第２トラックには、前記ファイルを管理するファイル構造が記録されており、前記ボリューム空間には、前記ファイル構造の記録位置を管理する仮想配置テーブル構造が記録されており、前記ディスク管理情報領域には、前記少なくとも１つの第１トラックと前記少なくとも１つの第２トラックとを管理するトラック管理情報が記録されており、前記トラック管理情報を前記ディスク管理情報領域から再生するよう指示する第１指示ステップと、前記トラック管理情報を前記ディスク管理情報領域から再生する第１再生ステップと、前記トラック管理情報に基づいて、前記仮想配置テーブル構造を前記ボリューム空間から再生するよう指示する第２指示ステップと、前記仮想配置テーブル構造をボリューム空間から再生する第２再生ステップと、前記ファイル構造を前記少なくとも１つの第２トラックから再生するよう指示する第３指示ステップと、前記ファイル構造を前記少なくとも１つの第２トラックから再生する第３ステップと、前記ファイルを前記少なくとも１つの第１トラックから再生するよう指示する第４指示ステップと、前記ファイルを前記少なくとも１つの第１トラックから再生する第４再生ステップとを包含し、これにより上記目的を達成することができる。
【００７０】
本発明の指示方法は、追記型記録媒体から情報を再生する再生装置に備えられたホスト装置によって実行される指示方法であって、前記追記型記録媒体は、ディスク管理情報領域とボリューム空間とを含み、前記ボリューム空間には、少なくとも１つの第１トラックと少なくとも１つの第２トラックとが割り付けられており、前記少なくとも１つの第１トラックには、ファイルが記録されており、前記少なくとも１つの第２トラックには、前記ファイルを管理するファイル構造が記録されており、前記ボリューム空間には、前記ファイル構造の記録位置を管理する仮想配置テーブル構造が記録されており、前記ディスク管理情報領域には、前記少なくとも１つの第１トラックと前記少なくとも１つの第２トラックとを管理するトラック管理情報が記録されており、前記トラック管理情報を前記ディスク管理情報領域から再生するよう指示する第１指示ステップと、前記トラック管理情報に基づいて、前記仮想配置テーブル構造を前記ボリューム空間から再生するよう指示する第２指示ステップと、前記ファイル構造を前記少なくとも１つの第２トラックから再生するよう指示する第３指示ステップと、前記ファイルを前記少なくとも１つの第１トラックから再生するよう指示する第４指示ステップとを包含し、これにより上記目的を達成することができる。
【００７１】
本発明のプログラムは、追記型記録媒体から情報を再生する再生処理手順を再生装置によって実行するためのプログラムであって、前記追記型記録媒体は、ディスク管理情報領域とボリューム空間とを含み、前記ボリューム空間には、少なくとも１つの第１トラックと少なくとも１つの第２トラックとが割り付けられており、前記少なくとも１つの第１トラックには、ファイルが記録されており、前記少なくとも１つの第２トラックには、前記ファイルを管理するファイル構造が記録されており、前記ボリューム空間には、前記ファイル構造の記録位置を管理する仮想配置テーブル構造が記録されており、前記ディスク管理情報領域には、前記少なくとも１つの第１トラックと前記少なくとも１つの第２トラックとを管理するトラック管理情報が記録されており、前記再生処理手順は、前記トラック管理情報を前記ディスク管理情報領域から再生するよう指示する第１指示ステップと、前記トラック管理情報を前記ディスク管理情報領域から再生する第１再生ステップと、前記トラック管理情報に基づいて、前記仮想配置テーブル構造を前記ボリューム空間から再生するよう指示する第２指示ステップと、前記仮想配置テーブル構造を前記ボリューム空間から再生する再生する第２再生ステップと、前記ファイル構造を前記少なくとも１つの第２トラックから再生するよう指示する第３指示ステップと、前記ファイル構造を前記少なくとも１つの第２トラックから再生する第３再生ステップと、前記ファイルを前記少なくとも１つの第１トラックから再生するよう指示する第４指示ステップと前記ファイルを前記少なくとも１つの第１トラックから再生する第４再生ステップとを包含し、これにより上記目的を達成することができる。
【００７２】
本発明のプログラムは、追記型記録媒体から情報を再生する再生装置に備えられたホスト装置によって指示処理手順を実行するためのプログラムであって、前記追記型記録媒体は、ディスク管理情報領域とボリューム空間とを含み、前記ボリューム空間には、少なくとも１つの第１トラックと少なくとも１つの第２トラックとが割り付けられており、前記少なくとも１つの第１トラックには、ファイルが記録されており、前記少なくとも１つの第２トラックには、前記ファイルを管理するファイル構造が記録されており、前記ボリューム空間には、前記ファイル構造の記録位置を管理する仮想配置テーブル構造が記録されており、前記ディスク管理情報領域には、前記少なくとも１つの第１トラックと前記少なくとも１つの第２トラックとを管理するトラック管理情報が記録されており、前記指示処理手順は、前記トラック管理情報を前記ディスク管理情報領域から再生するよう指示する第１指示ステップと、前記トラック管理情報に基づいて、前記仮想配置テーブル構造を前記ボリューム空間から再生するよう指示する第２指示ステップと、前記ファイル構造を前記少なくとも１つの第２トラックから再生するよう指示する第３指示ステップと、前記ファイルを前記少なくとも１つの第１トラックから再生するよう指示する第４指示ステップとを包含し、これにより上記目的を達成することができる。
【００７３】
本発明の集積回路は、追記型記録媒体から情報を再生する再生装置に備えられた集積回路であって、前記追記型記録媒体は、ディスク管理情報領域とボリューム空間とを含み、前記ボリューム空間には、少なくとも１つの第１トラックと少なくとも１つの第２トラックとが割り付けられており、前記少なくとも１つの第１トラックには、ファイルが記録されており、前記少なくとも１つの第２トラックには、前記ファイルを管理するファイル構造が記録されており、前記ボリューム空間には、前記ファイル構造の記録位置を管理する仮想配置テーブル構造が記録されており、前記ディスク管理情報領域には、前記少なくとも１つの第１トラックと前記少なくとも１つの第２トラックとを管理するトラック管理情報が記録されており、前記再生装置は、前記追記型記録媒体から前記情報を再生するドライブ装置をさらに備え、前記集積回路は、前記トラック管理情報を前記ディスク管理情報領域から再生するよう前記ドライブ装置に指示するための第１指示部と、前記トラック管理情報に基づいて、前記仮想配置テーブル構造を前記ボリューム空間から再生するよう前記ドライブ装置に指示するための第２指示と、前記ファイル構造を前記少なくとも１つの第２トラックから再生するよう前記ドライブ装置に指示するための第３指示部と、前記ファイルを前記少なくとも１つの第１トラックから再生するよう前記ドライブ装置に指示するための第４指示部とを備え、これにより上記目的を達成することができる。
【００７４】
本発明の追記型記録媒体は、情報が記録されるように構成されている追記型記録媒体であって、前記追記型記録媒体は、ディスク管理情報領域とボリューム空間とを含み、前記ボリューム空間は、少なくとも１つの第１トラックと少なくとも１つの第２トラックとが割り付けられるように構成されており、前記少なくとも１つの第１トラックは、ファイルが記録されるように構成されており、前記少なくとも１つの第２トラックは、前記ファイルを管理するファイル構造が記録されるように構成されており、前記ボリューム空間は、前記ファイル構造の記録位置を管理する仮想配置テーブル構造が記録されるように構成されており、前記ディスク管理情報領域は、前記少なくとも１つの第１トラックと前記少なくとも１つの第２トラックとを管理するトラック管理情報が記録されるように構成されており、これにより上記目的を達成することができる。
【発明の効果】
【００７５】
本発明によれば、ボリューム空間にトラックを割り付け、特定のトラックに対してのみファイル構造を記録する。したがって、アクセス頻度を低減させることが可能となり、ファイル構造への高速なアクセスが実現される。
【００７６】
また、本発明によれば、ファイル構造の複製を記録することによって、情報記録媒体の信頼性を向上させることができる。
【発明を実施するための最良の形態】
【００７７】
以下、図面を参照して、本発明の実施の形態を説明する。
【００７８】
１．実施の形態１
１−１．追記型記録媒体
図１は、本発明の実施の形態１の追記型記録媒体１００を示す。
【００７９】
図１Ａは、本発明の実施の形態１の追記型記録媒体１００の外観を示す。追記型記録媒体１００には、追記型記録媒体１００の最内周にリードイン領域１０１が、追記型記録媒体１００の最外周にリードアウト領域１０３が、リードイン領域１０１とリードアウト領域１０３との間にデータ領域１０２が割り付けられている。リードイン領域１０１とデータ領域１０２とリードアウト領域１０３とは、同心円状である。
【００８０】
リードイン領域１０１には、例えば、光ピックアップが追記型記録媒体１００にアクセスする時に必要な基準情報と、追記型記録媒体１００と他の追記型記録媒体との識別情報とが記録されている。リードアウト領域１０３にも、リードイン領域１０１と同様の情報が記録されている。
【００８１】
データ領域１０２は、最小のアクセス単位であるセクタに分割されている。複数のセクタからなるＥＣＣブロック（または、ＥＣＣクラスタ）を最小の単位としてデータが記録または再生される。
【００８２】
図１Ｂは、本発明の実施の形態１の追記型記録媒体１００に記録されているデータのデータ構造の一例を示す。図１Ｂでは、リードイン領域１０１とデータ領域１０２とリードアウト領域１０３とが横方向に表されている。
【００８３】
リードイン領域１０１は、第１ディスク管理情報領域１０４を含む。リードアウト領域１０３は、第２ディスク管理情報領域１０５を含む。第１ディスク管理情報領域１０４および第２ディスク管理情報領域１０５のそれぞれには、ディスク管理情報（例えば、交替情報、セッション管理情報、トラック管理情報、空き領域管理情報）が記録される。交替情報は、例えば、交替元（欠陥セクタ（または欠陥ＥＣＣブロック））の位置を示す交替元位置情報と、交替先の位置を示す交替先位置情報とを含む。トラック管理情報の詳細は、後述される。
【００８４】
データ領域１０２は、内周交替領域１０６と外周交替領域１０７とユーザ領域１０８とを含む。ユーザ領域１０８に欠陥領域が存在する場合には、内周交替領域１０６と外周交替領域１０７とのうちの少なくとも一部が欠陥領域の代わりに使用される。例えば、ユーザ領域１０８に欠陥セクタが存在する場合には、内周交替領域１０６と外周交替領域１０７とのうちの少なくとも一部が代替セクタとして使用される。内周交替領域１０６と外周交替領域１０７とのうちの少なくとも一部には、ユーザ領域１０８に記録された情報に関連する情報が記録される。
【００８５】
なお、内周交替領域１０６および外周交替領域１０７のうちの少なくとも一方には、追加のディスク管理情報領域が設けられることがあり得る。追加のディスク管理情報領域には、ディスク管理情報が記録される。
【００８６】
図１Ｃは、ユーザ領域１０８の詳細を示す。ユーザ領域１０８には、少なくとも１つのセッション（例えば、セッション＃１およびセッション＃２）が割り付けられている。少なくとも１つのセッションは、セッション管理情報を参照することによって、管理される。少なくとも１つのセッションのそれぞれには、少なくとも１つのトラックが割り付けられている。例えば、セッション＃１には、トラック＃１とトラック＃２とが、セッション＃２には、トラック＃３とトラック＃４とが割り付けられている。少なくとも１つのトラックのそれぞれの開始位置および最終記録域は、トラック管理情報を参照することによって、管理される。
【００８７】
ユーザ領域１０８に記録されるユーザデータの管理はファイルシステムを参照することによって行われる。ファイルシステムを参照することによって管理する空間をボリューム空間１０９と呼ぶ。
【００８８】
なお、以下の説明においては、ファイルシステムを構成するボリューム／ファイル構造は、例えば、ＩＳＯ／ＩＥＣ１３３４６規格あるいはＵＤＦ（Ｕｎｉｖｅｒｓａｌ  Ｄｉｓｋ  Ｆｏｒｍａｔ）規格に規定されている。
【００８９】
図２は、ディスク管理情報領域（図１Ｂ参照）に記録される情報のデータ構造を示す。ディスク管理情報領域には、ディスク管理情報が記録される。ディスク管理情報は、交替情報、セッション管理情報２００、トラック管理情報２１０および空き領域管理情報２２０を含む。
【００９０】
図２Ａは、セッション管理情報２００のデータ構造を示す。セッション管理情報２００は、ヘッダ情報２０１と複数のトラック管理情報（トラック管理情報＃１、＃２、＃３、＃４）とを含む。ヘッダ情報２０１は、セッション管理情報２００の識別子、複数のトラック管理情報２１０の数を示す情報２０２を含む。ヘッダ情報２０１は、例えば、記録可能トラックのトラック番号（記録可能トラック番号２０３、２０４）を示す情報を含む。何らかの理由（例えば、未記録領域が存在しない、ユーザの指示、等）により、記録可能でなくなったトラック、すなわち記録不可能トラックのトラック番号を示す情報は、ヘッダ情報２０１には含まれない。
【００９１】
複数のトラック管理情報（トラック管理情報＃１、＃２、＃３、＃４）は複数のトラック（トラック＃１、＃２、＃３、＃４）（図１Ｃ参照）に対応する。
【００９２】
図２Ｂは、複数のトラック管理情報２１０のうちの１つのデータ構造を示す。トラック管理情報２１０は、対応するトラックがセッションの先頭トラックであるかどうかを示すセッション開始情報２１１、トラックの開始位置を示すトラック開始位置情報２１２、トラック内で最後にデータが記録された位置を示す最終データ記録位置情報２１３を含む。
【００９３】
トラック管理情報２１０が管理するトラックがセッションの先頭に位置する場合は、セッション開始情報２１１はそのことを示す値（例えば「１」）に設定される。トラック管理情報２１０が管理するトラックがセッションの先頭に位置しない場合は、セッション開始情報２１１は異なる値（例えば「０」）に設定される。
【００９４】
トラック開始位置情報２１２は、例えば、対応するトラックの開始位置を示す物理アドレスである。
【００９５】
最終データ記録位置情報２１３は、例えば、対応するトラックで最後にデータが記録された位置を示す最終物理アドレスである。記録可能トラック番号と最終データ記録位置情報２１３の情報を調べることにより、追記型記録媒体１００の空き領域を知ることが出来る。
【００９６】
本実施の形態においては、トラック毎にデータの記録が可能である。データの記録は、複数のトラックのそれぞれの先頭から行われ、トラック内においては連続的にデータが配置される。データの記録が行われると、最後に記録された位置が最終データ記録位置情報２１３に反映される。
【００９７】
そして、次に記録を再開する場合は、最新の最終データ記録位置情報２１３の値を調べることにより、次の記録開始位置を知ることができる。一般には次の記録開始位置は、最終データ記録位置情報２１３で示される物理セクタの次の物理セクタである。あるいは、追記型記録媒体１００に、ＥＣＣブロックを最小単位としてデータが記録される場合は、最終データ記録位置情報２１３で示される物理セクタを含むＥＣＣブロックの次のＥＣＣブロックが次の記録開始位置である。
【００９８】
図３は、追記型記録媒体１００のデータ構造の一例を示す。図３において、図１を参照して説明された領域と同一の領域には同一の参照符号を付し、その説明を省略する。
【００９９】
ボリューム空間１０９には、トラック＃１  ４０１とトラック＃２  ４０２とが割り付けられている。
【０１００】
トラック＃１  ４０１は、ボリューム構造が記録されるボリューム構造領域４１０と、ファイル構造が記録される第１ファイル構造領域４２０と、ＶＡＴ構造が記録される第１ＶＡＴ構造領域４３０と、未記録領域４５０とを含む。フォーマット処理手順が実行されることによって、ボリューム構造領域４１０にはボリューム構造が記録され、第１ファイル構造領域４２０にはファイル構造（例えば、ファイル集合記述子４２１、ＦＥ（ＲＯＯＴ）４２２）が記録され、第１ＶＡＴ構造領域４３０にはＶＡＴ構造（例えば、ＶＡＴ４３１、ＶＡＴ  ＩＣＢ４３２）が記録される。なお、フォーマット処理手順の詳細は、後述される。
【０１０１】
ＶＡＴ構造（仮想配置テーブル構造）は、ＶＡＴ（仮想配置テーブル）とＶＡＴ  ＩＣＢとを含む。ＶＡＴ構造は、ファイル構造の記録位置を管理する。ＶＡＴは、追記形記録媒体におけるファイル構造の更新処理を簡素化することを目的としてＵＤＦ規格で規定されている。ＶＡＴは、記録位置である論理アドレス空間上の論理アドレスと、仮想アドレスとの対応関係を保持する。ＶＡＴを用いる場合、ＦＥのようなファイル構造データのボリューム空間上での記録位置が、仮想アドレス空間上の仮想アドレスを用いて指定される。ＶＡＴの記録位置は、データが記録された領域の終端セクタに割り付けられるＶＡＴ  ＩＣＢにより指定される。
【０１０２】
ＶＡＴ構造により、ＤＶＤ−Ｒディスクのような書換えができない記録媒体を対象としても、仮想的にデータの書換えが実現される。
【０１０３】
第１ＶＡＴ構造領域４３０と未記録領域４５０との境界位置は、最終データ記録位置４４０であり、最終データ記録位置４４０を示す情報がトラック管理情報として第１ディスク管理情報領域１０４に記録されている。
【０１０４】
トラック＃２  ４０２は、未記録領域４６０を含む。データファイルの記録処理手順が実行されることによって、未記録領域４６０には、データファイルが記録され、未記録領域４５０には、記録されたデータファイルを管理するファイル構造が記録される。なお、データファイルの記録処理手順の詳細は、後述される。
【０１０５】
未記録領域４５０と未記録領域４６０との境界位置は、最終データ記録位置４４１であり、最終データ記録位置４４１を示す情報がトラック管理情報として第１ディスク管理情報領域１０４に記録されている。
【０１０６】
図４は、追記型記録媒体１００のデータ構造の他の一例を示す。図４において、図１および図３を参照して説明された領域と同一の領域には同一の参照符号を付し、その説明を省略する。さらに、図４において、図１および図３を参照して説明された情報、データと同一の情報、データには同一の参照符号を付し、その説明を省略する。なお、図４を参照して説明するデータ構造を有する追記型記録媒体１００は、図３を参照して説明したデータ構造を有する追記型記録媒体１００に対してファイル（具体的には、第１データファイル（Ｆｉｌｅ−ａ）５１０）の記録処理手順を実行することによって作成される。
【０１０７】
トラック＃１  ４０１は、ファイル構造が記録される第２ファイル構造領域５００をさらに含む。第１データファイル（Ｆｉｌｅ−ａ）５１０の記録処理手順が実行されることによって、第２ファイル構造領域５００にはファイル構造（例えば、第１データファイル（Ｆｉｌｅ−ａ）５１０の記録位置を示すＦＥ（Ｆｉｌｅ−ａ）５０１、ＦＥ（Ｄｉｒ−Ａ）５０２、ＦＥ（ＲＯＯＴ）５０３）が記録される。
【０１０８】
第２ファイル構造領域５００と未記録領域４５０との境界位置は、最終データ記録位置５３０であり、最終データ記録位置５３０を示す情報がトラック管理情報として第１ディスク管理情報領域１０４に記録される。
【０１０９】
トラック＃２  ４０２は、第１データファイル（Ｆｉｌｅ−ａ）５１０と第２ＶＡＴ構造領域５２０とをさらに含む。第１データファイル（Ｆｉｌｅ−ａ）５１０の記録処理手順が実行されることによって、未記録領域４６０には、第１データファイル（Ｆｉｌｅ−ａ）５１０が記録され、第２ファイル構造領域５００には、第１データファイル（Ｆｉｌｅ−ａ）５１０を管理するファイル構造（ＦＥ（Ｆｉｌｅ−ａ）５０１、ＦＥ（Ｄｉｒ−Ａ）５０２、ＦＥ（ＲＯＯＴ）５０３）が記録され、さらに、第２ＶＡＴ構造領域５２０には、ＶＡＴ５２１およびＶＡＴ  ＩＣＢ５２２が記録される。
【０１１０】
第２ＶＡＴ構造領域５２０と未記録領域４６０との境界位置は、最終データ記録位置５３１であり、最終データ記録位置５３１を示す情報がトラック管理情報として第１ディスク管理情報領域１０４に記録される。
【０１１１】
図５は、追記型記録媒体１００のデータ構造の他の一例を示す。図５において、図１、図３および図４を参照して説明された領域と同一の領域には同一の参照符号を付し、その説明を省略する。さらに、図５において、図１、図３および図４を参照して説明された情報、データと同一の情報、データには同一の参照符号を付し、その説明を省略する。なお、図５を参照して説明するデータ構造を有する追記型記録媒体１００は、図４を参照して説明したデータ構造を有する追記型記録媒体１００に対してファイルの記録処理手順を実行し、第１データファイル（Ｆｉｌｅ−ａ）５１０を第２データファイル（Ｆｉｌｅ−ａ）６１０に書き換えることによって作成される。
【０１１２】
トラック＃１  ４０１は、ファイル構造が記録される第３ファイル構造領域６００をさらに含む。第２データファイル（Ｆｉｌｅ−ａ）６１０の記録処理手順が実行されることによって、第３ファイル構造領域６００にはファイル構造（例えば、第２データファイル（Ｆｉｌｅ−ａ）６１０の記録位置を示すＦＥ（Ｆｉｌｅ−ａ）６０１）が記録される。
【０１１３】
第３ファイル構造領域６００と未記録領域４５０との境界位置は、最終データ記録位置６３０であり、最終データ記録位置６３０を示す情報がトラック管理情報として第１ディスク管理情報領域１０４に記録される。
【０１１４】
トラック＃２  ４０２は、第２データファイル（Ｆｉｌｅ−ａ）６１０と第３ＶＡＴ構造領域６２０とをさらに含む。第２データファイル（Ｆｉｌｅ−ａ）６１０の記録処理手順が実行されることによって、未記録領域４６０には、第２データファイル（Ｆｉｌｅ−ａ）６１０が記録され、第３ファイル構造領域６００には、第２データファイル（Ｆｉｌｅ−ａ）６１０を管理するファイル構造（ＦＥ（Ｆｉｌｅ−ａ）６０１）が記録され、さらに、第３ＶＡＴ構造領域６２０には、ＶＡＴ６２１およびＶＡＴ  ＩＣＢ６２２が記録される。
【０１１５】
第３ＶＡＴ構造領域６２０と未記録領域４６０との境界位置は、最終データ記録位置６３１であり、最終データ記録位置６３１を示す情報がトラック管理情報として第１ディスク管理情報領域１０４に記録される。
【０１１６】
以上、図５を参照して説明したように、追記型記録媒体１００に対してファイルの記録処理手順を実行することによって、追記型記録媒体１００にファイルを追記することができる。なお、ファイルの記録処理手順によってファイルを追記していくと、トラック＃１
４０１にファイル構造を記録できなくなる。未記録領域４５０が無くなるからである。未記録領域４５０が無くなった場合には、未記録領域４６０に新たなトラックを割り付けることによって、ファイルおよびファイル構造を記録することが可能になる。
【０１１７】
図６は、追記型記録媒体１００のデータ構造の他の一例を示す。図６において、図１、図３、図４および図５を参照して説明された領域と同一の領域には同一の参照符号を付し、その説明を省略する。さらに、図６において、図１、図３、図４および図５を参照して説明された情報、データと同一の情報、データには同一の参照符号を付し、その説明を省略する。なお、図６を参照して説明するデータ構造を有する追記型記録媒体１００は、図５を参照して説明したデータ構造を有する追記型記録媒体１００の未記録領域４６０に対してトラック＃３  ８１０およびトラック＃４  ８１１を割り付け、さらに第３データファイル（Ｆｉｌｅ−ｂ）８２０の記録処理手順を実行することによって作成される。
【０１１８】
ボリューム空間１０９は、トラック＃１  ４０１と、トラック＃２  ４０２と、トラック＃３  ８１０と、トラック＃４  ８１１とを含む。
【０１１９】
トラック＃１  ４０１には、未記録領域が含まれていない。トラック＃１  ４０１の全ての領域にファイル構造領域およびＶＡＴ構造領域が割り付けられているからである。トラック＃１  ４０１とトラック＃２  ４０２との境界位置は、最終データ記録位置８００であり、最終データ記録位置８００を示す情報がトラック管理情報として第１ディスク管理情報領域１０４に記録される。
【０１２０】
トラック＃２  ４０２には、未記録領域が含まれていない。トラック＃２  ４０２は、トラック＃３  ８１０の割り付けに伴って閉じているからである。トラック＃２  ４０２とトラック＃３  ８１０との境界位置は、最終データ記録位置８０１であり、最終データ記録位置８０１を示す情報がトラック管理情報として第１ディスク管理情報領域１０４に記録される。
【０１２１】
トラック＃３  ８１０は、ファイル構造が記録される第４ファイル構造領域８３０および未記録領域８６１を含む。第３データファイル（Ｆｉｌｅ−ｂ）８２０の記録処理手順が実行されることによって、第４ファイル構造領域８３０にはファイル構造（例えば、第３データファイル（Ｆｉｌｅ−ｂ）８２０の記録位置を示すＦＥ（Ｆｉｌｅ−ｂ）８３１、ＦＥ（Ｄｉｒ−Ｂ）８３２、ＦＥ（ＲＯＯＴ）８３３）が記録される。
【０１２２】
第４ファイル構造領域８３０と未記録領域８６１との境界位置は、最終データ記録位置８５０であり、最終データ記録位置８５０を示す情報がトラック管理情報として第１ディスク管理情報領域１０４に記録される。
【０１２３】
トラック＃４  ８１１は、第３データファイル（Ｆｉｌｅ−ｂ）８２０と第４ＶＡＴ構造領域８４０と未記録領域４６０をさらに含む。第３データファイル（Ｆｉｌｅ−ｂ）８２０の記録処理手順が実行されることによって、トラック＃４  ８１１には、第３データファイル（Ｆｉｌｅ−ｂ）８２０が記録され、第４ファイル構造領域８３０には、第３データファイル（Ｆｉｌｅ−ｂ）８２０を管理するファイル構造（ＦＥ（Ｆｉｌｅ−ｂ）８３１）が記録され、さらに、第４ＶＡＴ構造領域８４０には、ＶＡＴ８４１およびＶＡＴ
ＩＣＢ８４２が記録される。
【０１２４】
第４ＶＡＴ構造領域８４０と未記録領域４６０との境界位置は、最終データ記録位置８５１であり、最終データ記録位置８５１を示す情報がトラック管理情報として第１ディスク管理情報領域１０４に記録される。
【０１２５】
なお、図６に示されるデータ構造を有する情報記録媒体１００に対して、クローズ処理手順を実行することがあり得る。さらに、図６に示すデータ構造が記録された情報記録媒体１００に対する更なるファイルの追加記録を禁止する場合には、未記録領域４６０にリードアウト領域を割り付けることがあり得る。
【０１２６】
１−２．記録再生装置
図７は、本発明の実施の形態の記録再生装置３００を示す。記録再生システム３００は、ホスト装置３０５と、ドライブ装置３１０とを備える。ホスト装置３０５は、例えば、コンピュータシステムあるいはパーソナルコンピュータであり得る。情報記録再生システム３００は、記録装置、再生装置および記録再生装置のうちの１つとして機能する。
【０１２７】
ホスト装置３０５は、システム制御部３０１と、第１メモリ回路３０２と、磁気ディスク装置３０４と、Ｉ／Ｏバス３０３とを備える。ドライブ装置３１０を介してホスト装置３０５と追記型記録媒体１００との間でデータが転送される。
【０１２８】
システム制御部３０１は、第１メモリ回路３０２と磁気ディスク装置３０４とを制御する。システム制御部３０１は、例えば、第１メモリ回路３０２が磁気ディスク装置３０４とドライブ装置３１０との両方にデータを転送するように、第１メモリ回路３０２を制御する。
【０１２９】
システム制御部３０１は、演算用メモリを含むマイクロプロセッサを含み、システムの制御プログラムを実行する。システム制御部３０１は、例えば、ファイルシステムのボリューム構造／ファイル構造の記録・再生、ＶＡＴ構造の記録・再生、ファイルの記録・再生およびリードイン／リードアウト領域に対するデータの記録・再生を行う。
【０１３０】
例えば、システム制御部３０１は、複数のトラックをボリューム空間１０９に割り付けるようドライブ装置３１０に指示する。さらに、システム制御部３０１は、ファイルを複数のトラックのうちの１つに記録するようドライブ装置３１０に指示する。さらに、システム制御部３０１は、ファイルを管理するファイル構造を複数のトラックのうちの１つに記録するようドライブ装置３１０に指示する。さらに、システム制御部３０１は、ファイル構造の記録位置を管理する仮想配置テーブル構造をボリューム空間１０９に記録するようドライブ装置３１０に指示する。さらに、システム制御部３０１は、複数のトラックを管理するトラック管理情報を第１ディスク管理情報領域１０４に記録するようドライブ装置３１０に指示する。
【０１３１】
さらに、例えば、システム制御部３０１は、複数のトラックを管理するトラック管理情報をディスク管理情報領域から再生するようドライブ装置３１０に指示する。さらに、システム制御部３０１は、トラック管理情報に基づいて仮想配置テーブル構造をボリューム空間１０９から再生するようドライブ装置３１０に指示する。さらに、システム制御部３０１は、ファイル構造を複数のトラックのうちの一つから再生するようドライブ装置３１０に指示する。さらに、システム制御部３０１は、ファイルを複数のトラックのうちの一つから再生するようドライブ装置３１０に指示する。
【０１３２】
第１メモリ回路３０２は、ボリューム構造、ファイル構造、ＶＡＴ構造およびファイルの演算や一時保存に使用される。
【０１３３】
ドライブ装置３１０は、ドライブ制御部３１１と、第２メモリ回路３１２と、内部バス３１３と、記録再生部３１４とを備える。記録再生部３１４は、例えば、ヘッド部であり得る。ドライブ装置３１０は、追記型記録媒体１００を搭載可能に構成されている。ドライブ装置３１０は、追記型記録媒体１００との間でデータを転送する。
【０１３４】
ドライブ制御部３１１は、演算用メモリを含むマイクロプロセッサを含み、ドライブの制御プログラムを実行する。ドライブ制御部３１１は、ディスク管理情報領域や交替領域に対するデータの記録・再生、疑似上書き記録・再生の処理の制御や演算を行う。ドライブ制御部３１１は、第２メモリ回路３１２と記録再生部３１４とを制御する。ドライブ制御部３１１は、例えば、第２メモリ回路３１２と記録再生部３１４とが追記型記録媒体１００に情報を記録するように、さらに、第２メモリ回路３１２と記録再生部３１４とが追記型記録媒体１００から情報を再生するように第２メモリ回路３１２と記録再生部３１４とを制御する。
【０１３５】
なお、システム制御部３０１およびドライブ制御部３１１は、ＬＳＩ等の集積回路によって実現されてもよいし、汎用プロセッサとメモリ（例えばＲＯＭ）とによって実現されてもよい。メモリ（例えばＲＯＭ）にはコンピュータ（例えば汎用プロセッサ）が実行可能なプログラムが格納されている。このプログラムは本発明のフォーマット処理手順、ファイルの記録処理手順、クローズ処理手順および再生処理手順を示し、コンピュータ（例えば汎用プロセッサ）はこのプログラムに従って、これらの処理手順を実行する。
【０１３６】
１−３．記録処理手順
１−３−１．フォーマット処理手順
図８は、本発明の実施の形態のフォーマット処理手順を示す。図７を参照して説明された記録再生装置３００がフォーマット処理手順を実行することによって、記録再生装置３００は、図３に示されたデータ構造を有する追記型記録媒体１００を作成できる。
【０１３７】
以下、図３と図７と図８とを参照して、本発明の実施の形態のフォーマット処理手順をステップごとに説明する。
【０１３８】
ステップＳ１０１：ホスト装置３０５のシステム制御部３０１は、ユーザ領域１０８へのトラックの割り付けをドライブ装置３１０に指示する。ドライブ装置３１０は、トラックをユーザ領域１０８に割り付ける。
【０１３９】
具体的には、システム制御部３０１は、トラック＃１  ４０１とトラック＃２  ４０２との割り付けを指示する。ドライブ装置３１０は、トラック＃１  ４０１とトラック＃２
４０２とをユーザ領域１０８に割り付けるように、ヘッド部３１４を制御する。
【０１４０】
ステップＳ１０２：システム制御部３０１は、ボリューム構造を第１メモリ回路３０２に作成し、作成されたボリューム構造をボリューム構造領域４１０に記録するようドライブ装置３１０に指示する。ドライブ装置３１０は、第１メモリ回路３０２から転送されたボリューム構造をボリューム構造領域４１０に記録する。
【０１４１】
ボリューム構造は、ＩＳＯ／ＩＥＣ  １３３４６規格およびＵＤＦ規格のＶＡＴ方式に準拠する。ボリューム構造は、例えば、ボリューム空間１０９の管理情報を保持するための記述子を含む。
【０１４２】
ステップＳ１０３：システム制御部３０１は、ファイル構造を第１メモリ回路３０２に作成し、作成されたファイル構造をファイル構造領域４２０に記録するようドライブ装置３１０に指示する。ファイル構造は、ファイル集合記述子４２１と、ＲＯＯＴディレクトリと、ルートディレクトリを管理するＦＥ（ＲＯＯＴ）４２２とを含む。
【０１４３】
ドライブ装置３１０は、第１メモリ回路３０２から転送されたファイル構造をファイル構造領域４２０に記録する。
【０１４４】
ステップＳ１０４：システム制御部３０１は、ＶＡＴ構造を第１メモリ回路３０２に作成し、作成されたＶＡＴ構造を第１ＶＡＴ構造領域４３０に記録するようドライブ装置３１０に指示する。ＶＡＴ構造は、ＶＡＴ４３１とＶＡＴ  ＩＣＢ４３２とを含む。
【０１４５】
ドライブ装置３１０は、第１メモリ回路３０２から転送されたＶＡＴ構造を第１ＶＡＴ構造領域４３０に記録する。
【０１４６】
ＶＡＴ構造が第１ＶＡＴ構造領域４３０に記録された後、処理は終了する。
【０１４７】
なお、ファイル構造が記録されるトラック（例えば、トラック＃１  ４０１）の先頭位置はＥＣＣブロックに一致しており、かつ、ファイル構造が記録されるトラックの長さは、ＥＣＣブロックの整数倍の長さであることが望ましい。データの記録単位と論理的な構造が一意しており、効率的なデータアクセスが可能となるからである。
【０１４８】
１−３−２．ファイルの記録処理手順
図９は、本発明の実施の形態のファイルの記録処理手順を示す。図７を参照して説明された記録再生装置３００がファイルの記録処理手順を実行することによって、図３に示されるデータ構造を有する追記型記録媒体１００にファイルが記録され、図４に示されるデータ構造を有する追記型記録媒体１００が作成される。
【０１４９】
以下、図３、図４、図７および図９を参照して、本発明の実施の形態のファイルの記録処理手順をステップごとに説明する。
【０１５０】
ステップＳ２０１：ホスト装置３０５のシステム制御部３０１は、記録データを準備する。
【０１５１】
具体的には、システム制御部３０１は、磁気ディスク装置３０４に格納されている第１データファイル（Ｆｉｌｅ−ａ）５１０を磁気ディスク装置３０４から読み出し、第１メモリ回路３０２に転送する。さらに、システム制御部３０１は、ディレクトリファイル（Ｄｉｒ−Ａ）、ＦＥ（Ｆｉｌｅ−ａ）５０１およびＦＥ（Ｄｉｒ−Ａ）５０２を第１メモリ回路３０２に生成する。さらに、システム制御部３０１は、ディレクトリファイル（Ｄｉｒ−Ａ）の追加に従ってＲＯＯＴディレクトリの内容が更新されるため、更新されたＦＥ（ＲＯＯＴ）５０３を第１メモリ回路３０２にさらに生成する。
【０１５２】
ステップＳ２０２：システム制御部３０１は、第１データファイル（Ｆｉｌｅ−ａ）５１０をトラック＃２  ４０２に記録するようドライブ装置３１０に指示する。
【０１５３】
ドライブ装置３１０は、第１メモリ回路３０２から転送された第１データファイル（Ｆｉｌｅ−ａ）５１０をトラック＃２  ４０２に記録するように、ヘッド部３１４を制御する。
【０１５４】
ステップＳ２０３：システム制御部３０１は、ファイル構造（ＦＥ（Ｆｉｌｅ−ａ）５０１、ＦＥ（Ｄｉｒ−Ａ）５０２、ＦＥ（ＲＯＯＴ）５０３）をトラック＃２  ４０２に記録するようドライブ装置３１０に指示する。
【０１５５】
ドライブ装置３１０は、第１メモリ回路３０２から転送されたファイル構造をトラック＃２  ４０２に記録するように、ヘッド部３１４を制御する。。
【０１５６】
ステップＳ２０４：システム制御部３０１は、ＶＡＴ構造を第１メモリ回路３０２に作成し、作成されたＶＡＴ構造を第２ＶＡＴ構造領域５２０に記録するようドライブ装置３１０に指示する。ＶＡＴ構造は、ＶＡＴ５２１とＶＡＴ  ＩＣＢ５２２とを含む。
【０１５７】
ドライブ装置３１０は、第１メモリ回路３０２から転送されたＶＡＴ構造を第１データファイル（Ｆｉｌｅ−ａ）５１０の記録位置の直後に記録するように、ヘッド部３１４を制御する。ＶＡＴ  ＩＣＢは情報記録媒体１００の最後尾の記録位置に配置されるという（ＵＤＦ規格の）規定に従って、ＶＡＴ  ＩＣＢ５２２は記録される。
【０１５８】
ステップＳ２０５：ドライブ装置３１０は、トラック管理情報を第１ディスク管理情報領域１０４に記録するように、ヘッド部３１４を制御する。
【０１５９】
なお、システム制御部３０１が最終データ記録位置５３１を示す情報がトラック管理情報として第１ディスク管理情報領域１０４に記録するようドライブ装置３１０に指示する場合もありうる。
【０１６０】
トラック管理情報が記録された後、処理は終了する。
【０１６１】
以上、図３、図４、図７および図９を参照して、本発明の実施の形態のファイルの記録処理手順をステップごとに説明した。
【０１６２】
なお、記録再生装置３００がファイルの記録処理手順を実行することによって、図４に示されるデータ構造を有する追記型記録媒体１００に第２データファイル（Ｆｉｌｅ−ａ）が記録され、図５に示されるデータ構造を有する追記型記録媒体１００が作成される。
【０１６３】
１−４．再生処理手順
図１０は、本発明の実施の形態１の再生処理手順を示す。再生処理手順は、記録再生装置３００によって実現される。
【０１６４】
以下、図２、図４、図７および１０を参照して、本発明の実施の形態１の再生処理手順をステップごとに説明する。
【０１６５】
以下に説明されるステップを実行することによって、記録再生装置３００は、図４を参照して説明されたデータ構造を有する追記型記録媒体１００から第１データファイル（Ｆｉｌｅ−ａ）５１０を再生する。
【０１６６】
ステップＳ２１１：ホスト装置３０５のシステム制御部３０１は、最終データ記録位置５３１を示す情報を得るため、第１ディスク管理情報領域１０４に記録されているトラック管理情報を再生するよう、ドライブ装置３１０に指示する。ドライブ装置３１０は、トラック管理情報を再生するように、ヘッド部３１４を制御する。
【０１６７】
ステップＳ２１２：システム制御部３０１は、再生されたトラック管理情報から得た最終データ記録位置５３１の情報に基づいて、ＶＡＴ  ＩＣＢ５２２の再生をドライブ装置３１０に指示する。ドライブ装置３１０は、ＶＡＴ  ＩＣＢ５２２を再生するように、ヘッド部３１４を制御する。さらに、ドライブ装置３１０は、再生されたＶＡＴ  ＩＣＢ５２２に基づいてＶＡＴ５２１の記録位置情報を再生するように、ヘッド部３１４を制御する。
【０１６８】
ステップＳ２１３：システム制御部３０１は、ＶＡＴ５２１を参照して、
第２ファイル構造５００および第１データファイル（Ｆｉｌｅ−ａ）５１０を再生するようにドライブ装置３１０に指示する。
【０１６９】
ドライブ装置３１０は、第２ファイル構造５００および第１データファイル（Ｆｉｌｅ−ａ）５１０を再生するように、ヘッド部３１４を制御する。
【０１７０】
具体的には、目的のファイルやその管理情報が仮想アドレスを用いて管理されている場合、ＶＡＴ５２１を参照して、仮想アドレスから論理アドレスへの変換処理を行い、ファイル集合記述子４２１を起点として、ＦＥ（ＲＯＯＴ）５０３と、ＦＥ（ＲＯＯＴ）５０３に含まれたＲＯＯＴディレクトリと、ＦＥ（Ｄｉｒ−Ａ）５０２と、ＦＥ（Ｄｉｒ−Ａ）５０２に含まれたディレクトリ（Ｄｉｒ−Ａ）と、ＦＥ（Ｆｉｌｅ−ａ）５０１とが、順次読み出される。
【０１７１】
ステップＳ２１４：システム制御部３０１は、第１データファイル（Ｆｉｌｅ−ａ）５１０を再生するようにドライブ装置３１０に指示する。ＦＥ（Ｆｉｌｅ−ａ）５０１から第１データファイル（Ｆｉｌｅ−ａ）５１０の記録位置が取得される。ドライブ装置３１０は、第１データファイル（Ｆｉｌｅ−ａ）５１０を再生するように、ヘッド部３１４を制御する。
【０１７２】
第１データファイル（Ｆｉｌｅ−ａ）５１０が再生された後、処理は終了する。
【０１７３】
なお、ファイル構造が記録されているトラックの位置が分かっているので、連続的にデータを読み出し、第１メモリ回路３０２に格納してからデータ構造を解析することがあり得る。その結果、高速で効率的なデータアクセスが可能となる。
【０１７４】
再生処理手順をより簡易に実行するため、対応するトラックに記録されているデータの種別を示す情報をトラック管理情報２１０に付加することがあり得る。例えば、システム制御部３０１の指示により、ファイル構造を記録するためのトラックであるかどうかを示す識別子やフラグが記録され得る。その結果、ドライブ装置３１０よる効率的なデータアクセスが可能となる。
【０１７５】
２．実施の形態２
図１１は、追記型記録媒体１００のデータ構造の一例を示す。図１１において、図１、図３、図４、図５および図６を参照して説明された領域と同一の領域には同一の参照符号を付し、その説明を省略する。さらに、図１１において、図１、図３、図４、図５および図６を参照して説明された情報、データと同一の情報、データには同一の参照符号を付し、その説明を省略する。
【０１７６】
本発明の実施の形態２によれば、追記型記録媒体１００に対して、ファイル構造（ＦＥおよびディレクトリファイル（ＵＤＦ規格で規定されているＦＩＤを含むデータ））毎にトラックが割り付けられる。
【０１７７】
ボリューム空間１０９には、トラック＃１  １００１とトラック＃２  １００２とトラック＃３  １００３とが割り付けられている。
【０１７８】
トラック＃１  １００１は、ボリューム構造が記録されるボリューム構造領域４１０と、ファイル構造が記録される第１ファイル構造領域４２０と、ＶＡＴ構造が記録される第１ＶＡＴ構造領域４３０と、ファイル構造（ＦＥ）が記録されるファイル構造領域７００と、未記録領域とを含む。ファイル（第１データファイル（Ｆｉｌｅ−ａ）５１０および第２データファイル（Ｆｉｌｅ−ａ）６１０）の記録処理手順（「１−３−２．ファイルの記録処理手順」参照）が実行されることによって、ボリューム構造領域４１０にはボリューム構造が記録され、第１ファイル構造領域４２０にはファイル構造（ファイル集合記述子４２１およびＦＥ（ＲＯＯＴ）４２２）が記録され、第１ＶＡＴ構造領域４３０にはＶＡＴ構造（ＶＡＴ４３１およびＶＡＴ  ＩＣＢ４３２）が記録され、ファイル構造領域７００にはファイル構造（ＦＥ（Ｆｉｌｅ−ａ）５０１、ＦＥ（Ｄｉｒ−Ａ）５０２、ＦＥ（Ｆｉｌｅ−ｂ）８３１、ＦＥ（Ｄｉｒ−Ｂ）８３２）が記録される。
【０１７９】
ファイル構造領域７００と未記録領域との境界位置は、最終データ記録位置９００であり、最終データ記録位置９００を示す情報がトラック管理情報として第１ディスク管理情報領域１０４に記録されている。
【０１８０】
トラック＃２  １００２は、ファイル構造（ディレクトリ）が記録されるファイル構造領域７１０と、未記録領域とを含む。ファイル（第１データファイル（Ｆｉｌｅ−ａ）５１０および第２データファイル（Ｆｉｌｅ−ａ）６１０）の記録処理手順（「１−３−２．ファイルの記録処理手順」参照）が実行されることによって、ファイル構造領域７１０にはファイル構造（ディレクトリ（Ｄｉｒ−Ａ）１２００およびディレクトリ（Ｄｉｒ−Ｂ）１２０１）が記録される。
【０１８１】
ファイル構造領域７１０と未記録領域との境界位置は、最終データ記録位置９０１であり、最終データ記録位置９０１を示す情報がトラック管理情報として第１ディスク管理情報領域１０４に記録される。
【０１８２】
トラック＃３  １００３は、第１データファイル（Ｆｉｌｅ−ａ）５１０と第２ＶＡＴ構造領域５２０と第２データファイル（Ｆｉｌｅ−ａ）６１０と第３ＶＡＴ構造領域６２０と未記録領域とを含む。ファイル（第１データファイル（Ｆｉｌｅ−ａ）５１０および第２データファイル（Ｆｉｌｅ−ａ）６１０）の記録処理手順（「１−３−２．ファイルの記録処理手順」参照）が実行されることによって、トラック＃３  １００３には、第１データファイル（Ｆｉｌｅ−ａ）５１０が記録され、第２ＶＡＴ構造領域５２０には、ＶＡＴ５２１およびＶＡＴ  ＩＣＢ５２２が記録される。さらに、トラック＃３  １００３には、第２データファイル（Ｆｉｌｅ−ａ）６１０が記録され、第３ＶＡＴ構造領域６２０には、ＶＡＴ６２１およびＶＡＴ  ＩＣＢ６２２が記録される。図１１に示されたデータ構造を有する追記型記録媒体１００では、ＶＡＴ６２１およびＶＡＴ  ＩＣＢ６２２が最新のＶＡＴ構造である。
【０１８３】
第３ＶＡＴ構造領域６２０と未記録領域との境界位置は、最終データ記録位置９０２であり、最終データ記録位置９０２を示す情報がトラック管理情報として第１ディスク管理情報領域１０４に記録される。
【０１８４】
本発明の実施の形態２によれば、追記型記録媒体１００に記録されたファイル構造のうち特定の情報（例えばＦＥだけ）を読み出す際に効率的なアクセスが可能となる。特にＶＡＴ方式の場合、ＶＡＴによってアドレス管理されるのはＦＥであるので、ＶＡＴ方式の実現上、好都合である。
【０１８５】
なお、ディレクトリ階層に着目してトラックを割り付けることがあり得る。例えば、特定の応用（例えば、ＴＶの番組録画）のためのデータを記録するディレクトリ階層を定めた上で、所定のディレクトリ下のファイルやディレクトリをトラックに割り付けることがあり得る。この結果、効率的なデータアクセスが可能となる。
【０１８６】
３．実施の形態３
図１２は、追記型記録媒体１００のデータ構造の他の一例を示す。図１２において、図１、図３および図４を参照して説明された領域と同一の領域には同一の参照符号を付し、その説明を省略する。さらに、図１２において、図１、図３および図４を参照して説明された情報、データと同一の情報、データには同一の参照符号を付し、その説明を省略する。
【０１８７】
本発明の実施の形態３によれば、追記型記録媒体１００の複数のトラックに、互いに同一のファイル構造が記録される。
【０１８８】
ボリューム空間１０９には、トラック＃１  ２００１とトラック＃２  ２００２とトラック＃３  ２００３とが割り付けられている。
【０１８９】
トラック＃１  ２００１は、ボリューム構造が記録されるボリューム構造領域４１０と、ファイル構造が記録される第１ファイル構造領域４２０と、ＶＡＴ構造が記録される第１ＶＡＴ構造領域４３０と、ファイル構造が記録される第２ファイル構造領域５００と、未記録領域とを含む。フォーマット処理手順（（「１−３−１．フォーマット処理手順」参照）およびファイル（第１データファイル（Ｆｉｌｅ−ａ）５１０および第２データファイル（Ｆｉｌｅ−ａ）６１０）の記録処理手順（「１−３−２．ファイルの記録処理手順」参照）が実行されることによって、ボリューム構造領域４１０にはボリューム構造が記録され、第１ファイル構造領域４２０にはファイル構造（ファイル集合記述子４２１およびＦＥ（ＲＯＯＴ）４２２）が記録され、第１ＶＡＴ構造領域４３０にはＶＡＴ構造（ＶＡＴ４３１およびＶＡＴ  ＩＣＢ４３２）が記録され、第２ファイル構造領域５００にはファイル構造（例えば、第１データファイル（Ｆｉｌｅ−ａ）５１０の記録位置を示すＦＥ（Ｆｉｌｅ−ａ）５０１、ＦＥ（Ｄｉｒ−Ａ）５０２、ＦＥ（ＲＯＯＴ）５０３）が記録される。
【０１９０】
第２ファイル構造領域５００と未記録領域との境界位置は、最終データ記録位置９１０であり、最終データ記録位置９１０を示す情報がトラック管理情報として第１ディスク管理情報領域１０４に記録されている。
【０１９１】
トラック＃２  ２００２は、ボリューム構造が記録されるボリューム構造領域４１１と、ファイル構造が記録されるファイル構造領域４７０と、ＶＡＴ構造が記録されるＶＡＴ構造領域４８０と、ファイル構造が記録されるファイル構造領域４９０と、未記録領域とを含む。
【０１９２】
フォーマット処理手順（（「１−３−１．フォーマット処理手順」参照）およびファイル（第１データファイル（Ｆｉｌｅ−ａ）５１０および第２データファイル（Ｆｉｌｅ−ａ）６１０）の記録処理手順（「１−３−２．ファイルの記録処理手順」参照）が実行された後に、システム制御部３０１がトラック＃１  ２００１に記録されたファイル構造の複製およびＶＡＴ構造の複製をトラック＃２に記録するようドライブ装置３１０に指示することにより実現可能である。
【０１９３】
ボリューム構造領域４１１にはボリューム構造の複製が記録され、ファイル構造領域４７０にはファイル構造（ファイル集合記述子４２１およびＦＥ（ＲＯＯＴ）４２２）の複製（ファイル集合記述子４７１およびＦＥ（ＲＯＯＴ）４７２）が記録され、ＶＡＴ構造領域４８０にはＶＡＴ構造（ＶＡＴ４３１およびＶＡＴ  ＩＣＢ４３２）の複製（ＶＡＴ４８１およびＶＡＴ  ＩＣＢ４８２）が記録され、ファイル構造領域４９０にはファイル構造（第１データファイル（Ｆｉｌｅ−ａ）５１０の記録位置を示すＦＥ（Ｆｉｌｅ−ａ）５０１、ＦＥ（Ｄｉｒ−Ａ）５０２、ＦＥ（ＲＯＯＴ）５０３）の複製（第１データファイル（Ｆｉｌｅ−ａ）５１０の記録位置を示すＦＥ（Ｆｉｌｅ−ａ）４９１、ＦＥ（Ｄｉｒ−Ａ）４９２、ＦＥ（ＲＯＯＴ）４９３）が記録される。
【０１９４】
なお、トラック＃１  ２００１に対する記録を指示されたドライブ装置３１０が、トラック＃２  ２００２にデータ（ボリューム構造、ファイル構造、ＶＡＴ構造）の複製を自動的に記録することがあり得る。また、ドライブ装置３１０がトラック＃１  ２００１に対する記録を指示される度に自動的に複製を記録することがあり得る。また、複製を記録するようにシステム制御部３０１からドライブ装置３１０に指示があった場合に、ドライブ装置３１０がトラック＃１  ２００１に複製を記録することがあり得る。
【０１９５】
ファイル構造領域４９０と未記録領域との境界位置は、最終データ記録位置９１１であり、最終データ記録位置９１１を示す情報がトラック管理情報として第１ディスク管理情報領域１０４に記録されている。
【０１９６】
トラック＃３  ２００３は、第１データファイル（Ｆｉｌｅ−ａ）５１０と第２ＶＡＴ構造領域５２０と未記録領域とを含む。第１データファイル（Ｆｉｌｅ−ａ）５１０の記録処理手順が実行されることによって、未記録領域には、第１データファイル（Ｆｉｌｅ−ａ）５１０が記録され、第２ファイル構造領域５００には、第１データファイル（Ｆｉｌｅ−ａ）５１０を管理するファイル構造（ＦＥ（Ｆｉｌｅ−ａ）５０１、ＦＥ（Ｄｉｒ−Ａ）５０２、ＦＥ（ＲＯＯＴ）５０３）が記録され、さらに、第２ＶＡＴ構造領域５２０には、ＶＡＴ５２１およびＶＡＴ  ＩＣＢ５２２が記録される。
【０１９７】
第２ＶＡＴ構造領域５２０と未記録領域との境界位置は、最終データ記録位置９１２であり、最終データ記録位置９１２を示す情報がトラック管理情報として第１ディスク管理情報領域１０４に記録される。
【０１９８】
なお、再生処理手順（「１−４．再生処理手順」参照）が実行されることによって、トラック＃１  ２００１に記録されているデータを再生することが可能である。しかし、トラック＃１  ２００１からデータを再生することができない場合（例えば、トラック＃１
２００１に傷がついている場合）には、トラック＃２  ２００２からデータを再生することがあり得る。したがって、トラック＃２  ２００２のデータをトラック＃１  ２００１のデータのバックアップとして利用できる。その結果、追記型記録媒体１００の信頼性が向上する。
【０１９９】
なお、トラック＃２  ２００２に記録されるファイル構造は、トラック＃１  ２００１と同じでよいが、その場合、ファイル構造領域の論理アドレスと実際に記録されている論理アドレスがずれることになる。この場合、トラック＃２  ２００２に記録されるファイル構造を利用してデータを再生する場合に、アドレスを変換することがあり得る。なお、トラック＃２  ２００２にファイル構造を記録する際に、ディレクトリ階層を保ったままで、論理アドレスのみを変換して記録しておけば、再生時のアドレス変換は不要となる。
【０２００】
なお、本発明の実施の形態３では、最新のＶＡＴ構造を１つだけ記載しているが、追記型記録媒体１００の信頼性をより向上させるために、ＶＡＴ構造自体の複製も記録することがあり得る。この場合、例えば、第２ＶＡＴ構造領域５２０の直前に、トラック＃２  ２００２に記録されるファイル構造ためのＶＡＴ構造を記録してもよい。また、トラック＃２  ２００２に記録されるファイル構造全体をＶＡＴ  ＩＣＢの拡張属性ファイルとして扱うことがあり得る。その結果、ＵＤＦ規格との高い互換性を達成できる。
【０２０１】
なお、トラック間の関係情報をトラック管理情報２１０内に付加情報として記録することがあり得る。その結果、所定のトラックに記録されているデータの複製が別のトラックに記録されていることを容易に判別できる。例えば、トラック＃１  ２００１に記録された情報を管理するトラック管理情報に、トラック＃２  ２００２に記録された情報がトラック＃１  ２００１に記録された情報の複製であることを示す付加情報を記録することがあり得る。また、トラック＃２  ２００２に記録された情報を管理するトラック管理情報に、トラック＃２  ２００２に記録された情報がトラック＃１  ２００１に記録された情報の複製であることを示す付加情報を記録することがあり得る。
【産業上の利用可能性】
【０２０２】
本発明によれば、ボリューム空間にトラックを割り付け、特定のトラックに対してのみファイル構造を記録する。したがって、アクセス頻度を低減させることが可能となり、ファイル構造への高速なアクセスが実現される。
【０２０３】
また、本発明によれば、ファイル構造の複製を記録することによって、情報記録媒体の信頼性を向上させることができる。
【図面の簡単な説明】
【０２０４】
【図１Ａ】図１Ａは、本発明の実施の形態１の追記型記録媒体１００の外観を示す図である。
【図１Ｂ】図１Ｂは、本発明の実施の形態１の追記型記録媒体１００に記録されているデータのデータ構造の一例を示す図である。
【図１Ｃ】図１Ｃは、ユーザ領域１０８の詳細を示す図である。
【図２Ａ】図２Ａは、セッション管理情報２００のデータ構造を示す図である。
【図２Ｂ】図２Ｂは、複数のトラック管理情報２１０のうちの１つのデータ構造を示す図である。
【図３】図３は、追記型記録媒体１００のデータ構造の一例を示す図である。
【図４】図４は、追記型記録媒体１００のデータ構造の他の一例を示す図である。
【図５】図５は、追記型記録媒体１００のデータ構造の他の一例を示す図である。
【図６】図６は、追記型記録媒体１００のデータ構造の他の一例を示す図である。
【図７】図７は、本発明の実施の形態の記録再生装置３００を示す図である。
【図８】図８は、本発明の実施の形態のフォーマット処理手順を示すフローチャートである。
【図９】図９は、本発明の実施の形態のファイルの記録処理手順を示すフローチャートである。
【図１０】図１０は、本発明の実施の形態１の再生処理手順を示すフローチャートである。
【図１１】図１１は、追記型記録媒体１００のデータ構造の一例を示す図である。
【図１２】図１２は、追記型記録媒体１００のデータ構造の他の一例を示す図である。
【図１３】図１３は、ファイルおよびディレクトリ階層構造を示す図である。
【図１４】図１４は、従来の記録媒体１０１００の一例であるＤＶＤ−Ｒディスク上のフォーマット処理直後のデータを示す図である。
【図１５】図１５は、ファイルおよびディレクトリ構造のうちディレクトリ（Ｄｉｒ−Ａ）とデータファイル（Ｆｉｌｅ−ａ）とを記録する手順を説明するための図である図である。
【図１６】図１６は、ファイルおよびディレクトリ構造のうちのディレクトリ（Ｄｉｒ−Ｂ）とデータファイル（Ｆｉｌｅ−ｂ）との記録処理手順を説明するための図である。
【図１７】図１７は、再生処理手順を示すフローチャートである。
【符号の説明】
【０２０５】
１００  追記型記録媒体
１０１  リードイン領域
１０２  データ領域
１０３  リードアウト領域
１０４  第１ディスク管理情報領域
１０５  第２ディスク管理情報領域
３００  記録再生装置
３０１  システム制御部
３０２  第１メモリ回路
３０３  Ｉ／Ｏバス
３０４  磁気ディスク装置
３０５  ホスト装置
３１０  ドライブ装置
３１１  ドライブ制御部
３１２  第２メモリ回路
３１３  内部バス
３１４  記録再生部
【手続補正３】
【補正対象書類名】図面
【補正対象項目名】全図
【補正方法】変更
【補正の内容】
【図１Ａ】
2005091287.tif 000019
【図１Ｂ】
2005091287.tif 000020
【図１Ｃ】
2005091287.tif 000021
【図２Ａ】
2005091287.tif 000022
【図２Ｂ】
2005091287.tif 000023
【図３】
2005091287.tif 000024
【図４】
2005091287.tif 000025
【図５】
2005091287.tif 000026
【図６】
2005091287.tif 000027
【図７】
2005091287.tif 000028
【図８】
2005091287.tif 000029
【図９】
2005091287.tif 000030
【図１０】
2005091287.tif 000031
【図１１】
2005091287.tif 000032
【図１２】
2005091287.tif 000033
【図１３】
2005091287.tif 000034
【図１４】
2005091287.tif 000035
【図１５】
2005091287.tif 000036
【図１６】
2005091287.tif 000037
【図１７】
2005091287.tif 000038
【国際調査報告】
2005091287.tif 000039
2005091287.tif 000040
2005091287.tif 000041
2005091287.tif 000042